(57)【特許請求の範囲】
【請求項１】
アップリンクスケジューリング情報を送るための方法であって、
第2のキャリア上のアップリンクサブフレーム中で、第1のアップリンクサブフレームを判断するステップであって、非クロスキャリアスケジューリング中に前記第2のキャリア上の前記第1のアップリンクサブフレームをスケジュールするための第3のダウンリンクサブフレームに対応する時間において、第1のキャリア上のサブフレームがアップリンクサブフレームであるステップと、
前記第1のキャリア上の第6のダウンリンクサブフレーム上で、前記第2のキャリア上の前記第1のアップリンクサブフレームに対応するアップリンクスケジューリング情報を端末に送るステップであって、前記第6のダウンリンクサブフレームに対応する時間が、前記第1のアップリンクサブフレームに対応する時間の前であるステップとを含む方法。
【請求項２】
前記第1のキャリア上の前記第6のダウンリンクサブフレームに対応する前記時間と、前記第2のキャリア上の前記第1のアップリンクサブフレームに対応する前記時間との間の遅延が最小であり、前記第6のダウンリンクサブフレームと前記第1のアップリンクサブフレームが、少なくともN個のサブフレームだけ離間され、
前記Nが、前記端末による前記アップリンクスケジューリング情報の受信と、前記端末による、前記アップリンクスケジューリング情報に対応するアップリンクデータの送付との間で離間されるサブフレームの数であり、または
前記第6のダウンリンクサブフレームに対応する前記時間において、前記第2のキャリア上のサブフレームが、非クロスキャリアスケジューリング中に前記アップリンクスケジューリング情報を運ばない、請求項1に記載のアップリンクスケジューリング情報を送るための方法。
【請求項３】
前記第6のダウンリンクサブフレームが、前記第2のキャリア上の多くとも1つの第1のアップリンクサブフレームに対応するアップリンクスケジューリング情報を運ぶ、請求項1または2に記載のアップリンクスケジューリング情報を送るための方法。
【請求項４】
前記第1のキャリア上の前記第6のダウンリンクサブフレームのクロスキャリアアップリンクスケジューリングタイプを、物理ダウンリンク制御チャネル中の、新規追加ビット、新規追加スクランブリングコード、キャリアインジケータフィールド、送信電力制御、ダウンリンク割当て指示、もしくはアップリンクインデックスにより、前記端末に対して指示し、または、前記第1のキャリア上の前記第6のダウンリンクサブフレームのクロスキャリアアップリンクスケジューリングタイプを、無線リソース制御シグナリング、メディアアクセス制御シグナリング、物理ダウンリンク制御チャネルの検索空間もしくは前記物理ダウンリンク制御チャネルのスケジューリング時間により、前記端末に対して指示する、請求項1から3のいずれか一項に記載のアップリンクスケジューリング情報を送るための方法。
【請求項５】
アップリンクスケジューリング情報を受信するための方法であって、
第1のキャリア上にあるとともに第1のアップリンクサブフレームの時間の前の時間における第6のダウンリンクサブフレーム上で、基地局によって送られるとともに第2のキャリア上の前記第1のアップリンクサブフレームに対応するアップリンクスケジューリング情報を受信するステップであって、非クロスキャリアスケジューリング中に前記第2のキャリア上の前記第1のアップリンクサブフレームをスケジュールするための第3のダウンリンクサブフレームに対応する時間において、前記第1のキャリア上のサブフレームがアップリンクサブフレームであるステップと、
前記第2のキャリア上の前記第1のアップリンクサブフレーム上で、前記受信したアップリンクスケジューリング情報に従って、前記アップリンクスケジューリング情報に対応するアップリンクデータを送るステップとを含む方法。
【請求項６】
前記第1のキャリア上の前記第6のダウンリンクサブフレームに対応する送付時間と、前記第2のキャリア上の前記第1のアップリンクサブフレームに対応する送付時間との間の遅延が最小であり、前記第6のダウンリンクサブフレームと前記第1のアップリンクサブフレームが、少なくともN個のサブフレームだけ離間され、前記Nが、端末による前記アップリンクスケジューリング情報の受信と、前記端末による、前記アップリンクスケジューリング情報に対応するアップリンクデータの送付との間で離間されるサブフレームの数であり、
または
前記第6のダウンリンクサブフレームに対応する前記時間において、前記第2のキャリア上のサブフレームが、非クロスキャリアスケジューリング中に前記アップリンクスケジューリング情報を運ばず、または
前記第6のダウンリンクサブフレームが、前記第2のキャリア上の多くとも1つの第1のアップリンクサブフレームに対応するアップリンクスケジューリング情報を運ぶ、請求項5に記載のアップリンクスケジューリング情報を受信するための方法。
【請求項７】
前記第6のダウンリンクサブフレームのクロスキャリアアップリンクスケジューリングタイプを受信するステップであって、前記クロスキャリアアップリンクスケジューリングタイプが、物理ダウンリンク制御チャネル中の、新規追加ビット、新規追加スクランブリングコード、キャリアインジケータフィールド、送信電力制御、もしくはアップリンク割当て指示によって指示され、または無線リソース制御シグナリング、メディアアクセス制御シグナリング、物理ダウンリンク制御チャネルの検索空間もしくは前記物理ダウンリンク制御チャネルのスケジューリング時間によって指示されるステップとをさらに含み、
前記第2のキャリア上の前記第1のアップリンクサブフレーム上で、前記受信したアップリンクスケジューリング情報に従って、前記アップリンクスケジューリング情報に対応するアップリンクデータを送る前記ステップが、
前記第2のキャリア上の前記第1のアップリンクサブフレーム上で、前記アップリンクスケジューリング情報に対応する前記アップリンクデータを、前記第6のダウンリンクサブフレームの前記クロスキャリアアップリンクスケジューリングタイプおよび前記アップリンクスケジューリング情報に従って送るステップを含む、請求項5または6に記載のアップリンクスケジューリング情報を受信するための方法。
【請求項８】
アップリンクスケジューリング情報を送るための装置であって、
第2のキャリア上のアップリンクサブフレーム中で、第1のアップリンクサブフレームを判断するように構成されたアップリンクサブフレーム判断モジュールであって、非クロスキャリアスケジューリング中に前記第2のキャリア上の前記第1のアップリンクサブフレームをスケジュールするための第3のダウンリンクサブフレームに対応する時間において、前記キャリア上のサブフレームがアップリンクサブフレームであるアップリンクサブフレーム判断モジュールと、
前記第1のキャリア上の第6のダウンリンクサブフレーム上で、前記第2のキャリア上の前記第1のアップリンクサブフレームに対応するアップリンクスケジューリング情報を端末に送るように構成されたアップリンクスケジューリング送付モジュールであって、前記第6のダウンリンクサブフレームに対応する時間が、前記第1のアップリンクサブフレームに対応する時間の前であるアップリンクスケジューリング送付モジュールとを備える装置。
【請求項９】
前記第6のダウンリンクサブフレームに対応する送付時間と、前記第2のキャリア上の前記第1のアップリンクサブフレームに対応する送付時間との間の遅延が最小であり、前記第6のダウンリンクサブフレームと前記第1のアップリンクサブフレームが、少なくともN個のサブフレームだけ離間され、前記Nが、前記端末による前記アップリンクスケジューリング情報の受信と、前記端末による、前記アップリンクスケジューリング情報に対応するアップリンクデータの送付との間で離間されるサブフレーム数であり、または
前記第6のダウンリンクサブフレームに対応する前記時間において、前記第2のキャリア上のサブフレームが、非クロスキャリアスケジューリング中に前記アップリンクスケジューリング情報を運ばない、請求項8に記載のアップリンクスケジューリング情報を送るための装置。
【請求項１０】
前記アップリンクスケジューリング送付モジュールが、前記第1のキャリア上の前記第6のダウンリンクサブフレームのクロスキャリアアップリンクスケジューリングタイプを、物理ダウンリンク制御チャネル中の、新規追加ビット、新規追加スクランブリングコード、キャリアインジケータフィールド、送信電力制御、ダウンリンク割当て指示、もしくはアップリンクインデックスにより前記端末に対して指示し、または、前記第1のキャリア上の前記第6のダウンリンクサブフレームのクロスキャリアアップリンクスケジューリングタイプを、無線リソース制御シグナリング、メディアアクセス制御シグナリング、物理ダウンリンク制御チャネルの検索空間、もしくは前記物理ダウンリンク制御チャネルのスケジューリング時間により、前記端末に対して指示するように特に構成される、請求項8または9に記載のアップリンクスケジューリング情報を送るための装置。
【請求項１１】
アップリンクスケジューリング情報を受信するための装置であって、
第1のキャリア上にあるとともに第1のアップリンクサブフレームの時間の前の時間における第6のダウンリンクサブフレーム上で、基地局によって送られるとともに第2のキャリア上の前記第1のアップリンクサブフレームに対応するアップリンクスケジューリング情報を受信するように構成されたアップリンクスケジューリング受信モジュールであって、非クロスキャリアスケジューリング中に前記第2のキャリア上の前記第1のアップリンクサブフレームをスケジュールするための第3のダウンリンクサブフレームに対応する時間において、前記第1のキャリア上のサブフレームがアップリンクサブフレームであるアップリンクスケジューリング受信モジュールと、
前記第2のキャリア上の前記第1のアップリンクサブフレーム上で、前記受信したアップリンクスケジューリング情報に従って、前記アップリンクスケジューリング情報に対応するアップリンクデータを送るように構成されたアップリンクデータ送付モジュールとを備える装置。
【請求項１２】
前記第6のダウンリンクサブフレームに対応する送付時間と、前記第2のキャリア上の前記第1のアップリンクサブフレームに対応する送付時間との間の遅延が最小であり、前記第6のダウンリンクサブフレームと前記第1のアップリンクサブフレームが、少なくともN個のサブフレームだけ離間され、前記Nが、端末による前記アップリンクスケジューリング情報の受信と、前記端末による、前記アップリンクスケジューリング情報に対応する前記アップリンクデータの送付との間で離間されるサブフレームの数であり、または
前記第6のダウンリンクサブフレームに対応する前記時間において、前記第2のキャリア上のサブフレームが、非クロスキャリアスケジューリング中に前記アップリンクスケジューリング情報を運ばず、または
前記第6のダウンリンクサブフレームが、前記第2のキャリア上の多くとも1つの第1のアップリンクサブフレームに対応するアップリンクスケジューリング情報を運ぶ、請求項11に記載のアップリンクスケジューリング情報を受信するための装置。
【請求項１３】
前記第6のダウンリンクサブフレームのクロスキャリアアップリンクスケジューリングタイプを受信するように構成されたアップリンクスケジューリングタイプ受信モジュールであって、前記クロスキャリアアップリンクスケジューリングタイプが、物理ダウンリンク制御チャネル中の新規追加ビット、新規追加スクランブリングコード、キャリアインジケータフィールド、送信電力制御、もしくはアップリンク割当て索引によって指示され、または無線リソース制御シグナリング、メディアアクセス制御シグナリング、物理ダウンリンク制御チャネルの検索空間もしくは前記物理ダウンリンク制御チャネルのスケジューリング時間によって指示されるアップリンクスケジューリングタイプ受信モジュールをさらに備え、
前記アップリンクスケジューリング送付モジュールが、前記第2のキャリア上の前記第1のアップリンクサブフレーム上で、前記アップリンクスケジューリング情報に対応する前記アップリンクデータを、前記第6のダウンリンクサブフレームの前記クロスキャリアアップリンクスケジューリングタイプおよび前記アップリンクスケジューリング情報に従って送るように特に構成される、請求項11または12に記載のアップリンクスケジューリング情報を受信するための装置。
【発明の詳細な説明】
【技術分野】
【０００１】
本出願は、参照によって本明細書にその全体が組み込まれている、2011年2月1日に中国特許庁に出願した、「METHOD AND APPARATUS FOR SENDING UPLINK/DOWNLINK SCHEDULING INFORMATION, AND METHOD AND APPARATUS FOR RECEIVING UPLINK/DOWNLINK SCHEDULING INFORMATION」と題する中国特許出願第201110034427.X号、および2011年10月20日に中国特許庁に出願した、「METHOD AND APPARATUS FOR SENDING UPLINK/DOWNLINK SCHEDULING INFORMATION, AND METHOD AND APPARATUS FOR RECEIVING UPLINK/DOWNLINK SCHEDULING INFORMATION」と題する中国特許出願第201110320442.0号に対する優先権を主張する。
【０００２】
本発明の実施形態は、通信技術に関し、詳細には、ダウンリンクスケジューリング情報を送るための方法、ダウンリンクスケジューリング情報を受信するための方法、アップリンクスケジューリング情報を送るための方法、アップリンクスケジューリング情報を受信するための方法、ダウンリンクスケジューリング情報を送るための装置、ダウンリンクスケジューリング情報を受信するための装置、アップリンクスケジューリング情報を送るための装置、およびアップリンクスケジューリング情報を受信するための装置に関する。
【背景技術】
【０００３】
LTE Release 8(R8)システムにおいて、基地局と端末は、キャリア上でデータを通信し、送信する。基地局によってスケジュールされる端末は、それ自体の物理ダウンリンク制御チャネル(Physical Downlink Control Channel、略してPDCCH)を各サブフレーム中に有し得る。PDCCH中で搬送される情報は、ダウンリンク許可(Downlink_grant、略してDL_grant)またはダウンリンク割当て(Downlink_Assignment、略してDL_Assignment)でよく、DL_grantまたはDL_Assignmentは、物理ダウンリンク共有チャネル(Physical Downlink Shared Channel、略してPDSCH)の時間周波数リソース割当てなどを示すスケジューリング情報を搬送する。PDCCH中で運ばれる情報は、アップリンク許可(Uplink_grant、略してUL_grant)またはアップリンク割当て(Uplink_Assignment、略してUL_Assignment)であってもよく、UL_grantまたはUL_Assignmentは、物理アップリンク共有チャネル(Physical Uplink Shared Channel、略してPUSCH)の時間周波数リソース割当てなどを示すスケジューリング情報を搬送する。端末は、対応するPDCCH検索空間内でPDCCHを受信および復号し、それに応じて、ダウンリンクデータPDSCHを受信し、またはアップリンクデータPUSCHを送る。その後、端末は、ダウンリンクデータについてのアップリンクACK/NACKをフィードバックし、または基地局は、アップリンクデータについてのダウンリンクACK/NACKをフィードバックし、ダウンリンクACK/NACKは、物理HARQインジケータチャネル(Physical HARQ Indicator Channel、略してPHICH)とも呼ばれる。
【０００４】
時分割複信(Time Division Duplexing、略してTDD)システムにおいて、送信と受信の両方は、同じ周波数帯の異なる時間に完了され、すなわち、アップリンクとダウンリンクは、時間に基づいて区別される。LTEシステムは、7つの異なるアップリンクおよびダウンリンクサブフレーム構成をサポートすることができ、具体的にどのアップリンクおよびダウンリンクサブフレーム構成が採用されるかは、ブロードキャストメッセージを通して端末に通知され得る。
【０００５】
ただし、一方のキャリアに対応するPDCCHが他方のキャリア上で送られるときに、これら2つのキャリアのアップリンクおよびダウンリンク構成が同じでない場合、一方のキャリア上のサブフレームのタイプと、他方のキャリア上の、一方のキャリアの時間と同じ時間におけるサブフレームのタイプは異なってよく、一方のキャリア上のダウンリンクスケジューリング情報またはアップリンクスケジューリング情報は、他方のキャリアに対応するサブフレーム上で送ることができず、したがって、アップリンクおよびダウンリンクスケジューリングは、PDCCHを運ばない一方のキャリア上で、PDCCHを運ぶ他方のキャリアを通して実施することはできない。
【発明の概要】
【課題を解決するための手段】
【０００６】
本発明の実施形態は、ダウンリンクスケジューリング情報を送るための方法、ダウンリンクスケジューリング情報を受信するための方法、アップリンクスケジューリング情報を送るための方法、アップリンクスケジューリング情報を受信するための方法、ダウンリンクスケジューリング情報を送るための装置、ダウンリンクスケジューリング情報を受信するための装置、アップリンクスケジューリング情報を送るための装置、およびアップリンクスケジューリング情報を受信するための装置を提供し、これらは、アップリンクおよびダウンリンクが、異なるキャリアアグリゲーションで構成されるとき、PDCCHを運ぶ第1のキャリアにより、PDCCHを運ばない第2のキャリア上で、アップリンクおよびダウンリンクスケジューリングを実施することができないという従来技術における欠陥を解決するのに使われる。
【０００７】
本発明の態様によると、ダウンリンクスケジューリング情報を送るための方法が提供され、この方法は、
第2のキャリア上のダウンリンクサブフレーム中で、第1のダウンリンクサブフレームを判断するステップであって、第1のダウンリンクサブフレームに対応する時間において、第1のキャリア上のサブフレームがアップリンクサブフレームであるステップと、
第1のキャリア上の第5のダウンリンクサブフレーム上で、第2のキャリア上の第1のダウンリンクサブフレームに対応するダウンリンクスケジューリング情報を端末に送るステップであって、第5のダウンリンクサブフレームに対応する時間が、第1のダウンリンクサブフレームに対応する時間の前であるステップとを含む。
【０００８】
本発明の別の態様によると、ダウンリンクスケジューリング情報を送るための装置が提供され、この装置は、
第1のキャリア上にあるとともに第1のダウンリンクサブフレームの時間の前の時間における第5のダウンリンクサブフレーム上で、基地局によって送られるとともに第2のキャリア上の第1のダウンリンクサブフレームに対応するダウンリンクスケジューリング情報を受信するように構成されたダウンリンクスケジューリング受信モジュールであって、第2のキャリア上の第1のダウンリンクサブフレームに対応する時間における、第1のキャリア上のサブフレームがアップリンクサブフレームであるダウンリンクスケジューリング受信モジュールと、
第2のキャリア上の第1のダウンリンクサブフレーム上で、受信したダウンリンクスケジューリング情報に従って、ダウンリンクスケジューリング情報に対応するダウンリンクデータを受信するように構成されたダウンリンクデータ受信モジュールとを含む。
【０００９】
本発明のさらに別の態様によると、ダウンリンクスケジューリング情報を受信するための方法が提供され、この方法は、
第1のキャリア上にあるとともに第1のダウンリンクサブフレームの時間の前の時間におけるダウンリンクサブフレーム上で、第2のキャリア上の第1のダウンリンクサブフレームに対応する、基地局によってクロスサブフレーム方式で送られたダウンリンクスケジューリング情報、および第2のキャリア上の第2のダウンリンクサブフレームに対応する、基地局によってサブフレーム中で同じ時間方式で送られたダウンリンクスケジューリング情報を受信するステップであって、第1のキャリア上の同じ時間であるとともに第2のキャリア上の第1のダウンリンクサブフレームの時間をもつサブフレームがアップリンクサブフレームであり、第1のキャリアの同じ時間であるとともに第2のキャリア上の第2のダウンリンクサブフレームの時間をもつサブフレームがダウンリンクサブフレームであるステップと、
第1のキャリア上のダウンリンクサブフレームのクロスキャリアダウンリンクスケジューリングタイプが、同時ダウンリンクスケジューリングを用いるサブフレームであると判断したとき、第2のキャリア上の、同じ時間方式を用いるサブフレーム中で、ダウンリンクスケジューリング情報によってスケジュールされたダウンリンクデータを受信するステップと、
第1のキャリア上のダウンリンクサブフレームのクロスキャリアダウンリンクスケジューリングタイプが、クロスサブフレームダウンリンクスケジューリングであると判断したとき、第2のキャリア上で、ダウンリンクスケジューリング情報によってスケジュールされたダウンリンクデータをクロスサブフレーム方式で受信するステップとを含む。
【００１０】
本発明のさらに別の態様によると、ダウンリンクスケジューリング情報を受信するための装置が提供され、この装置は、
第1のキャリア上にあるとともに第1のダウンリンクサブフレームの時間の前の時間におけるダウンリンクサブフレーム上で、第2のキャリア上の第1のダウンリンクサブフレームに対応する、基地局によってクロスサブフレーム方式で送られたダウンリンクスケジューリング情報、および第2のキャリア上の第2のダウンリンクサブフレームに対応する、基地局によってサブフレーム中で同じ時間方式で送られたダウンリンクスケジューリング情報を受信するように構成されたダウンリンクスケジューリング受信モジュールであって、第1のキャリア上の同じ時間であるとともに第2のキャリア上の第1のダウンリンクサブフレームの時間をもつサブフレームがアップリンクサブフレームであり、第1のキャリアの同じ時間であるとともに第2のキャリア上の第2のダウンリンクサブフレームの時間をもつサブフレームがダウンリンクサブフレームであるダウンリンクスケジューリング受信モジュールと、
第1のキャリア上のダウンリンクサブフレームのクロスキャリアダウンリンクスケジューリングタイプが、同時ダウンリンクスケジューリングを用いるサブフレームであると判断したとき、第2のキャリア上の、同じ時間方式を用いるサブフレーム中で、ダウンリンクスケジューリング情報によってスケジュールされたダウンリンクデータを受信するように構成された第1のダウンリンクデータ受信モジュールと、
第1のキャリア上のダウンリンクサブフレームのクロスキャリアダウンリンクスケジューリングタイプが、クロスサブフレームダウンリンクスケジューリングであると判断したとき、第2のキャリア上で、ダウンリンクスケジューリング情報によってスケジュールされたダウンリンクデータをクロスサブフレーム方式で受信するように構成された第2のダウンリンクデータ受信モジュールとを含む。
【００１１】
本発明のさらに別の態様によると、ダウンリンクスケジューリング情報を送るための方法および装置、ならびにダウンリンクスケジューリング情報を受信するための方法および装置が提供される。第1のキャリアが、第2のキャリア上のPDCCHを運ぶとき、第2のキャリア上のPDSCHが第1のキャリア上で、クロスキャリア方式でスケジュールされるために、基地局は、第1のキャリア上の第5のダウンリンクサブフレーム上で、第1のキャリア上の同じ時間をもつサブフレームがアップリンクサブフレームである第2のキャリア上の第1のダウンリンクサブフレームに対応するダウンリンクスケジューリング情報を送る。したがって、クロスキャリアPDCCHスケジューリングのとき、基地局は、第1のキャリア上で、第2のキャリア上のPDSCHをスケジュールするためのダウンリンクスケジューリング情報を送ることができる。
【００１２】
本発明のさらに別の態様によると、アップリンクスケジューリング情報を送るための方法が提供され、この方法は、
第2のキャリア上のアップリンクサブフレーム中で、第1のアップリンクサブフレームを判断するステップであって、非クロスキャリアスケジューリング中に第2のキャリア上の第1のアップリンクサブフレームをスケジュールするための第3のダウンリンクサブフレームに対応する時間において、第1のキャリア上のサブフレームがアップリンクサブフレームであるステップと、
第1のキャリア上の第6のダウンリンクサブフレーム上で、第2のキャリア上の第1のアップリンクサブフレームに対応するアップリンクスケジューリング情報を端末に送るステップであって、第6のダウンリンクサブフレームに対応する時間が、第1のアップリンクサブフレームに対応する時間の前であるステップとを含む。
【００１３】
本発明のさらに別の態様によると、アップリンクスケジューリング情報を送るための装置が提供され、この装置は、
第2のキャリア上のアップリンクサブフレーム中で、第1のアップリンクサブフレームを判断するように構成されたアップリンクサブフレーム判断モジュールであって、非クロスキャリアスケジューリング中に第2のキャリア上の第1のアップリンクサブフレームをスケジュールするための第3のダウンリンクサブフレームに対応する時間において、第1のキャリア上のサブフレームがアップリンクサブフレームであるアップリンクサブフレーム判断モジュールと、
第1のキャリア上の第6のダウンリンクサブフレーム上で、第2のキャリア上の第1のアップリンクサブフレームに対応するアップリンクスケジューリング情報を端末に送るように構成されたアップリンクスケジューリング送付モジュールであって、第6のダウンリンクサブフレームに対応する時間が、第1のアップリンクサブフレームに対応する時間の前であるアップリンクスケジューリング送付モジュールとを含む。
【００１４】
本発明のさらに別の態様によると、アップリンクスケジューリング情報を受信するための方法が提供され、この方法は、
第1のキャリア上にあるとともに第1のアップリンクサブフレームの時間の前の時間における第6のダウンリンクサブフレーム上で、基地局によって送られるとともに第2のキャリア上の第1のアップリンクサブフレームに対応するアップリンクスケジューリング情報を受信するステップであって、非クロスキャリアスケジューリング中に第2のキャリア上の第1のアップリンクサブフレームをスケジュールするための第3のダウンリンクサブフレームに対応する時間において、第1のキャリア上のサブフレームがアップリンクサブフレームであるステップと、
第2のキャリア上の第1のアップリンクサブフレーム上で、受信したアップリンクスケジューリング情報に従って、アップリンクスケジューリング情報に対応するアップリンクデータを送るステップとを含む。
【００１５】
本発明のさらに別の態様によると、アップリンクスケジューリング情報を受信するための装置が提供され、この装置は、
第1のキャリア上にあるとともに第1のアップリンクサブフレームの時間の前の時間における第6のダウンリンクサブフレーム上で、基地局によって送られるとともに第2のキャリア上の第1のアップリンクサブフレームに対応するアップリンクスケジューリング情報を受信するように構成されたアップリンクスケジューリング受信モジュールであって、非クロスキャリアスケジューリング中に第2のキャリア上の第1のアップリンクサブフレームをスケジュールするための第3のダウンリンクサブフレームに対応する時間において、第1のキャリア上のサブフレームがアップリンクサブフレームであるアップリンクスケジューリング受信モジュールと、
第2のキャリア上の第1のアップリンクサブフレーム上で、受信したアップリンクスケジューリング情報に従って、アップリンクスケジューリング情報に対応するアップリンクデータを送るように構成されたアップリンクデータ送付モジュールとを含む。
【００１６】
本発明のさらに別の態様によると、アップリンクスケジューリング情報を送るための方法および装置、ならびにアップリンクスケジューリング情報を受信するための方法および装置が提供される。第2のキャリア上の物理ダウンリンク制御チャネルが第1のキャリア上で運ばれるとき、基地局は、クロスサブフレーム方式で、第2のキャリア上の第3のダウンリンクサブフレームに対応するアップリンクスケジューリング情報を、第1のキャリア上の第1のアップリンクサブフレームの前の第6のダウンリンクサブフレームに適合させ、アップリンクスケジューリング情報を送る。したがって、クロスキャリアPDCCHスケジューリングのとき、第2のキャリア上のPUSCHは、第1のキャリア上でスケジュールされ得る。
【００１７】
本発明のさらに別の態様によると、ダウンリンクスケジューリング情報を送るための方法が提供され、この方法は、
第2のキャリア上のダウンリンクサブフレーム中で、ダウンリンクサブフレームAを判断するステップと、
第1のキャリア上のダウンリンクサブフレームB上で、第2のキャリア上のダウンリンクサブフレームAをスケジュールするためのダウンリンクスケジューリング情報を端末に送るステップとを含み、
第2のキャリア上のダウンリンクサブフレームAの時間と同じ時間における、第1のキャリア上のサブフレームがアップリンクサブフレームである場合、ダウンリンクサブフレームBに対応する時間は、ダウンリンクサブフレームAに対応する時間の前であり、または
第2のキャリア上のダウンリンクサブフレームAの時間と同じ時間における、第1のキャリア上のサブフレームがダウンリンクサブフレームである場合、ダウンリンクサブフレームBに対応する時間は、ダウンリンクサブフレームAに対応する時間の前であり、もしくは、ダウンリンクサブフレームBに対応する時間は、ダウンリンクサブフレームAに対応する時間と同じ時間である。
【００１８】
本発明のさらに別の態様によると、ダウンリンクスケジューリング情報を送るための装置が提供され、この装置は、
第2のキャリア上のダウンリンクサブフレーム中で、ダウンリンクサブフレームAを判断するためのダウンリンクサブフレーム判断モジュールと、
第1のキャリア上のダウンリンクサブフレームB上で、第2のキャリア上のダウンリンクサブフレームAのダウンリンクスケジューリング情報を端末に送るためのダウンリンクスケジューリング送付モジュールであって、第2のキャリア上のダウンリンクサブフレームAの時間と同じ時間における、第1のキャリア上のサブフレームがアップリンクサブフレームである場合、ダウンリンクサブフレームBに対応する時間が、ダウンリンクサブフレームAに対応する時間の前であり、または第2のキャリア上のダウンリンクサブフレームAの時間と同じ時間における、第1のキャリア上のサブフレームがダウンリンクサブフレームである場合、ダウンリンクサブフレームBに対応する時間が、ダウンリンクサブフレームAに対応する時間の前であり、もしくはダウンリンクサブフレームBに対応する時間が、ダウンリンクサブフレームAに対応する時間と同じ時間であるダウンリンクスケジューリング送付モジュールとを含む。
【００１９】
本発明のさらに別の態様によると、ダウンリンクスケジューリング情報を受信するための方法が提供され、この方法は、
端末によって、第1のキャリア上のダウンリンクサブフレームB上で、基地局によって送られた、第2のキャリア上のダウンリンクサブフレームAのダウンリンクスケジューリング情報を受信するステップであって、
第2のキャリア上のダウンリンクサブフレームAの時間と同じ時間における、第1のキャリア上のサブフレームがアップリンクサブフレームである場合、ダウンリンクサブフレームBに対応する時間が、ダウンリンクサブフレームAに対応する時間の前であり、または
第2のキャリア上のダウンリンクサブフレームAの時間と同じ時間における、第1のキャリア上のサブフレームがダウンリンクサブフレームである場合、ダウンリンクサブフレームBに対応する時間が、ダウンリンクサブフレームAに対応する時間の前であり、もしくは、ダウンリンクサブフレームBに対応する時間が、ダウンリンクサブフレームAに対応する時間と同じ時間であるステップと、
第2のキャリア上のダウンリンクサブフレームA上で、受信したダウンリンクスケジューリング情報に従って、ダウンリンクスケジューリング情報に対応するダウンリンクデータを受信するステップとを含む。
【００２０】
本発明のさらに別の態様によると、ダウンリンクスケジューリング情報を受信するための装置が提供され、この装置は、
第1のキャリア上のダウンリンクサブフレームB上で、基地局によって送られた、第2のキャリア上のダウンリンクサブフレームAのダウンリンクスケジューリング情報を受信するように構成されたダウンリンクスケジューリング受信モジュールであって、第2のキャリア上のダウンリンクサブフレームAの時間と同じ時間における、第1のキャリア上のサブフレームがアップリンクサブフレームである場合、ダウンリンクサブフレームBに対応する時間が、ダウンリンクサブフレームAに対応する時間の前であり、または第2のキャリア上のダウンリンクサブフレームAの時間と同じ時間における、第1のキャリア上のサブフレームがダウンリンクサブフレームである場合、ダウンリンクサブフレームBに対応する時間が、ダウンリンクサブフレームAに対応する時間の前であり、もしくはダウンリンクサブフレームBに対応する時間が、ダウンリンクサブフレームAに対応する時間と同じ時間であるダウンリンクスケジューリング受信モジュールと、
第2のキャリア上のダウンリンクサブフレームA上で、受信したダウンリンクスケジューリング情報に従って、ダウンリンクスケジューリング情報に対応するダウンリンクデータを受信するように構成されたダウンリンクデータ受信モジュールとを含む。
【００２１】
本発明の実施形態の、ダウンリンクスケジューリング情報を送るための方法および装置、ならびにダウンリンクスケジューリング情報を受信するための方法および装置において、第1のキャリアが第2のキャリア上のPDCCHを運ぶとき、第2のキャリア上のダウンリンクサブフレームAに対応する時間において、第1のキャリア上のサブフレームがアップリンクサブフレームである場合、基地局は、その時間がダウンリンクサブフレームAに対応する時間の前である、第1のキャリア上のダウンリンクサブフレームB上で、第2のキャリア上のダウンリンクサブフレームAに対応するダウンリンクスケジューリング情報を端末に送り、したがって、第1のキャリアが、第2のキャリアをクロスキャリア方式でスケジュールするとき、基地局は、第1のキャリア上で、第2のキャリア上のPDSCHをスケジュールするためのダウンリンクスケジューリング情報を端末に送ることができる。第2のキャリア上のダウンリンクサブフレームAに対応する時間において、第1のキャリア上のサブフレームがダウンリンクサブフレームである場合、基地局は、その時間がダウンリンクサブフレームAに対応する時間の前である、第1のキャリア上のダウンリンクサブフレームB上で、第2のキャリア上のダウンリンクサブフレームAに対応するダウンリンクスケジューリング情報を端末に送ることができ、または、第1のキャリアのダウンリンクサブフレームA上で、第2のキャリア上のダウンリンクサブフレームAに対応するダウンリンクスケジューリング情報を端末に送ることもできる。
【００２２】
本発明のさらに別の態様によると、アップリンクスケジューリング情報を送るための方法が提供され、この方法は、
第2のキャリア上のアップリンクサブフレーム中で、アップリンクサブフレームCを判断するステップと、
第1のキャリア上のダウンリンクサブフレームD上で、第2のキャリア上のアップリンクサブフレームCをスケジュールするためのアップリンクスケジューリング情報を端末に送るステップとを含み、
第1のキャリア上のサブフレームEに対応する時間とアップリンクサブフレームCに対応する時間との間の間隔が、スケジューリング間隔、すなわちN個のサブフレームであり、サブフレームEがダウンリンクサブフレームである場合、ダウンリンクサブフレームDおよびサブフレームDが、同じ時間のサブフレームであり、もしくはダウンリンクサブフレームDに対応する時間が、サブフレームEに対応する時間の前であり、または
サブフレームEがアップリンクサブフレームである場合、ダウンリンクサブフレームDに対応する時間が、サブフレームEに対応する時間の前であり、
スケジューリング間隔Nが、少なくとも、端末がアップリンクスケジューリング情報を受信する時間と、端末が、アップリンクスケジューリング情報に対応するアップリンクデータを送る時間との間で離間されるサブフレームの数である。
【００２３】
本発明のさらに別の態様によると、アップリンクスケジューリング情報を送るための装置が提供され、この装置は、
第2のキャリア上のアップリンクサブフレーム中で、アップリンクサブフレームCを判断するように構成されたアップリンクサブフレーム判断モジュールと、
第1のキャリア上のダウンリンクサブフレームD上で、第2のキャリア上のアップリンクサブフレームCのアップリンクスケジューリング情報を端末に送るように構成されたアップリンクスケジューリング送付モジュールであって、第1のキャリア上のサブフレームEに対応する時間とアップリンクサブフレームCに対応する時間の間の間隔が、スケジューリング間隔、すなわちN個のサブフレームであり、サブフレームEがダウンリンクサブフレームである場合、ダウンリンクサブフレームDおよびサブフレームEが、同じ時間のサブフレームであり、もしくはダウンリンクサブフレームDがサブフレームEの前であり、またはサブフレームEがアップリンクサブフレームである場合、ダウンリンクサブフレームDがサブフレームEの前であり、Nが、少なくとも、端末によるアップリンクスケジューリング情報の受信と、端末による、アップリンクスケジューリング情報に対応するアップリンクデータの送付の間で離間されるサブフレームの数であるアップリンクスケジューリング送付モジュールとを含む。
【００２４】
本発明のさらに別の態様によると、アップリンクスケジューリング情報を受信するための方法が提供され、この方法は、
端末によって、第1のキャリア上のダウンリンクサブフレームD上で、基地局によって送られた、第2のキャリア上のアップリンクサブフレームCのアップリンクスケジューリング情報を受信するステップであって、
第1のキャリア上のサブフレームEに対応する時間とアップリンクサブフレームCに対応する時間の間の間隔が、スケジューリング間隔、すなわちN個のサブフレームであり、サブフレームEがダウンリンクサブフレームである場合、ダウンリンクサブフレームDおよびサブフレームDが、同じ時間のサブフレームであり、もしくはダウンリンクサブフレームDがサブフレームEの前であり、または
サブフレームEがアップリンクサブフレームである場合、ダウンリンクサブフレームDがサブフレームEの前であり、Nが、少なくとも、端末によるアップリンクスケジューリング情報の受信と、端末による、アップリンクスケジューリング情報に対応するアップリンクデータの送付の間で離間されるサブフレームの数であるステップと、
端末によって、第2のキャリア上のアップリンクサブフレームC上で、アップリンクスケジューリング情報に対応するアップリンクデータを、受信したアップリンクスケジューリング情報に従って、基地局に送るステップとを含む。
【００２５】
本発明のさらに別の態様によると、アップリンクスケジューリング情報を受信するための装置が提供され、この装置は、
第1のキャリア上のダウンリンクサブフレームD上で、基地局によって送られた、第2のキャリア上のアップリンクサブフレームCのアップリンクスケジューリング情報を受信するように構成されたアップリンクスケジューリング受信モジュールであって、第1のキャリア上のサブフレームEに対応する時間と、アップリンクサブフレームCに対応する時間の間の間隔が、スケジューリング間隔、すなわちN個のサブフレームであり、サブフレームEがダウンリンクサブフレームである場合、ダウンリンクサブフレームDおよびサブフレームEが、同じ時間のサブフレームであり、もしくはダウンリンクサブフレームDがサブフレームEの前であり、またはサブフレームEがアップリンクサブフレームである場合、ダウンリンクサブフレームDがサブフレームEの前であり、Nが、少なくとも、端末によるアップリンクスケジューリング情報の受信と、端末による、アップリンクスケジューリング情報に対応するアップリンクデータの送付の間で離間されるサブフレームの数であるアップリンクスケジューリング受信モジュールと、
第2のキャリア上のアップリンクサブフレームC上で、アップリンクスケジューリング情報に対応するアップリンクデータを、受信したアップリンクスケジューリング情報に従って、基地局に送るように構成されたアップリンクデータ送付モジュールとを含む。
【００２６】
本発明の実施形態の、アップリンクスケジューリング情報を送るための方法および装置、ならびにアップリンクスケジューリング情報を受信するための方法および装置において、第2のキャリア上のPDCCHが第1のキャリア上で運ばれるとき、および基地局が、第1のキャリア上のダウンリンクサブフレームD上で、第2のキャリア上のアップリンクサブフレームCに対応するアップリンクスケジューリング情報を端末に送るとき、ダウンリンクサブフレームDは、最小スケジューリング間隔、すなわちダウンリンクサブフレームEとアップリンクサブフレームCとの間のN個のサブフレームを満たすダウンリンクサブフレームEであってよく、またはダウンリンクサブフレームEの前であってもよく、最小スケジューリング間隔、すなわちサブフレームとアップリンクサブフレームCとの間のN個のサブフレームを満たすサブフレームがアップリンクサブフレームである場合、ダウンリンクサブフレームDは、最小スケジューリング間隔、すなわちサブフレームとアップリンクサブフレームCとの間のN個のサブフレームを満たすサブフレームの前である。したがって、基地局は、非クロスキャリアスケジューリング中の、アップリンクサブフレームCをスケジュールするための第2のキャリア上のダウンリンクサブフレームに対応する時間において、第1のキャリア上のサブフレームがアップリンクサブフレームであるとき、基地局は、第1のキャリア上で、第2のキャリア上のアップリンクサブフレームCをスケジュールするという技術的問題を解決するように、第1のキャリア上で、第2のキャリア上のPUSCHをスケジュールするためのアップリンクスケジューリング情報を端末に送ることができる。
【００２７】
本発明の実施形態における、または従来技術における技術的解決策をより明らかに説明するために、以下で、実施形態または従来技術を説明するために必要とされる添付の図面を手短に紹介する。明らかに、次の説明における添付の図面は、本発明のいくつかの実施形態を示しており、当業者はやはり、これらの添付の図面から、創造的努力なしで他の図面を導出することができる。
【図面の簡単な説明】
【００２８】
【図１Ａ】本発明によって提供される、ダウンリンクスケジューリング情報を送るための方法の実施形態1を示すフローチャートである。
【図１Ｂ】本発明によって提供される、ダウンリンクスケジューリング情報を送るための方法の実施形態1を示すアプリケーションシナリオ図である。
【図２Ａ】本発明によって提供される、ダウンリンクスケジューリング情報を送るための方法の実施形態2を示すフローチャートである。
【図２Ｂ】本発明によって提供される、ダウンリンクスケジューリング情報を送るための方法の実施形態2を示すアプリケーションシナリオ図である。
【図３Ａ】本発明によって提供される、ダウンリンクスケジューリング情報を送るための方法の実施形態3を示すフローチャートである。
【図３Ｂ】本発明によって提供される、ダウンリンクスケジューリング情報を送るための方法の実施形態3を示すアプリケーションシナリオ図である。
【図４Ａ】本発明によって提供される、ダウンリンクスケジューリング情報を送るための方法の実施形態4を示すフローチャートである。
【図４Ｂ】本発明によって提供される、ダウンリンクスケジューリング情報を送るための方法の実施形態4を示すアプリケーションシナリオ図である。
【図４Ｃ】本発明によって提供される、ダウンリンクスケジューリング情報を送るための方法の実施形態5を示すフローチャートである。
【図４Ｄ】本発明によって提供される、ダウンリンクスケジューリング情報を送るための方法の実施形態5を示すアプリケーションシナリオ図である。
【図５Ａ】本発明によって提供される、アップリンクスケジューリング情報を送るための方法の実施形態1を示すフローチャートである。
【図５Ｂ】本発明によって提供される、アップリンクスケジューリング情報を送るための方法の実施形態1を示すアプリケーションシナリオ図である。
【図６Ａ】本発明によって提供される、アップリンクスケジューリング情報を送るための方法の実施形態2を示すフローチャートである。
【図６Ｂ】本発明によって提供される、アップリンクスケジューリング情報を送るための方法の実施形態2を示すアプリケーションシナリオ図である。
【図７Ａ】本発明によって提供される、アップリンクスケジューリング情報を送るための方法の実施形態3を示すフローチャートである。
【図７Ｂ】本発明によって提供される、アップリンクスケジューリング情報を送るための方法の実施形態3を示すアプリケーションシナリオ図である。
【図８】本発明によって提供される、アップリンクスケジューリング情報を送るための方法の実施形態4を示すフローチャートである。
【図９】本発明によって提供される、ダウンリンクスケジューリング情報を送るための装置の実施形態1を示す概略構造図である。
【図１０】本発明によって提供される、アップリンクスケジューリング情報を送るための装置の実施形態1を示す概略構造図である。
【図１１】本発明によって提供される、ダウンリンクスケジューリング情報を受信するための方法の実施形態1を示すフローチャートである。
【図１２Ａ】本発明によって提供される、ダウンリンクスケジューリング情報を受信するための装置の実施形態1を示す概略構造図である。
【図１２Ｂ】本発明によって提供される、ダウンリンクスケジューリング情報を受信するための装置の実施形態2を示す概略構造図である。
【図１３】本発明によって提供される、アップリンクスケジューリング情報を受信するための方法の実施形態1を示すフローチャートである。
【図１４Ａ】本発明によって提供される、アップリンクスケジューリング情報を受信するための装置の実施形態1を示す概略構造図である。
【図１４Ｂ】本発明によって提供される、アップリンクスケジューリング情報を受信するための装置の実施形態2を示す概略構造図である。
【図１５】本発明によって提供される、干渉セルを有するPDCCHの送付をスイッチオフするための方法による、マクロセルとマイクロセルとの間のPDCCH干渉の解決を示すアプリケーションシナリオ図である。
【図１６Ａ】本発明によって提供される、ダウンリンクスケジューリング情報を送るための方法の実施形態6を示すフローチャートである。
【図１６Ｂ】本発明によって提供される、ダウンリンクスケジューリング情報を送るための方法の実施形態6を示すアプリケーションシナリオ図である。
【図１６Ｃ】本発明によって提供される、ダウンリンクスケジューリング情報を送るための方法の実施形態6を示すアプリケーションシナリオ図である。
【図１６Ｄ】本発明によって提供される、ダウンリンクスケジューリング情報を送るための方法の実施形態6を示すアプリケーションシナリオ図である。
【図１７Ａ】本発明によって提供される、ダウンリンクスケジューリング情報を送るための方法の実施形態7を示すフローチャートである。
【図１７Ｂ】本発明によって提供される、ダウンリンクスケジューリング情報を送るための方法の実施形態7を示すアプリケーションシナリオ図である。
【図１７Ｃ】本発明によって提供される、ダウンリンクスケジューリング情報を送るための方法の実施形態7の別のアプリケーションシナリオ図である。
【図１８】本発明によって提供される、ダウンリンクスケジューリング情報を受信するための方法の実施形態2を示すフローチャートである。
【図１９Ａ】本発明によって提供される、アップリンクスケジューリング情報を送るための方法の実施形態5を示すフローチャートである。
【図１９Ｂ】本発明によって提供される、アップリンクスケジューリング情報を送るための方法の実施形態5を示すアプリケーションシナリオ図である。
【図２０】本発明によって提供される、アップリンクスケジューリング情報を受信するための方法の実施形態2を示すフローチャートである。
【図２１】本発明によって提供される、ダウンリンクスケジューリング情報を送るための装置の実施形態2を示す概略構造図である。
【図２２】本発明によって提供される、ダウンリンクスケジューリング情報を受信するための装置の実施形態3を示す概略構造図である。
【図２３】本発明によって提供される、アップリンクスケジューリング情報を送るための装置の実施形態2を示す概略構造図である。
【図２４】本発明によって提供される、アップリンクスケジューリング情報を受信するための装置の実施形態3を示す概略構造図である。
【発明を実施するための形態】
【００２９】
本発明の実施形態の目的、技術的解決策、および利点を、より理解できるようにするために、以下で、本発明の実施形態における技術的解決策を、本発明の実施形態において添付の図面を参照して明白および完全に説明する。明らかに、記載する実施形態は、本発明の実施形態のすべてではなく、一部にすぎない。本発明の実施形態に基づいて当業者によって創造的努力なしに得られるすべての他の実施形態は、本発明の保護範囲内に収まるものである。
【００３０】
図1Aは、本発明によって提供される、ダウンリンクスケジューリング情報を送るための方法の実施形態1のフローチャートである。図1Aに示すように、本実施形態は、次のようなステップを含む。
【００３１】
ステップ11:基地局が、第2のキャリア上のダウンリンクサブフレーム中で、第1のダウンリンクサブフレームを判断し、第1のダウンリンクサブフレームに対応する時間において、第1のキャリア上のサブフレームはアップリンクサブフレームである。
【００３２】
クロスキャリアPDCCHスケジューリングとは、別のキャリア上のキャリアに対応するPDCCHを送ることである。PDCCH中で運ばれる情報は、DL_grantでもUL_grantでもよく、それぞれ、PDSCHまたはPUSCHの時間周波数リソース割当てを示すスケジューリング情報を搬送する。キャリア上のダウンリンクサブフレームは、キャリア上にダウンリンクスケジューリング情報およびアップリンクスケジューリング情報を運ぶのに使われる。マルチキャリアアグリゲーション中、本発明の実施形態では、別のキャリアに対応するPDCCHを運ぶキャリアは第1のキャリアと呼ばれ、別のキャリアは、第2のキャリアと呼ばれる。同じ時間における、第1のキャリアおよび第2のキャリア上の2つのサブフレームは、同じ時間をもつサブフレームと呼ばれ、異なる時間における2つのサブフレームは、クロスサブフレームと呼ばれる。
【００３３】
PDCCHが第2のキャリア上で運ばれるとき、第2のキャリア上のダウンリンクサブフレームは、キャリア上でダウンリンクスケジューリング情報およびPDSCHを運ぶのに使われる。マルチキャリアアグリゲーション中に、第2のキャリア上のPDCCHが第1のキャリア上で運ばれる(クロスキャリアスケジューリング)ときに、第1のキャリア上の同じ時間をもつとともに、第2のキャリア上のダウンリンクサブフレームに対応するサブフレームがアップリンクサブフレームである場合、第2のキャリア上のダウンリンクサブフレームに対応するダウンリンクスケジューリング情報(つまり、第2のキャリア上のダウンリンクサブフレームによって運ばれるPDSCHをスケジュールするのに使われるダウンリンクスケジューリング情報)は、第1のキャリアに対応する同じ時間をもつサブフレーム上で送られ得ないので、第2のキャリア上でのダウンリンクスケジューリングは、第1のキャリア上で実装することはできない。第2のキャリア上のダウンリンクサブフレームに対応するダウンリンクスケジューリング情報が第1のキャリア上で送られることを可能にするために、基地局は、第1のキャリア上の同じ時間をもつとともに第2のキャリア上の各ダウンリンクサブフレームに対応するサブフレームがアップリンクサブフレームであるかどうか判断する必要がある。本発明の実施形態において、第1のキャリア上の同じ時間であるとともに、第2のキャリア上の第1のダウンリンクサブフレームの時間をもつサブフレームは、アップリンクサブフレームであり、第1のキャリアと、第2のキャリア上の第2のダウンリンクサブフレームとの同じ時間をもつサブフレームは、ダウンリンクサブフレームである。
【００３４】
第2のキャリア上のダウンリンクスケジューリング情報を、第1のキャリアに対応する同じ時間をもつサブフレーム上で送ることができないシナリオが、以下で、LTE TDDシステムにおける、PDCCH&PDSCHと第1のキャリアのアップリンクACK/NACKとの間のタイミング関係、およびPDCCH&PDSCHと第2のキャリアのアップリンクACK/NACKとの間のタイミング関係と組み合わせて示される。図1Bに示す、PDCCH&PDSCHとアップリンクACK/NACKとの間のタイミング関係において、DL_grantと、DL_grantによってスケジュールされるPDSCHは、同じ時間をもつサブフレーム上に配置され、PDSCHと、PDSCHに対応するアップリンクACK/NACKは、同じ時間をもつサブフレーム上には配置されず、数字が置かれたサブフレームはアップリンクサブフレームであり、すべての他のサブフレームはダウンリンクサブフレームである。アップリンクサブフレーム中の数字は、ダウンリンクサブフレームのPDSCHに対応するアップリンクACK/NACKが現在のアップリンクサブフレーム上でフィードバックされる必要があるダウンリンクサブフレームを示す。第1のキャリアを一例としてとり上げると、アップリンクサブフレーム2中の数字は、前の無線フレームのダウンリンクサブフレーム6上のPDSCHに対応するアップリンクACK/NACKが、アップリンクサブフレーム2上でフィードバックされる必要があり、ダウンリンクサブフレーム6が、次の無線フレームのアップリンクサブフレーム2上のACK/NACKに対応するPDSCHを運び、そのPDSCHのDL_grantをスケジュールすることを示す。アップリンクACK/NACKは、スケジューリングを実施する、対応するダウンリンクサブフレームによってフィードバックされるACK/NACK情報である。
【００３５】
図1Bに示すように、第2のキャリア上のダウンリンクサブフレーム3、4、8および9の時間と同じ時間における第1のキャリア上のサブフレームは、アップリンクサブフレームであり、すなわち、第1のキャリアおよび第2のキャリアのアップリンクおよびダウンリンク構成は異なる。したがって、クロスキャリアスケジューリング中に、第2のキャリアのダウンリンクサブフレーム3、4、8および9に対応するダウンリンクスケジューリング情報は、第1のキャリア上では送ることができない。第1のキャリア上の同じ時間をもつとともに、第2のキャリアのダウンリンクサブフレーム3、4、8および9の時間の、すべての対応するサブフレームは、アップリンクサブフレームであり、本発明の実施形態では、第2のキャリアの第1のダウンリンクサブフレームと呼ばれる。第1のキャリア上の同じ時間をもつとともに、第2のキャリアのダウンリンクサブフレーム0、1、5および6の時間の、すべての対応するサブフレームは、ダウンリンクサブフレームであり、本発明の実施形態では、第2のキャリアの第2のダウンリンクサブフレームと呼ばれる。
【００３６】
ステップ12:基地局が、第1のキャリア上の第5のダウンリンクサブフレーム上で、第2のキャリア上の第1のダウンリンクサブフレームに対応するダウンリンクサブフレーム情報を端末に送り、第5のダウンリンクサブフレームに対応する時間は、第1のダウンリンクサブフレームに対応する時間の前である。
【００３７】
第1のキャリア上の同じ時間をもち、第2のキャリア上の第2のダウンリンクサブフレームに対応するサブフレームも、ダウンリンクサブフレームなので、第2のキャリア上の第2のダウンリンクサブフレームに対応するダウンリンクスケジューリング情報は、第1のキャリア上の同じ時間をもつ、対応するサブフレーム上で直接送られ得る。第2のキャリア上の第1のダウンリンクサブフレームに対応するダウンリンクスケジューリング情報は、第1のキャリア上のダウンリンクサブフレーム上に適合され、運ばれる必要がある。したがって、第1のダウンリンクサブフレームが第2のキャリア上に存在すると基地局が判断すると、第1のダウンリンクサブフレームの時間の前の時間である、第1のキャリア上のダウンリンクサブフレームが判断され、第2のキャリア上の第1のダウンリンクサブフレームに対応するダウンリンクスケジューリング情報は、第1のダウンリンクサブフレームの時間の前の時間である、第1のキャリア上のダウンリンクサブフレーム上のどの1つのダウンリンクサブフレーム上にも適合され、運ばれる。本発明の実施形態において、第2のキャリア上の第1のダウンリンクサブフレームに対応するダウンリンクスケジューリング情報を運ぶのに使われる、第1のキャリア上のダウンリンクサブフレームは、第1のキャリア上の第5のダウンリンクサブフレームと呼ばれる。第2のキャリア上の第1のダウンリンクサブフレームに対応するダウンリンクスケジューリング情報は、第1のキャリア上の第5のダウンリンクサブフレーム上に適合され、運ばれ、基地局は、シグナリングによる適合の後、サブフレームの間の時間シーケンス関係を端末に通知することができ、端末用のサブフレームの間のタイミング関係を構成することもでき、そうすることによって、端末は、サブフレームの間のタイミング関係によるダウンリンクスケジューリング情報を受信し、対応するACK/NACKで返答する。さらに、基地局は、第1のキャリアのダウンリンクスケジューリング情報の中にサブフレームインジケータフィールドを追加することもでき、サブフレームインジケータフィールドは、クロスキャリア方式で、ダウンリンクスケジューリング情報によってスケジュールされる第2のキャリア上のダウンリンクサブフレームを示すのに、すなわち、クロスキャリア方式でダウンリンクスケジューリング情報によってスケジュールされるダウンリンクデータが置かれる、第2のキャリア上のダウンリンクサブフレームを示すのに使われる。具体的な指示方法については、図17Aに対応する実施形態における説明に対して参照が行われる。
【００３８】
図1Bに示すように、第2のキャリアのダウンリンクサブフレーム3および4に対応するDL-grantは、クロスサブフレーム方式で、第1のキャリア上のダウンリンクサブフレーム0または1に適合させ、運ぶことができ、第2のキャリアのダウンリンクサブフレーム8および9に対応するDL-Grantは、クロスサブフレーム方式で、第1のキャリア上のダウンリンクサブフレーム5または6に適合させることができる。
【００３９】
その上、基地局はさらに、第2のキャリア上の第2のダウンリンクサブフレームに対応するダウンリンクスケジューリング情報を、サブフレームに入れて同じ時間方式で送り、第1のキャリアアップリンク上のダウンリンクサブフレームに対応するダウンリンクスケジューリング情報を、サブフレームに入れて同じ時間方式で、第1のキャリア上の第5のダウンリンクサブフレーム上で端末に送る。
【００４０】
端末が関係する限り、多くとも2つのPDCCHが、第1のキャリア上の各ダウンリンクサブフレーム上で送られ、第2のキャリア上の第1のダウンリンクサブフレームによって運ばれるダウンリンクスケジューリング情報が第1のキャリア上のダウンリンクサブフレームに適合された後、1つのダウンリンクサブフレームは、3つより多いPDCCHを送ることができる。3つより多いPDCCHが、第1のキャリア上の1つのダウンリンクサブフレーム上で送られるとき、これらのPDCCHは、3つのタイプに分けられ、あるタイプは、第1のキャリア上のダウンリンクサブフレームのPDSCHをスケジュールするのに使われ、別のタイプは、第2のキャリア上の同じ時間をもつサブフレームに対応するPDSCHをスケジュールするのに使われ、さらに別のタイプは、第2のキャリア上のクロスサブフレームに対応するPDSCHをスケジュールするのに使われる。サブフレームのPDCCH負荷を考慮しない状況の下で、第2のキャリア上の複数のPDSCHは、スケジュールされるべきクロスサブフレーム方式で、第1のキャリア上のダウンリンクサブフレームに適合され得る。
【００４１】
基地局が、第1のキャリア上にあるとともに第1のダウンリンクサブフレームの時間の前の時間におけるダウンリンクサブフレーム上で、端末にPDCCHを送るとき、独立スケジューリング方式を採用することができ、または共同スケジューリング方式を採用することもできる。独立スケジューリング中、対応するPDSCHをスケジュールするためのダウンリンクスケジューリング情報は、複数の独立PDCCHを通して端末に別々に送られる。具体的には、第1のキャリアのダウンリンクサブフレーム上で、第2のキャリア上の第1のダウンリンクサブフレームによって運ばれるダウンリンクスケジューリング情報は、PDCCHを通してクロスサブフレーム方式で端末に送られ、第2のキャリア上の第2のダウンリンクサブフレームによって運ばれるダウンリンクスケジューリング情報は、別のPDCCHを通して、同じ時間方式を用いてサブフレーム中で端末に送られ、次いで、第1のキャリア上のダウンリンクスケジューリング情報は、別のPDCCHを通して端末に送られる。第1のキャリア上のダウンリンクサブフレームが、クロスサブフレームダウンリンク方式で、第2のキャリア上に複数のPDSCHをスケジュールする場合、対応するPDSCHは、複数の独立PDCCHを通してクロスサブフレームダウンリンク方式で別々にスケジュールされる。
【００４２】
基地局が、第1のキャリア上のダウンリンクサブフレーム上で複数のPDSCHを共同スケジュールするとき、クロスキャリア方式で第2のキャリア上のPDSCHをスケジュールするためのダウンリンクスケジューリング情報は、PDCCHを採用することによって運ばれ、すなわち、クロスサブフレームダウンリンク方式でスケジュールされるPDSCHと、同じ時間ダウンリンク方式でサブフレーム中にスケジュールされるPDSCHは、PDCCHを共有する。このとき、2つのサブフレームのスケジューリングは、PDCCH中の制御情報を共有する。第1のキャリアによってスケジュールされるPDSCHについて、別の独立PDCCHを採用することによって、PDSCHのダウンリンクスケジューリング情報が運ばれる。
【００４３】
本発明の実施形態の、ダウンリンクスケジューリング情報を送るための方法において、第1のキャリアが、第2のキャリア上のPDCCHを運ぶとき、第2のキャリア上のPDSCHが第1のキャリア上にクロスキャリア方式でスケジュールされるために、基地局は、第1のキャリア上の第5のダウンリンクサブフレーム上で、第1のキャリア上の同じ時間をもつサブフレームがアップリンクサブフレームである第2のキャリア上の第1のダウンリンクサブフレームに対応するダウンリンクスケジューリング情報を送る。したがって、クロスキャリアPDCCHスケジューリングのとき、基地局は、第1のキャリア上で、第2のキャリア上のPDSCHをスケジュールするためのダウンリンクスケジューリング情報を送ることができる。
【００４４】
図2Aは、本発明によって提供される、ダウンリンクスケジューリング情報を送るための方法の実施形態2を示すフローチャートである。基地局によるダウンリンクスケジューリング情報の送付から、端末による、対応するPDSCHの受信までの遅延を最小限にするために、図2Aに示すように、本実施形態は、次のようなステップを含む。
【００４５】
ステップ21:基地局が、第2のキャリア上のダウンリンクサブフレーム中で、第1のダウンリンクサブフレームを判断し、第1のダウンリンクサブフレームに対応する時間において、第1のキャリア上のサブフレームはアップリンクサブフレームである。
【００４６】
ステップ22:基地局が、第1のキャリア上の第5のダウンリンクサブフレーム上で、第2のキャリア上の第1のダウンリンクサブフレームに対応するダウンリンクサブフレーム情報を端末に送り、第5のダウンリンクサブフレームに対応する時間と、第1のダウンリンクサブフレームに対応する時間との間の遅延が最小であり、第5のダウンリンクサブフレームに対応する時間は、第1のダウンリンクサブフレームに対応する時間の前である。
【００４７】
本実施形態では、第1のキャリア上で、第5のダウンリンクサブフレームに対応する時間と、第1のダウンリンクサブフレームに対応する時間との間の遅延は最小であり、第5のダウンリンクサブフレームに対応する時間は、第1のダウンリンクサブフレームに対応する時間の前である。基地局は、第1のキャリア上の第5のダウンリンクサブフレーム上で、第2のキャリア上の第1のダウンリンクサブフレームに対応するダウンリンクスケジューリング情報をクロスサブフレーム方式で端末に送り、ここで第5のダウンリンクサブフレームに対応する送付時間から、第2のキャリア上の第1のダウンリンクサブフレームに対応する時間までの遅延は最小である。さらに、基地局は、第2のキャリア上の第2のダウンリンクサブフレームに対応するダウンリンクスケジューリング情報と、第1のキャリア上のダウンリンクサブフレームに対応するダウンリンクスケジューリング情報とを、端末にさらに送る。
【００４８】
スケジューリング遅延を最小限にすることを考慮すると、図2Bに示すように、ステップ22によって提供される送付方法によると、第2のキャリア上のダウンリンクサブフレーム3に対応するDL-Grantは、第1のキャリアのダウンリンクサブフレーム1上に適合され、送られ、すなわち、基地局が、第1のキャリアのダウンリンクサブフレーム1上で、DL-Grantを、第2のキャリア上のダウンリンクサブフレーム3によって運ばれるPDSCHをスケジュールするように送り、端末は、第2のキャリアのダウンリンクサブフレーム3上で、第1のキャリアのダウンリンクサブフレーム1上でスケジュールされたPDSCHを受信する。ダウンリンクサブフレーム1とダウンリンクサブフレーム3との間の遅延が最小なので、基地局によるDL-Grantの送付から、端末による、DL-GrantによってスケジュールされるPDSCHの受信までの遅延が最小である。同様に、第2のキャリア上のダウンリンクサブフレーム4に対応するDL-Grantは、第1のキャリアのダウンリンクサブフレーム1に適合され、送られる。第2のキャリア上のダウンリンクサブフレーム8および9に対応するDL-Grantは、第1のキャリアのダウンリンクサブフレーム6に適合され、送られる。
【００４９】
本実施形態では、第2のキャリア上の第1のダウンリンクサブフレームに対応するダウンリンクスケジューリング情報が、第1のダウンリンクサブフレームの時間の前の時間に、クロスサブフレーム方式で第1のキャリア上のダウンリンクサブフレームに適合され、送られると、基地局によるPDCCHの送付から、端末によるPDSCHの受信までの遅延の最小化が考慮され、基地局は、クロスサブフレーム方式で、第2のキャリア上の第1のダウンリンクサブフレームに対応するダウンリンクスケジューリング情報を、第1のキャリア上のダウンリンクサブフレーム上に適合させ、ダウンリンクサブフレームに対応する送付時間から、第2のキャリア上の第1のダウンリンクサブフレームに対応する時間までの遅延は最小である。
【００５０】
図3Aは、本発明によって提供される、ダウンリンクスケジューリング情報を送るための方法の実施形態3を示すフローチャートである。スケジューリング遅延が最小限にされた後、第1のキャリア上のダウンリンクサブフレーム上のPDCCH負荷が不平衡になり得ることを考慮し、スケジューリング遅延の最小化と、PDCCH負荷の平衡との間で妥協するために、図3Aに示すように、本実施形態は、次のようなステップを含む。
【００５１】
ステップ31:基地局が、第2のキャリア上のダウンリンクサブフレーム中で、第1のダウンリンクサブフレームを判断し、第1のダウンリンクサブフレームに対応する時間において、第1のキャリア上のサブフレームはアップリンクサブフレームである。
【００５２】
ステップ32:基地局が、第1のキャリア上の第5のダウンリンクサブフレーム上で、第2のキャリア上の第1のダウンリンクサブフレームに対応するダウンリンクサブフレーム情報を端末に送り、第5のダウンリンクサブフレームに対応する時間は、第1のダウンリンクサブフレームに対応する時間の前であり、第5のダウンリンクサブフレームは、第2のキャリア上の多くとも1つの第1のダウンリンクサブフレームに対応するダウンリンクスケジューリング情報を運ぶ。
【００５３】
ステップ32では具体的には、基地局が、第1のキャリア上の第7のダウンリンクサブフレーム上で、第2のキャリア上の第1のダウンリンクサブフレームに対応するダウンリンクスケジューリング情報を端末に送り得る。さらに、基地局は、第2のキャリア上の第2のダウンリンクサブフレームに対応するダウンリンクスケジューリング情報と、第1のキャリア上のダウンリンクサブフレームに対応するダウンリンクスケジューリング情報とを、端末にさらに送る。
【００５４】
スケジューリング遅延の最小化を採用することによる、クロスサブフレーム適合のための方法を考慮すると、次のような現象が起こり得る。すなわち、第1のキャリア上の1つのダウンリンクサブフレームが、3つより多いPDSCHのダウンリンクスケジューリング情報を運ぶことができ、2つのPDSCHのダウンリンクスケジューリング情報を運ぶだけの別のダウンリンクサブフレームが、第1のキャリア上に存在してよく、すなわち、ダウンリンクスケジューリング情報は第1のキャリアによって運ばれ、PDSCHのダウンリンクスケジューリング情報は、第2のキャリア上の同じ時間ダウンリンク方式を用いるサブフレーム中でスケジュールされる。したがって、第1のキャリア上のダウンリンクサブフレームのPDCCH負荷は不平衡になる。
【００５５】
図2Bに示すように、ステップ22で、基地局は、第1のキャリア上でダウンリンクスケジューリング情報を送り、4つのPDSCHのDL-Grant、すなわち、第1のキャリアのダウンリンクサブフレーム1上のDL-Grant、第2のキャリア上の同じ時間をもつサブフレーム(第1のキャリアのダウンリンクサブフレーム1)に対応するDL-Grant、第2のキャリア上のクロスサブフレーム(第1のキャリアのダウンリンクサブフレーム3)に対応するDL-Grant、およびクロスサブフレームである、第2のキャリア上のダウンリンクサブフレーム4上のDL-Grantは、第1のキャリアのダウンリンクサブフレーム1上で運ばれる必要がある。第1のキャリアのダウンリンクサブフレーム0は、2つのPDSCHのDL-Grant、すなわち、第1のキャリアのダウンリンクサブフレーム0上のDL-Grant、および第2のキャリア上の同じ時間であるとともに第1のキャリアのダウンリンクサブフレーム0の時間をもつサブフレーム上のDL-Grantを運ぶだけでよい。同様に、4つのPDSCHのDL-Grantは、第1のキャリアのダウンリンクサブフレーム6上で運ばれる必要があるが、第1のキャリアのダウンリンクサブフレーム5は、2つのPDSCHのDL-Grantを運ぶだけでよい。したがって、第1のキャリアのダウンリンクサブフレーム1およびダウンリンクサブフレーム6に対する負荷は最大であり、ダウンリンクサブフレーム0およびダウンリンクサブフレーム5に対する負荷は最小なので、第1のキャリア上のダウンリンクサブフレームのPDCCH負荷は不平衡である。
【００５６】
図3Bに示すように、ステップ32によって提供される送付方法によると、第2のキャリアのダウンリンクサブフレーム3上のDL-Grantは、第1のキャリア上のダウンリンクサブフレーム0に適合される。同様に、第2のキャリアのダウンリンクサブフレーム8上のDL-Grantは、第1のキャリア上のダウンリンクサブフレーム5に適合され、第2のキャリアのダウンリンクサブフレーム9上のDL-Grantは、第1のキャリア上のダウンリンクサブフレーム6に適合される。図3Bに示すように、ステップ32の送付方法により、第1のキャリア上の各ダウンリンクサブフレームは、多くとも1つのダウンリンクスケジューリング情報をクロスサブフレーム方式で運ぶ。3つのPDSCHのDL-Grantが、第1のキャリアのダウンリンクサブフレーム0、1、5および6の各々の上で運ばれる。第1のキャリア上のダウンリンクサブフレーム0上で運ばれる、3つのPDSCHのDL-Grantはそれぞれ、第1のキャリアのダウンリンクサブフレーム0に対応するDL-grant、第2のキャリアのダウンリンクサブフレーム0に対応するDL-grant、および第2のキャリアのダウンリンクサブフレーム3に対応するDL-grantである。第1のキャリア上のダウンリンクサブフレーム1上で運ばれる、3つのPDSCHのDL-Grantはそれぞれ、第1のキャリアのダウンリンクサブフレーム1に対応するDL-grant、第2のキャリアのダウンリンクサブフレーム1に対応するDL-grant、および第2のキャリアのダウンリンクサブフレーム4に対応するDL-grantである。第1のキャリア上のダウンリンクサブフレーム5によって運ばれる、3つのPDSCHのDL-Grantはそれぞれ、第1のキャリアのダウンリンクサブフレーム5に対応するダウンリンクスケジューリング情報、第2のキャリア上のダウンリンクサブフレーム5に対応するダウンリンクスケジューリング情報、および第2のキャリア上のダウンリンクサブフレーム8に対応するダウンリンクスケジューリング情報である。第1のキャリア上のダウンリンクサブフレーム6によって運ばれる、3つのPDSCHのDL-Grantはそれぞれ、第1のキャリアのダウンリンクサブフレーム6に対応するダウンリンクスケジューリング情報、第2のキャリア上のダウンリンクサブフレーム6に対応するダウンリンクスケジューリング情報、および第2のキャリア上のダウンリンクサブフレーム9に対応するダウンリンクスケジューリング情報である。第1のキャリア上のダウンリンクサブフレーム0、1、5および6は、本発明の実施形態において、第7のダウンリンクサブフレームと呼ばれる。
【００５７】
クロスキャリアスケジューリングの下で、PDCCHによってPDSCHまたはPUSCHがスケジュールされるキャリアは、区別される必要がある。さらに、クロスキャリアスケジューリングと同一キャリアスケジューリングは、PDCCH中のキャリアインジケータフィールド(Carrier Indicator Field、略してCIF)を通して区別することができるが、従来技術では、クロスキャリアスケジューリングの下で、同時ダウンリンクスケジューリングおよびクロスサブフレームダウンリンクスケジューリングを用いるサブフレームを区別するための方法がない。図3Bに示すように、第1のキャリア上のダウンリンクサブフレーム0によって運ばれる3つのPDSCHのDL-Grantにおいて、第1のキャリアのダウンリンクサブフレーム0によって運ばれる、第2のキャリアのダウンリンクサブフレーム0に対応するDL-grantは、第1のキャリアのダウンリンクサブフレーム0のクロスキャリアスケジューリングの下で、同時ダウンリンクスケジューリングを用いるサブフレームと呼ばれ、第1のキャリアのダウンリンクサブフレーム0によって運ばれる、第2のキャリアのダウンリンクサブフレーム3に対応するDL-grantは、第1のキャリアのダウンリンクサブフレーム0のクロスキャリアスケジューリングの下で、クロスサブフレームダウンリンクスケジューリングと呼ばれる。第1のキャリアのダウンリンクサブフレーム0によって運ばれる、第2のキャリアのダウンリンクサブフレーム0に対応するDL-grantと、第1のキャリアのダウンリンクサブフレーム0によって運ばれる、第2のキャリアのダウンリンクサブフレーム3に対応するDL-grantは、区別される必要があるので、PDCCHを受信した後、端末は、基地局の指示に従って、対応するPDSCHを、第2のキャリアの同じ時間をもつサブフレーム上で受信し、または対応するPDSCHを、第2のキャリア上のクロスサブフレーム上で受信すると判断する。
【００５８】
本発明の実施形態は、第1のキャリア上のダウンリンクサブフレームのクロスキャリアスケジューリングタイプを、主に次のような方法により区別し、すなわち、同時ダウンリンクスケジューリングおよびクロスサブフレームダウンリンクスケジューリングを用いるサブフレームを区別する。
【００５９】
第1のタイプ:区別は、CIFにより行われる。ただ2つのキャリアが構成されている場合、いくつかの冗長性ステータスが、CIFの3ビット中に存在する。たとえば、構成2キャリア上のPDCCHは、クロスキャリア方式で、構成0キャリア上で運ばれ、CIF=000は、構成0同一キャリアがスケジュールされることを示し、CIF=001および010は、構成2クロスキャリアがスケジュールされることを示し、ここで001は、同じ時間0をもつサブフレームのクロスキャリアスケジューリングを示し、010は、クロスサブフレーム3のクロスキャリアスケジューリングを示す。
【００６０】
第2のタイプ:区別は、ACK/NACKリソースインジケータ(ACK/NACK Resource Indicator、略してARI)の送信電力制御(Transmit Power Control、略してTPC)により行われる。
【００６１】
R10システムにおいて、アップリンクおよびダウンリンクの第1のキャリアのペアがある、複数のキャリアがアグリゲートされると、残りのキャリアは第2のキャリアと呼ばれ、ACK/NACKは、アップリンクの第1のキャリア上でのみフィードバックされ得る。ダウンリンクの第2のキャリアがスケジュールされる場合、ダウンリンクの第2のキャリアのPDCCH(S-PDCCH、すなわちSecondary-PDCCH)内のTPCの2ビットをスケジュールすることによって、アップリンクACK/NACKリソースが指示され得る。このとき、TPCは、ACK/NACKリソースインジケータ(ARI)として使われる。具体的には、2ビットは、4つのリソースのうち1つがUEによって使われ、ダウンリンクの第1のキャリアのPDCCH(P-PDCCH、すなわちPrimary-PDCCH)内のTPCが、スケジュールされ、実際の送信電力制御として使われることを示し得る。
【００６２】
ある方式では、ARIにおけるステータスの一部、すなわちACK/NACKリソースが、クロスキャリアスケジューリングの下で、同時ダウンリンクスケジューリングおよびクロスサブフレームダウンリンクスケジューリングを用いるサブフレームを区別するのに採用され、たとえば、ARIのステータス00および01は、同時ダウンリンクスケジューリングを用いるサブフレームを示し、00および01は、同時ダウンリンクスケジューリングを用いるサブフレームの2つの利用可能ACK/NACKリソースを示し、ARIのステータス10は、クロスサブフレームダウンリンクスケジューリングを示し、10は、クロスサブフレームダウンリンクスケジューリングのACK/NACKリソースを示し、ARIのステータス11は、同時である同時ダウンリンクスケジューリングおよびクロスサブフレームダウンリンクスケジューリングを用いるサブフレームを示し、ステータス11は、同時ダウンリンクスケジューリングおよびクロスサブフレームダウンリンクスケジューリングを用いるサブフレームのACK/NACKリソースを示す。具体的には、同時ダウンリンクスケジューリングを用いるサブフレームのACK/NACKおよびクロスサブフレームダウンリンクスケジューリングのACK/NACKは、同じアップリンクサブフレーム上でフィードバックされ、ステータス11は、同時ダウンリンクスケジューリングおよびクロスサブフレームダウンリンクスケジューリングを用いるサブフレームによって共有されるACK/NACKリソースを示すことができ、同時ダウンリンクスケジューリングを用いるサブフレームのACK/NACKおよびクロスサブフレームダウンリンクスケジューリングのACK/NACKが、異なるアップリンクサブフレーム上でフィードバックされるとき、ステータス11は、同時ダウンリンクスケジューリングおよびクロスサブフレームダウンリンクスケジューリングを用いるサブフレームの、それぞれの2つのACK/NACKリソースを示し得る。
【００６３】
他の方式では、TPCフィールドを使うことによって区別が直接行われ、電力は、前のPDCCHに基づいて、または他の方式で調節され得る。
【００６４】
第3のタイプ:区別は、DL_grant中のダウンリンク割当て指示(Downlink Assignment Indication、略してDL DAI)により行われる。
【００６５】
一例としてDL DAIをとり上げると、R10 TDD CAの下でのアップリンクACK/NACK用に、2つの送信モードが存在し、一方の送信モードは、PUCCH format 3と呼ばれ、20ビット以下のACK/NACKを送信するために使うことができ、このとき、DL_grant中のDAIの2ビットが冗長である。たとえば、2つのアップリンクおよびダウンリンク構成2キャリアがアグリゲートされる場合、ACK/NACKの8ビットは、サブフレーム2上でフィードバックされる必要がある(複数のコードワードを採用することによって送信が行われる場合、同じPDSCHに対応する2つのコードワードのACK/NACKは、結合フィードバック方式を採用する)。他方の送信モードは、PUCCH format 1a/1b+チャネル選択と呼ばれ、4ビット以下のACK/NACKを送信するために使うことができる。ACK/NACKのオリジナルビットの数またはコードワード結合の後のオリジナルビットの数が4以下の場合、PUCCH format 1a/1b+チャネル選択が直接採用され、このとき、DL_grant中のDAIの2ビットも冗長であり、ACK/NACKのオリジナルビットの数またはコードワード結合の後のオリジナルビットの数が4よりも大きいとき、ACK/NACKのビットの数は、時間領域部結合を採用することによって、4以下になる可能性がある。たとえば、2つのアップリンクおよびダウンリンク構成2キャリアがアグリゲートされる場合、ACK/NACKの8ビットは、サブフレーム2上でフィードバックされる必要がある(コードワード結合が採用された後)。このとき、各キャリアの異なるサブフレームのACK/NACKは、時間領域方式で2ビットに結合され得るので、2つのキャリアに対して全部で4ビットがある。続いて、PUCCH format 1a/1b+チャネル選択を使うことによって送信が行われ、このとき、DL_grant中のDAIの2ビットは、各キャリア上の時間における最後のサブフレームのDL_grantが、UEによって検出されないかどうか判断するために使われる。
【００６６】
具体的には、DL DAIによるクロスキャリアスケジューリングの下での同時ダウンリンクスケジューリングおよびクロスサブフレームダウンリンクスケジューリングを用いるサブフレームを区別するための方法は、次のようになる。
【００６７】
a)区別は、DL DAIの2ビットを使うことによって直接行われる。
【００６８】
具体的には、この区別方法では、「01」は、一方のサブフレームがスケジュールされることを示し、「10」は、他方のサブフレームがスケジュールされることを示し、「11」は、2つのサブフレームが同時にスケジュールされることを示す。
【００６９】
b)状況に応じて、考察が行われる。
【００７０】
第2のキャリアのPDCCHは、第1のキャリア上で運ばれると仮定する。
【００７１】
ACK/NACK送信モードがPUCCH format 3であり、または時間領域部結合のチャネル選択が、第2のキャリアのACK/NACKに対して実施されないとき、第2のキャリアのDL DAIの2ビットを直接使うことができ、具体的な方法はa)のようになる。
【００７２】
ACK/NACK送信モードがチャネル選択であり、時間領域部結合が、第2のキャリアのACK/NACKに対しては実施される必要があるが、時間領域部結合が、第1のキャリアのACK/NACKに対しては実施される必要がないとき、第2のキャリアのPDCCH内のDAI(S-DAI、すなわちSecondary-DAI)のスケジューリングおよび第1のキャリアのPDCCH内のDAI(P-DAI、すなわちPrimary-DAI)のスケジューリングを共同で使うことができる。具体的に使われる方法は、次のようになる。
【００７３】
S-DAIは依然として、正常DAIとして使われる。共同スケジューリングが採用されるとき、P-DAIは、同じ時間をもつサブフレームおよびクロスキャリア上のクロスサブフレームのPDSCHスケジューリング状況を指示するために使われ、具体的な方法は、a)でのようになる。UEがP-DAIを受信しない場合、UEは、同じ時間を有するサブフレームおよびクロスキャリア上のクロスサブフレームのPDSCHスケジューリングが受信されていないと考える。独立スケジューリングが採用されているとき、P-DAIとS-DAIが等しい場合、クロスキャリアの同じ時間を有するサブフレームのPDSCHをスケジュールするために、S-DAIのS-PDCCHが使われることが示され、等しくない場合、クロスキャリア上のクロスサブフレームのPDSCHをスケジュールするために、S-DAIのS-PDCCHが使われることが示され、その逆も同様である。同じ時間を有するサブフレームおよびクロスキャリア上のクロスサブフレームのPDSCHが同時にスケジュールされる場合、より小さい値をもつS-DAIは、クロスキャリアの同じ時間を有するサブフレームのPDSCHをスケジュールするために、S-DAIのS-PDCCHが使われることを示し、より大きい値をもつS-DAIは、クロスキャリア上のクロスサブフレームのPDSCHをスケジュールするために、S-DAIのS-PDCCHが使われることを示し、その逆も同様である。UEがP-DAIを受信せず、1つのS-DAIだけを受信する場合、UEは、同じ時間を有するサブフレームおよびクロスキャリア上のクロスサブフレームのPDSCHスケジューリングが受信されていないと考える。
【００７４】
第4のタイプ:PDCCH内の新たに追加された2ビットにより、区別が行われる。
【００７５】
2ビットが新たに追加され、ここで、「01」は、一方のサブフレームがスケジュールされることを示し、「10」は、他方のサブフレームがスケジュールされることを示し、「11」は、2つのサブフレームが同時にスケジュールされることを示す。
【００７６】
第5のタイプ:PDCCH内の新規追加スクランブリングコードにより区別が行われる。
【００７７】
独立スケジューリングが採用される場合、ただ1つのスクランブリングコードが新たに追加される必要があり、オリジナルスクランブリングコードは、同時ダウンリンクスケジューリングを用いるサブフレームを示し、新規追加スクランブリングコードは、クロスサブフレームダウンリンクスケジューリングを示し、逆も成り立つ。
【００７８】
共同スケジューリングが採用される場合、2つのスクランブリングコード1および2が新たに追加される必要があり、オリジナルスクランブリングコードは、同時ダウンリンクスケジューリングを用いるサブフレームを示し、新規追加スクランブリングコード1は、クロスサブフレームダウンリンクスケジューリングを示し、新規追加スクランブリングコード2は、同じ時間を有するサブフレームおよびクロスサブフレームが同時にスケジュールされることを示し、他の組合せも同様に含まれる。
【００７９】
第6のタイプ:上位層シグナリング構成により、区別が行われる。
【００８０】
同時ダウンリンクスケジューリングまたはクロスサブフレームダウンリンクスケジューリングを用いるサブフレームのどちらであろうとも、無線リソース制御(Radio Resource Control、これ以降、略してRRC)シグナリング構成またはメディアアクセス制御(Media Access Control、これ以降、略してMAC)シグナリング構成により採用される。RRCシグナリング構成を一例としてとり上げると、具体的には、ある期間中、RRCシグナリングは、クロスキャリアの同時ダウンリンクスケジューリングを用いるサブフレーム内に半静的に構成することができ、クロスキャリアのクロスサブフレームダウンリンクスケジューリングはサポートされず、またはRRCシグナリングは、クロスサブフレームダウンリンクスケジューリングに半静的に構成することができ、サブフレーム内で、クロスキャリアのクロスサブフレームダウンリンクスケジューリングはサポートされない。
【００８１】
第7のタイプ:PDCCHの検索空間を通して、区別が行われる。
【００８２】
検索空間内でのPDCCHの位置を通して、暗黙的指示が行われる。たとえば、検索空間の一部におけるPDCCHのスケジューリングは、同時ダウンリンクスケジューリングを用いるサブフレームを示し、別の一部におけるスケジューリングは、クロスサブフレームダウンリンクスケジューリングを示し、または同じ時間を有するサブフレームおよびクロスサブフレームが、スケジューリングを同時に実施する。端末は、指定された検索空間位置、または基地局によって構成された検索空間位置を通して、PDCCHブラインド検出を実施し、検索空間のパート1において受信されたPDCCHは、クロスキャリアの同時ダウンリンクスケジューリングを用いるサブフレームを示すことができ、検索空間のパート2において受信されたPDCCHは、クロスキャリアのクロスサブフレームダウンリンクスケジューリングを示すことができ、その逆も成り立つ。
【００８３】
第8のタイプ:PDCCHのスケジューリング時間、または暗黙的PDCCH通知のための他の方法により、区別が行われる。
【００８４】
異なる時間における構成はプリセットしてもよく、基地局によって、UEに対して異なる時間を構成してもよい。たとえば、第1のサブフレームまたは第1の無線フレームにおけるPDCCHのスケジューリングは、同時ダウンリンクスケジューリングを用いるサブフレームを示し、第2のサブフレームまたは第2の無線フレームにおけるPDCCHのスケジューリングは、クロスサブフレームダウンリンクスケジューリングを示し、または同じ時間を有するサブフレームおよびクロスサブフレームが、同時にスケジューリング実施する。
【００８５】
第1〜第5の区別方法において、クロスキャリアスケジューリングタイプを示すのに使われるダウンリンク指示情報は、異なる方式により、ダウンリンクスケジューリング情報の中に追加される。一方、第6〜第8の方法において、基地局とUEは両方とも、情報区別方法で事前構成され、または基地局が、シグナリングにより、UEに対する情報区別方法を構成し、そうすることによって、ダウンリンクスケジューリング情報を受信した後、端末は、区別方法により、現在のクロスキャリアスケジューリングが、同時ダウンリンクスケジューリングを用いるサブフレームか、それともクロスサブフレームダウンリンクスケジューリングを用いるサブフレームであるか区別する。
【００８６】
図4Aは、本発明によって提供される、ダウンリンクスケジューリング情報を送るための方法の実施形態4を示すフローチャートである。第1のキャリア上のダウンリンクサブフレーム上で、同時ダウンリンクスケジューリングおよびクロスキャリアスケジューリングの下でのクロスサブフレームダウンリンクスケジューリングを用いるサブフレームの同時出現を避けるために、図4Aに示すように、本実施形態は、次のようなステップを含む。
【００８７】
ステップ41A:基地局が、第2のキャリア上のダウンリンクサブフレーム中で、第1のダウンリンクサブフレームを判断し、第1のダウンリンクサブフレームに対応する時間において、第1のキャリア上のサブフレームはアップリンクサブフレームである。
【００８８】
ステップ42A:基地局が、第1のキャリア上の第5のダウンリンクサブフレーム上で、第2のキャリア上の第1のダウンリンクサブフレームに対応するダウンリンクスケジューリング情報を端末に送り、第5のダウンリンクサブフレームに対応する時間における第2のキャリア上のサブフレームはアップリンクサブフレームであり、第5のダウンリンクサブフレームに対応する時間は、第1のダウンリンクサブフレームに対応する時間の前である。
【００８９】
本実施形態では、第5のダウンリンクサブフレームに対応する時間において、第2のキャリア上のサブフレームはアップリンクサブフレームであり、第5のダウンリンクサブフレームに対応する時間は、第1のダウンリンクサブフレームに対応する時間の前である。ステップ42Aでは具体的には、基地局は、対応する時間が、第1のダウンリンクサブフレームの対応する時間の前である第1のキャリア上の第5のダウンリンクサブフレーム上で、第2のキャリア上の第1のダウンリンクサブフレームに対応するダウンリンクスケジューリング情報を端末に送り、第2のキャリア上の第2のダウンリンクサブフレームに対応するダウンリンクスケジューリング情報と、第1のキャリア上のダウンリンクサブフレームに対応するダウンリンクスケジューリング情報とを端末に送る。
【００９０】
図4Bに示すように、第1のキャリア上の同じ時間であって、第2のキャリア上のダウンリンクサブフレーム7の時間を有するサブフレームはアップリンクサブフレームであり、第2のキャリア上のダウンリンクサブフレーム7に対応するDL-Grantは、第1のキャリア上のダウンリンクサブフレーム5または6にクロスサブフレーム方式で適合され、運ばれ得る。スケジューリング遅延の最小化が考慮される場合、第2のキャリア上のダウンリンクサブフレーム7に対応するDL-Grantは、第1のキャリア上のダウンリンクサブフレーム6上にクロスサブフレーム方式で適合され、運ばれ得る。このようにして、第1のキャリア上のダウンリンクサブフレーム6上で、同時ダウンリンクスケジューリングを用いるサブフレームが出現し、すなわち第2のキャリア上のダウンリンクサブフレーム6に対応するDL-Grantであり、一方、クロスサブフレームダウンリンクスケジューリングがさらに存在し、すなわち第2のキャリア上のダウンリンクサブフレーム7に対応するDL-Grantである。
【００９１】
第2のキャリア上の同じ時間であって、第1のキャリア上のダウンリンクサブフレームの時間を有するサブフレームはアップリンクサブフレームであり、第1のキャリア上のダウンリンクサブフレームは、第2のキャリア上の同じ時間を有するサブフレームのDL-Grantを運ぶ必要がない。したがって、あるサブフレーム上での、同時ダウンリンクスケジューリングおよびクロスサブフレームダウンリンクスケジューリングを用いるサブフレームの同時出現を避けるために、第2のキャリア上のダウンリンクサブフレームに対応するクロスサブフレームは、第1のキャリア上の別のダウンリンクサブフレームの上に適合されてよく、第2のキャリア上のダウンリンクサブフレームの同じ時間を有するサブフレームは、アップリンクサブフレームである。図4Bに示すように、スケジューリング遅延を最小限にすることを考慮すると、ステップ42Aによって提供される方法に従って、第2のキャリア上のダウンリンクサブフレーム7に対応するDL-Grantは、第1のキャリア上のダウンリンクサブフレーム4に適合され、送られる。第2のキャリア上のサブフレーム4は、アップリンクサブフレームなので、第1のキャリア上のダウンリンクサブフレーム4は、同時ダウンリンクスケジューリングを用いるサブフレームを運ぶ必要はなく、クロスサブフレームダウンリンクスケジューリングを運ぶだけでよく、すなわち、このとき、同時ダウンリンクスケジューリングおよびクロスキャリアのクロスサブフレームダウンリンクスケジューリングを用いるサブフレームは、区別される必要がない。
【００９２】
図4Cは、本発明によって提供される、ダウンリンクスケジューリング情報を送るための方法の実施形態5のフローチャートである。図4Cに示すように、本実施形態は、次のようなステップを含む。
【００９３】
ステップ41B:基地局が、第2のキャリア上のダウンリンクサブフレーム中で、第1のダウンリンクサブフレームを判断し、第1のダウンリンクサブフレームに対応する時間において、第1のキャリア上のサブフレームはアップリンクサブフレームである。
【００９４】
ステップ42B:基地局が、第1のキャリア上の第5のダウンリンクサブフレーム上で、第2のキャリア上の第1のダウンリンクサブフレームに対応するダウンリンクスケジューリング情報を端末に送り、第5のダウンリンクサブフレームに対応する時間は、第1のダウンリンクサブフレームに対応する時間の前であり、第1のキャリア上で、ACK/NACK結合は、第5のダウンリンクサブフレーム上のPDSCHに対応するアップリンクACK/NACKが置かれるサブフレームに対しては実施される必要がない。
【００９５】
図4Dに示すように、第2のキャリア上のサブフレーム4に対応するダウンリンクスケジューリング情報は、第1のキャリア上の同じ時間を有するサブフレーム(アップリンクサブフレーム)上で送ることができず、サブフレーム4に対応するダウンリンクスケジューリング情報は、最小ACK/NACKフィードバック遅延の基準に従って、第1のキャリア上のサブフレーム1に適合させることができる。図3Aに対応する実施形態によって与えられる、同時ダウンリンクスケジューリングおよびクロスキャリアのクロスサブフレームダウンリンクスケジューリングを用いるサブフレームを区別するための送付方法におけるP-DAIとS-DAIの組合せが採用される場合、第1のキャリアのサブフレーム1上のPDSCHに対応するACK/NACKフィードバックサブフレーム2上では、時間領域ACK/NACK部結合は、P-DAIカウンティングを使うように実施される必要がある(このとき、ACK/NACKフィードバックは、2つのキャリア上に存在し、第1のキャリア上でのACK/NACKフィードバックの数は、2よりも大きい)ので、第1のキャリア上のサブフレーム1のP-DAIは使うことができない。したがって、第2のキャリアのサブフレーム4に対応するダウンリンクスケジューリング情報は、第1のキャリア上のサブフレーム0に適合され得る。第1のキャリア上のサブフレーム0のPDSCHに対応するACK/NACKフィードバックサブフレーム4は、時間領域ACK/NACK部結合を実施する必要がないので、P-DAIが利用可能である。
【００９６】
タイミング適合方法により、第1のキャリアをスケジュールするPDCCH内のP-DAIは、S-DAIと一緒に、同時ダウンリンクスケジューリングおよびクロスキャリアのクロスサブフレームダウンリンクスケジューリングを用いるサブフレームを区別するために使うことができる。
【００９７】
図5Aは、本発明によって提供される、アップリンクスケジューリング情報を送るための方法の実施形態1のフローチャートである。図5Aに示すように、本実施形態は、次のようなステップを含む。
【００９８】
ステップ51:基地局が、第2のキャリア上のアップリンクサブフレーム中で、第1のアップリンクサブフレームを判断し、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【００９９】
PDCCHが第2のキャリア上で運ばれるとき、第2のキャリア上のUL_grantと、UL_grantによってスケジュールされるPUSCHとの間のタイミング関係により、第1のアップリンクサブフレームのPUSCHをスケジュールするための、第2のキャリア上のアップリンクスケジューリング情報が、第2のキャリア上の第3のダウンリンクサブフレーム上で送られる。PDCCHが第2のキャリア上で運ばれるとき、第2のアップリンクサブフレーム上で運ばれるPUSCHをスケジュールするための、第2のキャリア上のダウンリンクサブフレームは、第2のキャリア上の第4のダウンリンクサブフレームである。
【０１００】
マルチキャリアアグリゲーション中、第2のキャリア上のPDCCHが第1のキャリアの上に適合され、運ばれる状況の下では、第1のキャリア上のUL_grantと、UL_grantによってスケジュールされるPUSCHとの間のタイミング関係により、第1のキャリア上の第3のダウンリンクサブフレームに対応する同じ時間をもつサブフレームはアップリンクサブフレームであり、第2のキャリア上の第1のアップリンクサブフレームに対応するアップリンクスケジューリング情報(つまり、第2のキャリア上の第1のアップリンクサブフレーム上で運ばれるPUSCHをスケジュールするのに使われるアップリンクスケジューリング情報)は、第1のキャリア上の同じ時間を有するサブフレーム上では送ることができない。第1のキャリア上の同じ時間を有するとともに、第2のキャリア上の第4のダウンリンクサブフレームに対応するサブフレームはダウンリンクサブフレームであり、クロスキャリアスケジューリング中に、第2のアップリンクサブフレームに対応するアップリンクスケジューリング情報は、第1のキャリア上の第4のダウンリンクサブフレームの同じ時間を有するサブフレーム上で直接送ることができる。クロスキャリアスケジューリング中、第2のキャリアをスケジュールするアップリンクスケジューリング情報は、第1のキャリア上で送ることができ、したがって、基地局は、第1のキャリア上の同じ時間を有するとともに、各アップリンクサブフレームをスケジュールするための第2のキャリア上のダウンリンクサブフレームに対応するサブフレームがアップリンクサブフレームであるかどうか判断する必要があり、すなわち、アップリンクサブフレームすべての中で、第1のアップリンクサブフレームが判断され、第1のアップリンクサブフレームのPUSCHをスケジュールするための、第2のキャリア上のアップリンクスケジューリング情報が、要件を満たす、第1のキャリア上のダウンリンクサブフレーム上で送られる。
【０１０１】
第2のキャリア上のアップリンクスケジューリング情報を、第1のキャリアに対応するサブフレーム上で送ることができないというシナリオは、以下で、LTE TDDシステムにおける、UL_grantと、第1のキャリアのUL_grantによってスケジュールされるPUSCHとの間のタイミング関係、ならびにUL_grantと、第2のキャリアのUL_grantによってスケジュールされるPUSCHとの間のタイミング関係と組み合わせて示されている。
【０１０２】
図5Bに示すように、UL_grantと、UL_grantによってスケジュールされるPUSCHとの間のタイミング関係において、数字が置かれているサブフレームはアップリンクサブフレームを示し、残りのサブフレームはダウンリンクサブフレームであり、アップリンクサブフレーム中の数字は、現在のアップリンクサブフレームのPUSCHをスケジュールするUL_grantがその上で送られる1つまたはいくつかのダウンリンクサブフレームを示す。たとえば、第2のキャリアのアップリンクサブフレーム8のPUSCHは、第2のキャリアのダウンリンクサブフレーム4上のUL_grantによりスケジュールされ、第2のキャリアのアップリンクサブフレーム7のPUSCHは、第2のキャリアのダウンリンクサブフレーム1上のUL_grantによりスケジュールされる。第1のキャリア上での同じ時間であって、第2のキャリアのダウンリンクサブフレーム1の時間をもつサブフレームはダウンリンクサブフレームであり、したがって、第2のキャリアのアップリンクサブフレーム7をスケジュールするUL_grantは、第1のキャリアのダウンリンクサブフレーム1上で送ることができる(第1のキャリアのダウンリンクサブフレーム1は、第2のキャリア上のダウンリンクサブフレーム1の同じ時間を有するサブフレームと呼ばれる)。第1のキャリア上での同じ時間であって、第2のキャリアのダウンリンクサブフレーム4の時間をもつサブフレームはアップリンクサブフレームであり、したがって、第2のキャリアのアップリンクサブフレーム8をスケジュールするUL_grantは、第1のキャリア上のアップリンクサブフレーム4上で送ることはできない。第2のキャリアのアップリンクサブフレーム8は、本発明の実施形態では、第2のキャリア上の第1のアップリンクサブフレームと呼ばれ、第2のキャリア上のダウンリンクサブフレーム8をスケジュールするダウンリンクサブフレーム4は、本発明の実施形態では、第2のキャリア上の第3のダウンリンクサブフレームと呼ばれる。
【０１０３】
ステップ52:基地局が、第1のキャリア上の第6のダウンリンクサブフレーム上で、第2のキャリア上の第1のアップリンクサブフレームに対応するアップリンクサブフレーム情報を端末に送り、第6のダウンリンクサブフレームに対応する時間は、第1のアップリンクサブフレームに対応する時間の前である。
【０１０４】
第1のアップリンクサブフレームが第2のキャリア上に存在すると判断した後、基地局は、各第1のアップリンクサブフレームを別々にスケジュールするための、各第3のダウンリンクサブフレームに対応するアップリンクスケジューリング情報を、第1のキャリア上にあるとともに第1のアップリンクサブフレームの時間の前の時間におけるダウンリンクサブフレームの上に適合させる。基地局によるアップリンクスケジューリング情報の送付から、端末による、対応するPUSCHの送付まで、一定の時間だけ離間される必要があり(現在のTDDシステムでは、基地局によるアップリンクスケジューリング情報の送付から、端末による、対応するPUSCHの送付まで、少なくとも4つのサブフレームの時間だけ、離間される必要がある)、したがって、ダウンリンクサブフレームと第1のアップリンクサブフレームとの間は、ある特定の数のサブフレームだけ、さらに離間されるべきであり、サブフレームの数は、基地局によるアップリンクスケジューリング情報の送付から、端末による、対応するPUSCHの送付まで離間される必要があるサブフレームの数である。本実施形態では、第1のアップリンクサブフレームに対応するアップリンクスケジューリング情報を運ぶための、第1のキャリア上のダウンリンクサブフレームは、第1のキャリア上の第6のダウンリンクサブフレームと呼ばれる。
【０１０５】
第2のキャリア上の第1のアップリンクサブフレームによって送られたアップリンクスケジューリング情報が第1のキャリア上の第6のダウンリンクサブフレームの上に適合され、運ばれた後、基地局は、適合後のサブフレームの間の時間シーケンス関係を、シグナリングにより端末に通知することができ、適合後のサブフレームの間のタイミング関係を端末向けに構成することもでき、そうすることによって、クロスキャリアのアップリンクスケジューリング情報を受信した後、端末は、サブフレームの間のタイミング関係により、対応するアップリンクサブフレーム上のアップリンクスケジューリング情報によってスケジュールされたアップリンクデータで返答する。さらに、基地局は、第1のキャリアのアップリンクスケジューリング情報の中にサブフレームインジケータフィールドを追加することもでき、サブフレームインジケータフィールドは、クロスキャリア方式で、アップリンクスケジューリング情報によってスケジュールされる第2のキャリア上のアップリンクサブフレームを示すのに、すなわち、クロスキャリア方式でアップリンクスケジューリング情報によってスケジュールされるアップリンクデータが基地局に送られる第2のキャリア上のアップリンクサブフレームを示すのに使われる。具体的な指示方法については、図19Aに対応する実施形態における説明に対して参照が行われる。
【０１０６】
基地局が、第1のキャリア上の第6のダウンリンクサブフレーム上で、第2のキャリア上の第1のアップリンク/ダウンリンクサブフレームに対応するアップリンクスケジューリング情報を送るとき、基地局は、第2のキャリア上の第2のアップリンクサブフレームに対応するアップリンクスケジューリング情報をさらに送ることができ、基地局は、第1のキャリア上のアップリンクサブフレームに対応するアップリンクスケジューリング情報(第1のキャリア上のアップリンクサブフレームによって運ばれるPUSCHをスケジュールするのに使われるアップリンクスケジューリング情報とも呼ばれる)をさらに送ることができる。
【０１０７】
図5Bに示すように、UL_grantも、UL_grantによってスケジュールされるPUSCHも、PUSCHも、PUSCHに対応するPHICHも、同じ時間を有するサブフレーム上に配置されないが、これは、基地局も端末も一定の処理時間を必要とし、この時間間隔は概して、4つ以上のサブフレームであるからである。基地局によるアップリンクスケジューリング情報の送付から、端末による、対応するPUSCHの送付までの遅延を考慮すると、アップリンクサブフレーム8をスケジュールする、第2のキャリア上のUL_grantは、第1のキャリア上のダウンリンクサブフレーム0またはダウンリンクサブフレーム1の上に適合させ、運ぶことができ、ダウンリンクサブフレーム0またはダウンリンクサブフレーム1は、アップリンクサブフレーム8の前であり、ダウンリンクサブフレーム0またはダウンリンクサブフレーム1とアップリンクサブフレームとの間は、少なくとも4つのサブフレームだけ離間される。
【０１０８】
さらに、第1のキャリア上にあるとともに第1のアップリンクサブフレームの時間の前の時間における第6のダウンリンクサブフレーム上で、基地局は、第2のキャリア上の第2のアップリンクサブフレームに対応するアップリンクスケジューリング情報と、第1のキャリア上のアップリンクサブフレームに対応するアップリンクスケジューリング情報とを、端末にさらに送る。
【０１０９】
基地局が、第1のキャリア上のダウンリンクサブフレーム上で、端末のPUSCHアップリンクデータをスケジュールするとき、独立スケジューリング方式を採用してもよく、共同スケジューリング方式を採用してもよい。独立スケジューリング中、対応するPUSCHをスケジュールするためのアップリンクスケジューリング情報は、複数の独立PDCCHを通して端末に別々に送られる。具体的には、第1のキャリアのダウンリンクサブフレーム上で、第2のキャリア上の第1のアップリンクサブフレームに対応するアップリンクスケジューリング情報、第2のキャリア上の第2のアップリンクサブフレームに対応するアップリンクスケジューリング情報、および第1のキャリア上のアップリンクサブフレームに対応するアップリンクスケジューリング情報が、それぞれ、複数の独立PDCCHを通して、端末にクロスサブフレーム方式で送られる。
【０１１０】
基地局が、第1のキャリア上のダウンリンクサブフレーム上で複数のPUSCHを共同スケジュールするとき、クロスキャリア方式で第2のキャリア上のPUSCHをスケジュールするためのアップリンクスケジューリング情報は、PDCCHを採用することによって運ばれ、すなわち、キャリアアグリゲーションの後、クロスサブフレーム方式でスケジュールされるPUSCHと、同じ時間ダウンリンク方式をもつサブフレーム中でスケジュールされるPUSCHは、PDCCHを共有する。具体的には、第1のキャリアのダウンリンクサブフレーム上で、第2のキャリア上の第1のアップリンクサブフレームに対応するアップリンクスケジューリング情報、および第2のキャリア上の第2のアップリンクサブフレームに対応するアップリンクスケジューリング情報が、PDCCHを通して、端末にクロスサブフレーム方式で送られる。このとき、2つのサブフレームのスケジューリングは、PDCCH中の制御情報を共有する。第1のキャリア上のアップリンクサブフレームに対応するアップリンクスケジューリング情報は、別のPDCCHを通して端末に送られる。
【０１１１】
本発明の実施形態の、アップリンクスケジューリング情報を送るための方法において、第2のキャリア上の物理ダウンリンク制御チャネルが第1のキャリア上で運ばれるとき、基地局は、クロスサブフレーム方式で、第2のキャリア上の第3のダウンリンクサブフレームに対応するアップリンクスケジューリング情報を、第1のキャリア上の第1のアップリンクサブフレームの前の第6のダウンリンクサブフレームの上に適合させ、アップリンクスケジューリング情報を送る。したがって、クロスキャリアPDCCHスケジューリングのとき、第2のキャリア上のPUSCHは、第1のキャリア上でスケジュールされ得る。
【０１１２】
図6Aは、本発明によって提供される、アップリンクスケジューリング情報を送るための方法の実施形態2のフローチャートである。基地局によるアップリンクスケジューリング情報の送付から、端末による、対応するPUSCHの送付までの待ち時間を最小限にするために、図6Aに示すように、本実施形態は、次のようなステップを含む。
【０１１３】
ステップ61:基地局が、第2のキャリア上のアップリンクサブフレーム中で、第1のアップリンクサブフレームを判断し、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【０１１４】
ステップ62:基地局は、第1のキャリア上の第6のダウンリンクサブフレーム上で、第2のキャリア上の第1のアップリンクサブフレームに対応するアップリンクスケジューリング情報を端末に送り、第6のダウンリンクサブフレームに対応する送付時間と、第2のキャリア上の第1のアップリンクサブフレームに対応する時間との間の遅延は最小であり、第6のダウンリンクサブフレームと第1のアップリンクサブフレームは、N個のサブフレームだけ少なくとも離間され、第6のダウンリンクサブフレームに対応する時間は、第1のアップリンクサブフレームに対応する時間の前である。
【０１１５】
本実施形態では、第1のキャリア上の第6のダウンリンクサブフレームに対応する送付時間と、第2のキャリア上の第1のアップリンクサブフレームに対応する送付時間との間の遅延が最小であり、第6のダウンリンクサブフレームと第1のアップリンクサブフレームは、少なくともN個のサブフレームだけ離間される。Nは、端末によるアップリンクスケジューリング情報の受信と、端末による、アップリンクスケジューリング情報に対応するアップリンクデータの送付との間の、離間されるサブフレームの数である。端末によるUL-Grantの受信から、端末による、UL-GrantによってスケジュールされるPUSCHの送付まで、一定の時間だけ離間される必要があり、すなわち、いくつかのサブフレームだけ離間されるので、基地局が、第1のアップリンクサブフレームに対応するアップリンクスケジューリング情報を端末に送るとき、第6のダウンリンクサブフレームと第1のアップリンクサブフレームは、いくつかのサブフレームだけ離間される必要がある。
【０１１６】
ステップ62では具体的には、基地局が、第6のダウンリンクサブフレーム上で、第2のキャリア上の第1のアップリンクサブフレームに対応するダウンリンクスケジューリング情報を端末に送る。さらに、基地局は、第6のダウンリンクサブフレーム上で、第2のキャリア上の第2のアップリンクサブフレームに対応するアップリンクスケジューリング情報と、第1のキャリア上のアップリンクサブフレームに対応するアップリンクスケジューリング情報とを、端末にさらに送る。
【０１１７】
図6Bに示すように、アップリンクサブフレーム8の時間の前の時間における、第1のキャリア上のダウンリンクサブフレーム0およびダウンリンクサブフレーム1内で、アップリンクサブフレーム8に対応するUL-Grantがダウンリンクサブフレーム1上で送られると判断される。ダウンリンクサブフレーム1に対応する時間から、アップリンクサブフレーム8に対応する時間までの遅延は最小であり、ダウンリンクサブフレーム1はアップリンクサブフレーム8の前であり、ダウンリンクサブフレーム1とアップリンクサブフレーム8は、4つのサブフレームだけ少なくとも離間される。
【０１１８】
図7Aは、本発明によって提供される、アップリンクスケジューリング情報を送るための方法の実施形態3のフローチャートである。スケジューリング遅延の最小化が考慮された後、第1のキャリア上の1つのダウンリンクサブフレームが、3つより多いPUSCHのアップリンクスケジューリング情報を運ぶことができ、1つのPUSCHのアップリンクスケジューリング情報だけを運ぶ別のダウンリンクサブフレームは、第1のキャリア上に存在し得る。したがって、第1のキャリア上のダウンリンクサブフレームのPDCCH負荷は不平衡になる。スケジューリング遅延の最小化と、PDCCH負荷の平衡との間で妥協を行うために、図7Aに示すように、本実施形態は、次のようなステップを含む。
【０１１９】
ステップ71:基地局が、第2のキャリア上のアップリンクサブフレーム中で、第1のアップリンクサブフレームを判断し、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【０１２０】
ステップ72:基地局が、第1のキャリア上の第6のダウンリンクサブフレーム上で、第2のキャリア上の第1のアップリンクサブフレームに対応するアップリンクスケジューリング情報を端末に送り、第6のダウンリンクサブフレームに対応する時間は、第1のアップリンクサブフレームに対応する時間の前であり、第6のダウンリンクサブフレームは、第2のキャリア上の多くとも1つの第1のアップリンクサブフレームに対応するアップリンクスケジューリング情報を運ぶ。
【０１２１】
ステップ62における送付方法において、非クロスキャリアスケジューリング中に第2のキャリア上の第3のダウンリンクサブフレームによって運ばれるアップリンクスケジューリング情報は、第1のキャリア上の一部のダウンリンクサブフレーム上では運ぶことはできず、すなわち、一部のダウンリンクサブフレームは、非クロスキャリアスケジューリング中にそれぞれ、第2のキャリア上の2つまたは2つより多い第1のアップリンクサブフレームをスケジュールするアップリンクスケジューリング情報を運ばない。ただし、一部のダウンリンクサブフレームは、第2のキャリア上の2つまたは2つより多い第3のダウンリンクサブフレームによって非クロスキャリアスケジューリング中で運ばれるアップリンクスケジューリング情報を運ぶ。図6Bに示すように、ステップ62における送付方法によると、第1のキャリア上のダウンリンクサブフレーム1によって運ばれる3つのUL_grantは、第1のキャリア上のアップリンクサブフレーム5においてPUSCHをスケジュールするためのUL_grant、第2のキャリア上のアップリンクサブフレーム7においてPUSCHをスケジュールするためのUL_grant、および第2のキャリア上のアップリンクサブフレーム8においてPUSCHをスケジュールするためのUL_grantを含む。ただし、第1のキャリア上のダウンリンクサブフレーム0は、1つのUL_grant、すなわち、第1のキャリア上のアップリンクサブフレーム4をスケジュールするためのUL_grantを運ぶだけである。したがって、第1のキャリア上のダウンリンクサブフレーム1の負荷は最大であり、ダウンリンクサブフレーム0の負荷は最小であり、したがって第1のキャリア上のダウンリンクサブフレームのPDCCH負荷は不平衡である。
【０１２２】
スケジューリング遅延の最小化およびPDCCH負荷の平衡が考慮されるとき、基地局は、第1のアップリンクサブフレームの時間の前の時間における第1のキャリア上のダウンリンクサブフレーム上で、第6のダウンリンクサブフレームを判断する。第6のダウンリンクサブフレームは、第2のキャリア上の多くとも1つの第1のアップリンクサブフレームに対応するアップリンクスケジューリング情報を運び、第5のダウンリンクサブフレームと第1のアップリンクサブフレームは、N個のサブフレームだけ少なくとも離間される。さらに、上記条件を満たすのに加え、第6のダウンリンクサブフレームに対応する時間と、第1のアップリンクサブフレームに対応する時間との間の遅延は、さらに最小になる必要がある。
【０１２３】
図7Bに示すように、第1のキャリアのダウンリンクサブフレーム0は、第2のキャリアのアップリンクサブフレーム8の前であり、ダウンリンクサブフレーム0とアップリンクサブフレーム8は、7つのサブフレームだけ離間され、ステップ72によって提供される送付方法によると、第2のキャリア上のダウンリンクサブフレーム4に対応するUL_grantは、第1のキャリア上のダウンリンクサブフレーム0に適合され、したがって、第1のキャリア上のダウンリンクサブフレーム0は、第2のキャリア上の多くとも1つの第1のアップリンクサブフレームに対応するアップリンクスケジューリング情報を運び、スケジューリング遅延の最小化とPDCCH負荷の平衡との間の妥協が行われる。
【０１２４】
アップリンクスケジューリング手順において、クロスキャリアスケジューリングの下での2つのサブフレームのスケジューリングが存在する。図6Bに示すように、第2のキャリア上のアップリンクサブフレーム7上のPUSCHの、第1のキャリア上のダウンリンクサブフレーム1におけるスケジューリング(非クロスキャリアスケジューリング中、第2のキャリア上のダウンリンクサブフレーム1は、第2のキャリア上のアップリンクサブフレーム7をスケジュールする)は、クロスキャリアの下での第1のサブフレームアップリンクスケジューリングであり、第1のキャリア上のダウンリンクサブフレーム1における、第2のキャリア上のアップリンクサブフレーム8におけるPUSCHのスケジューリング(非クロスキャリアスケジューリング中、第2のキャリア上のダウンリンクサブフレーム4は、第2のキャリア上のアップリンクサブフレーム8をスケジュールし、クロスキャリアスケジューリング中、第1のキャリアにおける同じ時間であって、第2のキャリア上のダウンリンクサブフレーム4の時間をもつサブフレームは、アップリンクサブフレームである)は、クロスキャリアの下での第2のサブフレームアップリンクスケジューリングである。
【０１２５】
基地局は、第1のキャリア上のダウンリンクサブフレームのクロスキャリアアップリンクスケジューリングタイプを、物理ダウンリンク制御チャネル内の新規追加ビット、新規追加スクランブリングコード、キャリアインジケータフィールド、送信電力制御、ダウンリンク割当て指示、もしくはアップリンク索引(UL Index)を通して、または、RRCシグナリング、MACシグナリング、物理ダウンリンク制御チャネルの検索空間もしくは物理ダウンリンク制御チャネルのスケジューリング時間を通して、端末に指示する。クロスキャリアアップリンクスケジューリングタイプは、クロスキャリアの下で、第1のサブフレームアップリンクスケジューリング、および第2のサブフレームアップリンクスケジューリングを含む。具体的な指示方法については、ダウンリンクスケジューリング情報を送るための方法の実施形態における説明に対して参照が行われる。
【０１２６】
図8は、本発明によって提供される、アップリンクスケジューリング情報を送るための方法の実施形態4のフローチャートである。キャリアの間のスケジューリングは、PDCCH中のCIFにより区別することができるが、従来技術では、クロスキャリアスケジューリングの下で2つのサブフレームのスケジューリングを区別するための方法がなかった。図8に示すように、第1のキャリアのダウンリンクサブフレームに対する第2のサブフレームアップリンクスケジューリングにおいて、第1のサブフレームアップリンクスケジューリングと第2のサブフレームアップリンクスケジューリングの同時出現を避けるために、本実施形態は、次のようなステップを含む。
【０１２７】
ステップ81:基地局が、第2のキャリア上のアップリンクサブフレーム中で、第1のアップリンクサブフレームを判断し、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【０１２８】
ステップ82:基地局は、第1のキャリア上の第6のダウンリンクサブフレーム上で、第2のキャリア上の第1のアップリンクサブフレームに対応するUL_grantを端末に送り、第6のダウンリンクサブフレームの時間に対応する時間における第2のキャリア上のサブフレームは、非クロスキャリアスケジューリング中にUL_grantを運ばず、第6のダウンリンクサブフレームに対応する時間は、第1のアップリンクサブフレームに対応する時間の前である。
【０１２９】
本実施形態では、第6のダウンリンクサブフレームに対応する時間において、第2のキャリア上のサブフレームは、非クロスキャリアスケジューリング中にUL_grantを運ばない。
【０１３０】
図7Bに示すように、第2のキャリア上の同じ時間を有し、第1のキャリア上のダウンリンクサブフレーム0に対応するサブフレームのサブフレーム番号は、第2のキャリア上のすべてのアップリンクサブフレーム中に出現するのではなく、一方、ダウンリンクサブフレーム0はアップリンクサブフレーム8の前であり、ダウンリンクサブフレーム0とアップリンクサブフレーム8との間には7つのサブフレームが存在する。第2のキャリア上のダウンリンクサブフレーム0は、クロスキャリアスケジューリングの前に、どのアップリンクサブフレームのUL_grantも運ばず、第2のキャリア上のアップリンクサブフレーム8をスケジュールするためのUL_grantが、第1のキャリア上のダウンリンクサブフレーム0に適合された後、第2のサブフレームアップリンクスケジューリングではなく第1のサブフレームアップリンクスケジューリングのみが、クロスキャリアの下で、第1のキャリア上のダウンリンクサブフレーム0用に存在し、すなわち、このとき、クロスキャリアの下での第1のサブフレームアップリンクスケジューリングおよび第2のサブフレームアップリンクスケジューリングは、区別される必要がなく、したがって、クロスキャリアの下での第1のサブフレームアップリンクスケジューリングと第2のサブフレームアップリンクスケジューリングの区別を避けるという目的を達成することができる。
【０１３１】
図9は、本発明によって提供される、ダウンリンクスケジューリング情報を送るための装置の実施形態1の概略構造図である。図9に示すように、本実施形態は、ダウンリンクサブフレーム判断モジュール91およびダウンリンクスケジューリング送付モジュール92を含む。
【０１３２】
ダウンリンクサブフレーム判断モジュール91は、第2のキャリア上のダウンリンクサブフレーム中で、第1のダウンリンクサブフレームを判断するように構成され、第1のダウンリンクサブフレームに対応する時間において、第1のキャリア上のサブフレームはアップリンクサブフレームである。
【０１３３】
ダウンリンクスケジューリング送付モジュール92は、第1のキャリア上の第5のダウンリンクサブフレーム上で、第2のキャリア上の第1のダウンリンクサブフレームに対応するダウンリンクスケジューリング情報を端末に送るように構成され、第5のダウンリンクサブフレームに対応する時間は、第1のダウンリンクサブフレームに対応する時間の前である。
【０１３４】
スケジューリング遅延の最小化が考慮されるとき、第2のキャリア上の第1のダウンリンクサブフレームに対応するダウンリンクスケジューリング情報を送るのに使われる第5のダウンリンクサブフレームに対応する時間と、第1のダウンリンクサブフレームに対応する時間との間の遅延は最小である。スケジューリング遅延の最小化と負荷平衡との間の妥協が行われるとき、第5のダウンリンクサブフレームに対応する時間における第2のキャリア上のサブフレームは、アップリンクサブフレームである。クロスキャリアスケジューリングの下での同時ダウンリンクスケジューリングおよびクロスサブフレームダウンリンクスケジューリングを用いるサブフレームの区別を避けるために、第5のダウンリンクサブフレームは、第2のキャリア上の多くとも1つの第1のダウンリンクサブフレームに対応するダウンリンクスケジューリング情報を運ぶ。
【０１３５】
さらに、クロスキャリアスケジューリングの下での同時ダウンリンクスケジューリングおよびクロスサブフレームダウンリンクスケジューリングを用いるサブフレームが区別されるとき、ダウンリンクスケジューリング送付モジュール92は、第1のキャリア上の第5のダウンリンクサブフレームのクロスキャリアダウンリンクスケジューリングタイプを、物理ダウンリンク制御チャネル中の新規追加ビット、新規追加スクランブリングコード、キャリアインジケータフィールド、送信電力制御、ダウンリンク割当て指示、もしくはACK/NACKリソースインジケータにより端末に指示し、または第1のキャリア上の第5のダウンリンクサブフレームのクロスキャリアダウンリンクスケジューリングタイプを、無線リソース制御シグナリング、メディアアクセス制御シグナリング、物理ダウンリンク制御チャネルの検索空間、もしくは物理ダウンリンク制御チャネルのスケジューリング時間により端末に指示する。
【０１３６】
さらに、ダウンリンクスケジューリング送付モジュール92が、ダウンリンクスケジューリング情報を端末に送るとき、独立スケジューリング方式が採用されてよく、または共同スケジューリング方式が採用されてもよい。独立スケジューリング中、ダウンリンクスケジューリング送付モジュール92は、第2のキャリア上の第1のダウンリンクサブフレームに対応するダウンリンクスケジューリング情報、第2のキャリア上の第2のダウンリンクサブフレームに対応するダウンリンクスケジューリング情報、および第1のキャリア上の対応するダウンリンクスケジューリング情報を、それぞれ、複数の独立物理ダウンリンク制御チャネルを通して端末に送るように特に構成される。共同スケジューリング中、ダウンリンクスケジューリング送付モジュール92は、第1のキャリア上にあるとともに第1のダウンリンクサブフレームの時間の前の時間における第5のダウンリンクサブフレーム上で、第2のキャリア上の第1のダウンリンクサブフレームに対応するダウンリンクスケジューリング情報をクロスサブフレーム方式で、および第2のキャリア上の第2のダウンリンクサブフレームに対応するダウンリンクスケジューリング情報を、同じ時間方式を用いるサブフレーム中で、物理ダウンリンク制御チャネルを通して端末に、ならびに対応するダウンリンクスケジューリング情報を、第1のキャリア上で、別の物理ダウンリンク制御チャネルを通して端末に送るように特に構成される。
【０１３７】
モジュールの作動機構について、図1A、図2A、図3Aおよび図4Aに対応する実施形態における説明に対して参照が行われるが、それ以上の詳細については、ここでは提示しない。
【０１３８】
さらに、第1のキャリア上で、クロスキャリア方式でDL_Grantをスケジュールする時間においてクロスキャリアスケジューリングタイプを区別するために、第1のキャリア上の第5のダウンリンクサブフレームの時間と同じ時間における第1のキャリア上のサブフレームは、全ダウンリンクサブフレームのうち、第2のキャリアがアップリンクACK/NACKをフィードバックするのに使われるとき、第2のキャリア上の第3のアップリンクサブフレームがフィードバックすることが可能であるアップリンクACK/NACKに対応するサブフレームであって、第2のキャリアが第1のキャリアによってクロスキャリア方式でスケジュールされるとき、最も早いスケジューリング時間におけるサブフレームであり、ダウンリンクスケジューリング送付モジュールは、第1のキャリア上の第5のダウンリンクサブフレーム上で送られるダウンリンクスケジューリング情報中のダウンリンク割当て指示により、第1のキャリア上の第5のダウンリンクサブフレームについてのクロスキャリアダウンリンクスケジューリングタイプを端末に指示する。
【０１３９】
本発明の実施形態の、ダウンリンクスケジューリング情報を送るための装置では、第1のキャリアが第2のキャリア上のPDCCHをクロスキャリア方式で運ぶ前に、第2のキャリア上のPDSCHが第1のキャリアにおいてクロスキャリア方式でスケジュールされることを確実にするために、基地局は、第1のダウンリンクサブフレームに対応するダウンリンクスケジューリング情報を、第1のキャリア上のダウンリンクサブフレームに適合させ、ダウンリンクスケジューリング情報を運び、第1のキャリア上の同じ時間であって、第2のキャリア上の第1のダウンリンクサブフレームの時間を有するサブフレームは、アップリンクサブフレームである。したがって、クロスキャリアのとき、基地局は、第1のキャリア上で、第2のキャリア上のPDSCHをスケジュールするためのダウンリンクスケジューリング情報を送ることができる。
【０１４０】
図10は、本発明によって提供される、アップリンクスケジューリング情報を送るための装置の実施形態1の概略構造図である。図10に示すように、装置は、アップリンクサブフレーム判断モジュール101およびアップリンクスケジューリング送付モジュール102を含む。
【０１４１】
アップリンクサブフレーム判断モジュール101は、第2のキャリア上のアップリンクサブフレーム中で、第1のアップリンクサブフレームを判断するように構成され、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【０１４２】
アップリンクスケジューリング送付モジュール102は、第1のキャリア上の第6のダウンリンクサブフレーム上で、第2のキャリア上の第1のアップリンクサブフレームに対応するアップリンクスケジューリング情報を端末に送るように構成され、第6のダウンリンクサブフレームに対応する時間は、第1のアップリンクサブフレームの前である。
【０１４３】
スケジューリング遅延の最小化が考慮される場合、第6のダウンリンクサブフレームに対応する送付時間と、第2のキャリア上の第1のアップリンクサブフレームに対応する送付時間との間の遅延は最小であり、第6のダウンリンクサブフレームと第1のアップリンクサブフレームは、少なくともN個のサブフレームだけ離間され、Nは、端末によるアップリンクスケジューリング情報の受信と、端末による、アップリンクスケジューリング情報に対応するアップリンクデータの送付との間で離間されるサブフレームの数である。スケジューリング遅延の最小化と、負荷平衡との間の平衡がなされることを考慮すると、第6のダウンリンクサブフレームに対応する時間において、第2のキャリア上のサブフレームは、非クロスキャリアスケジューリング中に、アップリンクスケジューリング情報を運ばない。クロスキャリアスケジューリングの下での、第1のサブフレームアップリンクスケジューリングと第2のサブフレームアップリンクスケジューリングの区別を避けるために、第6のダウンリンクサブフレームに対応する時間において、第2のキャリア上のサブフレームは、非クロスキャリアスケジューリング中に、アップリンクスケジューリング情報を運ばない。
【０１４４】
さらに、アップリンクスケジューリング送付モジュール102は、第1のキャリア上の第6のダウンリンクサブフレームのクロスキャリアアップリンクスケジューリングタイプを、物理ダウンリンク制御チャネル中の新規追加ビット、新規追加スクランブリングコード、キャリアインジケータフィールド、送信電力制御、ダウンリンク割当て指示、もしくはアップリンクインデックスにより端末に指示し、または第1のキャリア上の第6のダウンリンクサブフレームのクロスキャリアアップリンクスケジューリングタイプを、無線リソース制御シグナリング、メディアアクセス制御シグナリング、物理ダウンリンク制御チャネルの検索空間、もしくは物理ダウンリンク制御チャネルのスケジューリング時間により端末に指示する。
【０１４５】
さらに、アップリンクスケジューリング送付モジュール102が、アップリンクスケジューリング情報を端末に送るとき、独立スケジューリング方式が採用されてよく、または共同スケジューリング方式が採用されてもよい。独立スケジューリング中、アップリンクスケジューリング送付モジュール102は、第1のキャリア上にあるとともに第1のアップリンクサブフレームの時間の前の時間における第6のダウンリンクサブフレーム上で、第2のキャリア上の第1のアップリンクサブフレームに対応するアップリンクスケジューリング情報、第2のキャリア上の第2のアップリンクサブフレームに対応するアップリンクスケジューリング情報、および第1のキャリア上のアップリンクサブフレームに対応するアップリンクスケジューリング情報を、それぞれ複数の独立物理ダウンリンク制御チャネルを通して端末に送るように特に構成される。共同スケジューリングが採用されるとき、アップリンクスケジューリング送付モジュール102は、第1のキャリア上にあるとともに第1のアップリンクサブフレームの時間の前の時間における第6のダウンリンクサブフレーム上で、第2のキャリア上の第1のアップリンクサブフレームに対応するアップリンクスケジューリング情報、および第2のキャリア上の第2のアップリンクサブフレームに対応するアップリンクスケジューリング情報を、物理ダウンリンク制御チャネルを通して端末に送り、第1のアップリンクサブフレームの時間の前の時間における第1のキャリア上のダウンリンクサブフレーム上で、第1のキャリア上のアップリンクサブフレームに対応するアップリンクスケジューリング情報を、別の物理ダウンリンク制御チャネルを通して端末に送るように特に構成される。
【０１４６】
モジュールの作動機構について、図5A、図6A、図7Aおよび図8に対応する実施形態における説明に対して参照が行われるが、それ以上の詳細については、ここでは提示しない。
【０１４７】
さらに、第1のキャリア上で、DL_Grantをクロスキャリア方式でスケジュールする時間においてクロスキャリアスケジューリングタイプを区別するために、第1のキャリア上の第5のダウンリンクサブフレーム上で送られるダウンリンクスケジューリング情報は、ダウンリンク割当て指示を含み、ダウンリンク割当て指示は、第1のキャリア上の第5のダウンリンクサブフレーム上のクロスキャリアダウンリンクスケジューリングタイプを端末に対して指示するのに使われる。第1のキャリア上の第5のダウンリンクサブフレームは、第1の時間シーケンス関係により、第2のキャリア上の第3のアップリンクサブフレームがフィードバックすることが可能であるアップリンクACK/NACKの最大数に対応する全ダウンリンクサブフレームを判断し、最も早いスケジューリング時間におけるダウンリンクサブフレームが、第1のキャリア上の第5のダウンリンクサブフレームの時間と同じ時間における第2のキャリア上のサブフレームである、ダウンリンクサブフレームすべてのうち、最も早いスケジューリング時間におけるダウンリンクサブフレームを判断する方法に従って判断される。第1の時間シーケンス関係は、第2のキャリアが単独で構成されるとき、アップリンクACK/NACK時間シーケンス関係であり得る。
【０１４８】
本発明の実施形態の、アップリンクスケジューリング情報を送るための装置において、第2のキャリア上の物理ダウンリンク制御チャネルが第1のキャリア上で運ばれるとき、アップリンクスケジューリング送付モジュールは、クロスサブフレーム方式で、第2のキャリア上の第3のダウンリンクサブフレームに対応するアップリンクスケジューリング情報を、第1のキャリア上の第1のアップリンクサブフレームの前の第6のダウンリンクサブフレームの上に適合させ、アップリンクスケジューリング情報を送る。したがって、クロスキャリアPDCCHスケジューリングのとき、第2のキャリア上のPUSCHは、第1のキャリア上でスケジュールされ得る。
【０１４９】
図11は、本発明によってさらに提供される、ダウンリンクスケジューリング情報を受信するための方法の実施形態1のフローチャートである。図11に示すように、本実施形態は、次のようなステップを含む。
【０１５０】
ステップ111:端末が、第1のキャリア上にあるとともに第1のダウンリンクサブフレームの時間の前の時間における第5のダウンリンクサブフレーム上で、第2のキャリア上の第1のダウンリンクサブフレームに対応する、基地局によって送られたダウンリンクスケジューリング情報を受信し、第2のキャリア上の第1のダウンリンクサブフレームに対応する時間において、第1のキャリア上のサブフレームはアップリンクサブフレームである。
【０１５１】
端末は、第1のキャリア上にあるとともに第1のダウンリンクサブフレームの時間の前の時間における第5のダウンリンクサブフレーム上で、基地局によって送られるとともに第2のキャリア上の第1のダウンリンクサブフレームに対応するダウンリンクスケジューリング情報を受信し、一方では、基地局によって送られる、第2のキャリア上の第2のダウンリンクサブフレームに対応するダウンリンクスケジューリング情報をさらに受信する。第2のキャリア上の第2のダウンリンクサブフレームに対応する時間において、第1のキャリア上のサブフレームはダウンリンクサブフレームである。
【０１５２】
ステップ112:端末は、第2のキャリア上の第1のダウンリンクサブフレーム上で、受信したダウンリンクスケジューリング情報に従って、ダウンリンクスケジューリング情報に対応するダウンリンクデータを受信する。
【０１５３】
第2のキャリア上の物理ダウンリンク制御チャネルが第1のキャリア上で運ばれるとき、端末は、第1のキャリア上にあるとともに第1のダウンリンクサブフレームの時間の前の時間における第5のダウンリンクサブフレーム上で、基地局によってクロスサブフレーム方式で送られるとともに、第2のキャリア上の第1のダウンリンクサブフレームに対応するダウンリンクスケジューリング情報を、構成されたPDCCH&PDSCHとアップリンクACK/NACKとの間のタイミング関係に従って受信する。本発明の実施形態において、PDCCH&PDSCHとアップリンクACK/NACKとの間のタイミング関係は、第2のキャリア上の物理ダウンリンク制御チャネルが第1のキャリア上で運ばれるとき、第1のキャリア上で、第2のキャリア上のダウンリンクスケジューリング情報をスケジュールするために、基地局によって再度判断される、PDCCH&PDSCHとアップリンクACK/NACKとの間の新たなタイミング関係である。基地局は、PDCCH&PDSCHとアップリンクACK/NACKとの間の新たなタイミング関係を、シグナリングを通して端末に対して伝えることができ、シグナリングは、RRCやMACなどの上位層シグナリング、PDCCHなどのレイヤ1シグナリングまたはレイヤ2シグナリングであってよい。あるいは、PDCCH&PDSCHとアップリンクACK/NACKとの間の新たなタイミング関係は、基地局と端末の双方において事前構成される。
【０１５４】
さらに、基地局が、第2のキャリア上のPDCCHを第1のキャリアの上に運ぶとき、第1のキャリア上のダウンリンクスケジューリング情報の中にサブフレームインジケータフィールドが追加される場合、サブフレームインジケータフィールドは、クロスキャリア方式でダウンリンクスケジューリング情報によってスケジュールされる、第2のキャリア上のダウンリンクサブフレームを指示し、すなわち、ダウンリンクスケジューリング情報によってクロスキャリア方式でスケジュールされたダウンリンクデータが置かれる、第2のキャリア上のダウンリンクサブフレームを指示するのに使われ、端末は、第2のキャリア上の対応するダウンリンクサブフレーム上で、ダウンリンクスケジューリング情報に対応するダウンリンクデータを受信するように、ダウンリンクスケジューリング情報に対応するサブフレームインジケータフィールドのインジケータにより、第2のキャリア上のどのダウンリンクサブフレームが、ダウンリンクスケジューリング情報によってクロスキャリア方式でスケジュールされるか判断することができる。ダウンリンクスケジューリング情報に対応するサブフレームインジケータフィールドのインジケータにより、第2のキャリア上のどのダウンリンクサブフレームが、ダウンリンクスケジューリング情報によってクロスキャリア方式でスケジュールされるかを端末が判断するための方法については、図18に対応する実施形態における説明に対して参照が行われ得る。
【０１５５】
同時ダウンリンクスケジューリングおよびクロスサブフレームダウンリンクスケジューリングを用いるサブフレームは、クロスキャリアの下で、第1のキャリア上のダウンリンクサブフレーム上に同時に出現し得る。同時ダウンリンクスケジューリングおよびクロスサブフレームダウンリンクスケジューリングを用いるサブフレームを区別するために、端末は、物理ダウンリンク制御チャネル中の新規追加ビット、新規追加スクランブリングコード、キャリアインジケータフィールド、送信電力制御、ダウンリンク割当て指示、もしくはACK/NACKリソースインジケータ、またはRRCシグナリング、MACシグナリング、物理ダウンリンク制御チャネルの検索空間もしくは物理ダウンリンク制御チャネルのスケジューリング時間によって指示されるクロスキャリアダウンリンクスケジューリングタイプを受信し、第2のキャリア上の第1のダウンリンクサブフレーム上で、第1のキャリア上の第5のダウンリンクサブフレームのクロスキャリアダウンリンクスケジューリングタイプによるダウンリンクスケジューリング情報に対応するダウンリンクデータと、ダウンリンクスケジューリング情報とを受信する。
【０１５６】
第1のキャリア上のダウンリンクサブフレームのクロスキャリアダウンリンクスケジューリングタイプが、同時ダウンリンクスケジューリングを用いるサブフレームであると判断したとき、端末は、第2のキャリア上の第1のダウンリンクサブフレーム上で、ダウンリンクスケジューリング情報によってスケジュールされたダウンリンクデータを受信する。第1のダウンリンクサブフレームの時間の前の時間に、第1のキャリア上の第5のダウンリンクサブフレーム上でDL Grantを受信した後、DL Grantが、同時ダウンリンクスケジューリングを用いるサブフレームであると判断したとき、端末は、ダウンリンクサブフレームに対応する、第2のキャリア上の同じ時間を有するサブフレーム上で、DL GrantによってスケジュールされたPDSCHを受信する。
【０１５７】
さらに、第1のキャリア上のダウンリンクサブフレームのクロスキャリアダウンリンクスケジューリングタイプがクロスサブフレームダウンリンクスケジューリングであるとき、端末は、第2のキャリア上で、クロスサブフレーム方式で、第2のキャリア上の第2のダウンリンクサブフレームに対応するダウンリンクスケジューリング情報に対応するダウンリンクデータを受信する。第1のダウンリンクサブフレームの時間の前の時間に、第1のキャリア上の第5のダウンリンクサブフレーム上でDL Grantを受信した後、DL Grantがクロスサブフレームダウンリンクスケジューリングであると判断したとき、端末は、ダウンリンクサブフレームに対応する、第2のキャリア上のクロスサブフレーム上で、DL GrantによってスケジュールされたPDSCHを受信する。
【０１５８】
クロスサブフレームダウンリンクスケジューリングの状況の下で、端末が、PDSCHに対応するACK/NACKを基地局にフィードバックする時間シーケンスは、対応するPDCCHではなくPDSCHにより判断されることに留意されたい。
【０１５９】
さらに、端末は、第5のダウンリンクサブフレーム上で、第2のキャリア上の第1のダウンリンクサブフレームに対応する、基地局によって送られたダウンリンクスケジューリング情報を、クロスサブフレーム方式で、スケジューリング遅延を最小限にすることが可能なPDCCH&PDSCHと、アップリンクACK/NACKとの間の新たなタイミング関係により受信し、第5のダウンリンクサブフレームに対応する送付時間から、第2のキャリア上の第1のダウンリンクサブフレームに対応する時間までの遅延は最小であり、第5のダウンリンクサブフレームに対応する送付時間は、第1のダウンリンクサブフレームに対応する時間の前である。
【０１６０】
さらに、端末は、第1のキャリア上にあるとともに第1のダウンリンクサブフレームの時間の前の時間における第5のダウンリンクサブフレーム上で、クロスサブフレーム方式で基地局によって送られるとともに第2のキャリア上の第1のダウンリンクサブフレームに対応するダウンリンクスケジューリング情報を、スケジューリング遅延の最小化とPDCCH負荷との間で妥協され得る、PDCCH&PDSCHとアップリンクACK/NACKとの間の新たなタイミング関係に従って受信する。第5のダウンリンクサブフレームは、1つの第1のダウンリンクサブフレームに対応するダウンリンクスケジューリング情報を運ぶだけである。
【０１６１】
さらに、クロスキャリアダウンリンクスケジューリングの下で、クロスサブフレームダウンリンクスケジューリングと、同時ダウンリンクスケジューリングを用いるサブフレームの区別を避けるために、基地局は、第5のダウンリンクサブフレーム上で、ダウンリンクスケジューリング情報を端末に送ればよく、第1のキャリア上の第5のダウンリンクサブフレームの時間は、第1のダウンリンクサブフレームの時間の前であり、第2のキャリア上の同じ時間であって、第5のダウンリンクサブフレームの時間をもつサブフレームは、アップリンクサブフレームである。したがって、PDCCH&PDSCHとアップリンクACK/NACKとの間のタイミング関係に従って、端末は、第5のダウンリンクサブフレーム上で、基地局によってクロスサブフレーム方式で送られたダウンリンクスケジューリング情報を受信し、第1のキャリア上の第5のダウンリンクサブフレームの時間は、第1のダウンリンクサブフレームの時間の前であり、第2のキャリア上の同じ時間であって、第5のダウンリンクサブフレームの時間をもつサブフレームは、アップリンクサブフレームである。
【０１６２】
本発明は、ダウンリンクスケジューリング情報を受信するための装置の実施形態をさらに提供する。図12Aは、本発明によって提供される、ダウンリンクスケジューリング情報を受信するための装置の実施形態1の概略構造図である。図12Aに示すように、本実施形態は、ダウンリンクスケジューリング受信モジュール121およびダウンリンクデータ受信モジュール122を含む。
【０１６３】
ダウンリンクスケジューリング受信モジュール121は、第1のキャリア上にあるとともに第1のダウンリンクサブフレームの時間の前の時間における第5のダウンリンクサブフレーム上で、第2のキャリア上の第1のダウンリンクサブフレームに対応する、基地局によって送られたダウンリンクスケジューリング情報を受信するように構成され、第2のキャリア上の第1のダウンリンクサブフレームに対応する時間において、第1のキャリア上のサブフレームはアップリンクサブフレームである。
【０１６４】
ダウンリンクデータ受信モジュール122は、第2のキャリア上の第1のダウンリンクサブフレーム上で、受信したダウンリンクスケジューリング情報に従って、ダウンリンクスケジューリング情報に対応するダウンリンクデータを受信するように構成される。
【０１６５】
さらに、スケジューリング遅延の最小化が考慮されるとき、第5のダウンリンクサブフレームに対応する時間と、第1のダウンリンクサブフレームに対応する時間との間の遅延は最小である。
【０１６６】
さらに、スケジューリング遅延の最小化とPDCCH負荷との間の妥協が行われることを考慮すると、第5のダウンリンクサブフレームは、第2のキャリア上の多くとも1つの第1のダウンリンクサブフレームに対応するダウンリンクスケジューリング情報を運ぶ。
【０１６７】
さらに、クロスキャリアスケジューリングの下で、同時ダウンリンクスケジューリングおよびクロスサブフレームダウンリンクスケジューリングを用いるサブフレームの区別を避けるために、第5のダウンリンクサブフレームに対応する時間において、第2のキャリア上のサブフレームはアップリンクサブフレームである。
【０１６８】
クロスキャリアスケジューリングの下で、同時ダウンリンクスケジューリングおよびクロスサブフレームダウンリンクスケジューリング情報を有するサブフレームを区別するために、図12Bに示すように、図12Aに基づいて、ダウンリンクスケジューリングタイプ受信モジュール123がさらに含まれる。図12Bは、本発明によって提供される、ダウンリンクスケジューリング情報を受信するための装置の実施形態2の概略構造図である。
【０１６９】
ダウンリンクスケジューリングタイプ受信モジュール123は、第1のキャリア上の第5のダウンリンクサブフレームのクロスキャリアダウンリンクスケジューリングタイプを受信するように構成され、クロスキャリアダウンリンクスケジューリングタイプは、物理ダウンリンク制御チャネル中の新規追加ビット、新規追加スクランブリングコード、キャリアインジケータフィールド、送信電力制御、ダウンリンク割当て指示、もしくはACK/NACKリソースインジケータによって指示され、または、無線リソース制御シグナリング、メディアアクセス制御シグナリング、物理ダウンリンク制御チャネルの検索空間もしくは物理ダウンリンク制御チャネルのスケジューリング時間によって指示される。
【０１７０】
ダウンリンクデータ受信モジュール122は、第2のキャリア上の第1のダウンリンクサブフレーム上で、第1のキャリア上の第5のダウンリンクサブフレームのクロスキャリアダウンリンクスケジューリングタイプにより、ダウンリンクスケジューリング情報に対応するダウンリンクデータと、ダウンリンクスケジューリング情報とを受信するように特に構成される。
【０１７１】
本発明の実施形態の、ダウンリンクスケジューリング情報を受信するための装置において、ダウンリンクスケジューリング受信モジュールは、第1のキャリア上の第5のサブフレーム上で、第2のキャリア上の第1のダウンリンクサブフレームに対応するダウンリンクスケジューリング情報を受信する。したがって、クロスキャリアPDCCHスケジューリングのとき、第2のキャリア上のPDSCHは、第1のキャリア上でスケジュールされ得る。
【０１７２】
本発明は、アップリンクスケジューリング情報を受信するための方法の実施形態をさらに提供する。図13は、本発明によって提供される、アップリンクスケジューリング情報を受信するための方法の実施形態1のフローチャートである。図13に示すように、本実施形態は、次のようなステップを含む。
【０１７３】
ステップ131:端末が、第1のキャリア上にあるとともに第1のアップリンクサブフレームの時間の前の時間における第6のダウンリンクサブフレーム上で、基地局によって送られるとともに第2のキャリア上の第1のアップリンクサブフレームに対応するアップリンクスケジューリング情報を受信し、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【０１７４】
第2のキャリア上の物理ダウンリンク制御チャネルが第1のキャリア上で運ばれるとき、端末は、第1のキャリア上のダウンリンクサブフレーム上で、および第1のアップリンクサブフレームの時間の前の、判断された時間において、基地局によって送られるとともに第2のキャリア上の第1のアップリンクサブフレームに対応するアップリンクスケジューリング情報を、構成されたUL_grantと、UL_grantによってスケジュールされるPUSCHとの間のタイミング関係に従って受信する。非クロスキャリアスケジューリング中に第2のキャリア上の第1のアップリンクサブフレームをスケジュールするための、第1のキャリア上の同じ時間であって、第3のダウンリンクサブフレームの時間を有するサブフレームは、アップリンクサブフレームである。本発明の実施形態において、UL_grantと、UL_grantによってスケジュールされるPUSCHとの間のタイミング関係は、第2のキャリア上の物理ダウンリンク制御チャネルが第1のキャリア上で運ばれるとき、第1のキャリア上で、第2のキャリア上のアップリンクスケジューリング情報をスケジュールするために、基地局によって再度判断された、UL_grantと、UL_grantによってスケジュールされるPUSCHとの間の新たなタイミング関係である。基地局は、UL_grantと、UL_grantによってスケジュールされるPUSCHとの間の新たなタイミング関係を、シグナリングにより、端末に対して伝えることができ、シグナリングは、RRCやMACなどの上位層シグナリング、PDCCHなどのレイヤ1シグナリングまたはレイヤ2シグナリングであり得る。あるいは、UL_grantとUL_grantによってスケジュールされるPUSCHとの間の新たなタイミング関係は、基地局と端末の双方において事前構成される。
【０１７５】
さらに、基地局が、第2のキャリア上のPDCCHを第1のキャリアの上に運ぶとき、サブフレームインジケータフィールドが第1のキャリア上のアップリンクスケジューリング情報の中に追加される場合、サブフレームインジケータフィールドは、アップリンクスケジューリング情報によってクロスキャリア方式でスケジュールされる第2のキャリア上のアップリンクサブフレームを指示し、すなわち、アップリンクスケジューリング情報によってクロスキャリア方式でスケジュールされたアップリンクデータがその上で基地局に送られる、第2のキャリア上のアップリンクサブフレームを指示するのに使われ、端末は、第2のキャリア上の対応するアップリンクサブフレーム上で、アップリンクスケジューリング情報によってスケジュールされたダウンリンクデータを基地局に送るように、アップリンクスケジューリング情報に対応するサブフレームインジケータフィールドのインジケータにより、第2のキャリア上のどのアップリンクサブフレームが、アップリンクスケジューリング情報によってクロスキャリア方式でスケジュールされるか判断することができる。アップリンクスケジューリング情報に対応するサブフレームインジケータフィールドのインジケータにより、第2のキャリア上のどのアップリンクサブフレームが、アップリンクスケジューリング情報によってクロスキャリア方式でスケジュールされるかを、端末が判断するための方法については、図20に対応する実施形態における説明に対して参照が行われ得る。
【０１７６】
ステップ132:基地局は、第2のキャリア上の第1のアップリンクサブフレーム上で、受信したアップリンクスケジューリング情報に従って、アップリンクスケジューリング情報に対応するアップリンクデータを送る。
【０１７７】
本発明の実施形態の、アップリンクスケジューリング情報を受信するための方法において、第2のキャリア上のPDCCHが第1のキャリアの上に運ばれるとき、端末は、第1のキャリア上の第6のサブフレーム上で、第2のキャリア上の第1のアップリンクサブフレームに対応するアップリンクスケジューリング情報を受信する。したがって、クロスキャリアPDCCHスケジューリングのとき、第2のキャリア上のPUSCHは、第1のキャリア上でスケジュールされ得る。
【０１７８】
さらに、端末は、第1のキャリア上の第6のダウンリンクサブフレーム上で、スケジューリング遅延を最小限にすることが可能なUL_grantと、UL_grantによってスケジュールされるPUSCHとの間の新たなタイミング関係に従って、基地局によって送られる、第2のキャリア上の第1のアップリンクサブフレームに対応するアップリンクスケジューリング情報を受信し、第6のダウンリンクサブフレームは第1のアップリンクサブフレームの時間の前の時間であり、第6のダウンリンクサブフレームに対応する送付時間と、第2のキャリア上の第1のアップリンクサブフレームに対応する時間との間の遅延は最小であり、第6のダウンリンクサブフレームと第1のアップリンクサブフレームは、N個のサブフレームだけ少なくとも離間され、Nは、基地局によるアップリンクスケジューリング情報の送付と、基地局による、アップリンクスケジューリング情報に対応するアップリンクデータの受信との間で離間されるサブフレームの数である。
【０１７９】
さらに、端末は、第1のキャリア上にあるとともに第1のアップリンクサブフレームの時間の前の時間における第6のダウンリンクサブフレーム上で、基地局によって送られるとともに第2のキャリア上の第1のアップリンクサブフレームに対応するアップリンクスケジューリング情報を、スケジューリング遅延の最小化とPDCCH負荷との間で妥協され得る、UL_grantと、UL_grantによってスケジュールされるPUSCHとの間の新たなタイミング関係に従って受信し、第5のダウンリンクサブフレームは、第2のキャリア上の多くとも1つの第1のアップリンクサブフレームに対応するアップリンクスケジューリング情報を運ぶ。
【０１８０】
第1のサブフレームアップリンクスケジューリングをスケジュールする第1のサブフレームアップリンクと、第2のサブフレームアップリンクスケジューリングをスケジュールする第2のサブフレームアップリンクは、クロスキャリアの下で、第1のキャリア上のダウンリンクサブフレーム上で同時に出現し得る。さらに、端末は、第6のダウンリンクサブフレームのクロスキャリアアップリンクスケジューリングタイプを受信し、クロスキャリアアップリンクスケジューリングタイプは、物理ダウンリンク制御チャネル中の新規追加ビット、新規追加スクランブリングコード、キャリアインジケータフィールド、送信電力制御、もしくはアップリンク割当て索引によって指示され、またはRRCシグナリング、MACシグナリング、物理ダウンリンク制御チャネルの検索空間もしくは物理ダウンリンク制御チャネルのスケジューリング時間によって指示される。端末は、第2のキャリア上の第1のアップリンクサブフレーム上で、アップリンクスケジューリング情報に対応するアップリンクデータを、第6のダウンリンクサブフレームのクロスキャリアアップリンクスケジューリングタイプおよびダウンリンクスケジューリング情報に従って送る。
【０１８１】
さらに、クロスキャリアアップリンクスケジューリングの下での、第1のサブフレームアップリンクスケジューリングと第2のサブフレームアップリンクスケジューリングの区別を避けるために、基地局は、UL_grantと、UL_grantによってスケジュールされるPUSCHとの間の新たなタイミング関係に従って、アップリンクスケジューリング情報を端末に送ればよい。したがって、端末は、第1のキャリア上にあるとともに第1のアップリンクサブフレームの時間の前の時間における第6のダウンリンクサブフレーム上で、基地局によって送られるとともに第2のキャリア上の第1のアップリンクサブフレームに対応するアップリンクスケジューリング情報を、UL_grantと、UL_grantによってスケジュールされるPUSCHとの間の新たなタイミング関係に従って受信する。第2のキャリア上の同じ時間であって、第6のダウンリンクサブフレームの時間を有するサブフレームは、非クロスキャリアスケジューリング中にアップリンクスケジューリング情報を運ばない。
【０１８２】
本発明は、アップリンクスケジューリング情報を受信するための装置の実施形態をさらに提供する。図14Aは、本発明によって提供される、アップリンクスケジューリング情報を受信するための装置の実施形態1の概略構造図である。図14Aに示すように、本実施形態は、アップリンクスケジューリング受信モジュール141およびアップリンクデータ送付モジュール142を含む。
【０１８３】
アップリンクスケジューリング受信モジュール141は、第1のキャリア上にあるとともに第1のアップリンクサブフレームの時間の前の時間における第6のダウンリンクサブフレーム上で、基地局によって送られるとともに第2のキャリア上の第1のアップリンクサブフレームに対応するアップリンクスケジューリング情報を受信するように構成され、非クロスキャリアスケジューリング中に第2のキャリア上の第1のアップリンクサブフレームをスケジュールするための第3のダウンリンクサブフレームに対応する時間において、第1のキャリア上のサブフレームはアップリンクサブフレームである。
【０１８４】
アップリンクデータ送付モジュール142は、第2のキャリア上の第1のアップリンクサブフレーム上で、受信したアップリンクスケジューリング情報に従って、アップリンクスケジューリング情報に対応するアップリンクデータを送るように構成される。
【０１８５】
第6のダウンリンクサブフレームに対応する送付時間と、第2のキャリア上の第1のアップリンクサブフレームに対応する送付時間との間の遅延は最小であり、第6のダウンリンクサブフレームと第1のアップリンクサブフレームは、少なくともN個のサブフレームだけ離間され、Nは、端末によるアップリンクスケジューリング情報の受信と、端末による、アップリンクスケジューリング情報に対応するアップリンクデータの送付との間で離間されるサブフレームの数である。あるいは、第6のダウンリンクサブフレームに対応する時間において、第2のキャリア上のサブフレームは、非クロスキャリアスケジューリング中にアップリンクスケジューリング情報を運ばない。あるいは、第6のダウンリンクサブフレームは、第2のキャリア上の多くとも1つの第1のアップリンクサブフレームに対応するアップリンクスケジューリング情報を運ぶ。
【０１８６】
図14Bは、本発明によって提供される、アップリンクスケジューリング情報を受信するための装置の実施形態2の概略構造図である。図14Bに示すように、図14Aに基づいて、アップリンクスケジューリングタイプ受信モジュール143がさらに含まれる。アップリンクスケジューリングタイプ受信モジュール143は、第6のダウンリンクサブフレームのクロスキャリアアップリンクスケジューリングタイプを受信するように構成され、クロスキャリアアップリンクスケジューリングタイプは、物理ダウンリンク制御チャネル中の新規追加ビット、新規追加スクランブリングコード、キャリアインジケータフィールド、送信電力制御、もしくはアップリンク割当て索引によって指示され、または無線リソース制御シグナリング、メディアアクセス制御シグナリング、物理ダウンリンク制御チャネルの検索空間もしくは物理ダウンリンク制御チャネルのスケジューリング時間によって指示される。
【０１８７】
アップリンクデータ送付モジュール142は、第2のキャリア上の第1のアップリンクサブフレーム上で、アップリンクスケジューリング情報に対応するアップリンクデータを、第6のダウンリンクサブフレームのクロスキャリアアップリンクスケジューリングタイプおよびダウンリンクスケジューリング情報に従って送るように特に構成される。
【０１８８】
本発明の実施形態のアップリンクスケジューリング情報を受信するための装置において、第2のキャリア上のPDCCHが第1のキャリアの上に運ばれるとき、アップリンクスケジューリング受信モジュールは、第1のキャリア上の第6のサブフレーム上で、第2のキャリア上の第1のアップリンクサブフレームに対応するアップリンクスケジューリング情報を受信する。したがって、クロスキャリアPDCCHスケジューリングのとき、第2のキャリア上のPUSCHは、第1のキャリア上でスケジュールされ得る。
【０１８９】
異種ネットワークなど、いくつかの特定のシナリオの下で、マクロセルの制御チャネルと、マイクロセルの制御チャネルとの間の干渉は比較的大きく、キャリアアグリゲーション(Carrier Aggregation、略してCA)中に、複数のキャリアのPDCCHは、キャリアの一部の上に置くことができ、マクロセルおよびマイクロセルは各々、2つのキャリアからなるアグリゲーション、すなわちキャリアC1およびキャリアC2のアグリゲーションを有する。2つのセルの2つのキャリアは、同じ周波数であり、したがってPDCCH干渉は比較的大きい。マクロセルは、C1のPDCCHとC2のPDCCHの両方をC2の上に置くことができ、マイクロセルは、C1のPDCCHとC2のPDCCHの両方をキャリアC1の上に置くことができ、したがって、PDCCH干渉は、PDCCH性能をさらに確実にするように削減され得る。図15に示すように、クロスキャリアスケジューリングの構成の下で、マクロセルの基地局の構成3キャリアC2は、第1のキャリアであり、PDCCHを運ぶのに使われ、マイクロセルの基地局の構成2キャリアC1は、第1のキャリアであり、PDCCHを運ぶのに使われ、したがってPDCCHの間の干渉は、2つのセルのPDCCHの間の周波数分割方式により削減される。
【０１９０】
クロスキャリアクロスサブフレームダウンリンクスケジューリングまたはクロスキャリアの第2のサブフレームアップリンクスケジューリングが採用されない場合、PDCCHの送付は、干渉を調整するように干渉セルを採用することによってスイッチオフすればよい。基地局は、マクロセルの基地局がマイクロセルの基地局に調整情報を送ることができ、または調整情報が、シグナリングにより通知されるのではなく、マイクロ/マクロセルの基地局により前もって構成される方法など、2つのセルの間の調整により調整され得る。調整情報は、第1のセル(マクロセルの基地局など)の基地局が、サブフレーム上でのPDCCHの送付をスイッチオフし、第2のセルの基地局(マイクロセルの基地局など)が通常、サブフレーム上でPDCCHを送ることについての情報を含み、したがってマクロ/マイクロセルの基地局による実施は、一部のサブフレーム上ではクロスキャリアスケジューリングを採用する必要がなく、上記実施形態において、第1のダウンリンクサブフレームに対応するダウンリンクスケジューリング情報または第1のアップリンクサブフレームに対応するアップリンクスケジューリング情報は、スケジュールされたデータに対応する同じキャリア上の、PDCCH&PDSCHとアップリンクACK/NACKとの間の既存の時間シーケンスまたはUL_grantと、UL_grantによってスケジュールされるPUSCHとの間の既存の時間シーケンスに従って実施することができる。クロスサブフレームダウンリンクスケジューリングまたはクロスキャリアの第2のサブフレームアップリンクスケジューリングは、この方法に採り入れられる必要がなく、既存のシステムの時間シーケンス関係は修正されない。
【０１９１】
図15に示すように、マクロセルの構成2キャリアのサブフレーム4は、PDCCH送付をスイッチオフし、それに応じて、マイクロセルの構成2キャリアのサブフレーム4は、同じ現在のキャリア(マイクロセルの構成2キャリア)をスケジュールするためにPDCCHを送ることができ、同様に、マイクロセルの構成2キャリアのサブフレーム3は、PDCCH送付をスイッチオフし、それに応じて、マクロセルの構成2キャリアのサブフレーム3は、同じ現在のキャリア(マクロセルの構成2キャリア)をスケジュールするためにPDCCHを送ることができる。
【０１９２】
さらに、干渉セルは、同一キャリアクロスサブフレームスケジューリングを採用することもでき、スケジューリングタイミング選択は、ACK/NACKリソース競合を削減するように、同時スケジューリングを用いるサブフレームのACK/NACKフィードバックと、クロスサブフレームスケジューリングのACK/NACKフィードバックが、異なるアップリンクサブフレームにあることを確実にし得る。たとえば、マクロセルの構成2キャリアのサブフレーム3のPDSCHダウンリンクスケジューリングに対応するPDCCHは、同一キャリア(マクロセルの構成2キャリア)のサブフレーム8上で送ることができ、したがって、同時スケジューリングを用いる同一キャリアサブフレームのサブフレーム8のPDSCHに対応するアップリンクACK/NACK、および同一キャリアクロスサブフレームスケジューリングのサブフレーム3のPDSCHに対応するアップリンクACK/NACKは、ACK/NACKリソース競合を削減するように、それぞれ、アップリンクサブフレーム2およびアップリンクサブフレーム7である異なるアップリンクサブフレーム上で送られ、同一キャリアクロスサブフレームスケジューリングを導入することによって、干渉セルのいくつかのサブフレーム上でのPDCCHの送付は、システムスループットをさらに向上させるように、スイッチオフされる必要がない。
【０１９３】
TDDの異なる構成からなるキャリアアグリゲーションのクロスキャリアスケジューリングというシナリオの下で、スケジューリング時間シーケンス問題を解決するために、本発明は、実施形態をさらに含み、ここで、2つのTDDキャリアがアグリゲートされ、2つのTDDキャリアは第1のキャリアおよび第2のキャリアであってよく、2つのTDDキャリアのアップリンクおよびダウンリンク構成は異なると仮定される。クロスキャリアスケジューリングシナリオの下で、第2のキャリアをスケジュールするためのPDCCHは、第1のキャリア上で送られる。同時に、第1のキャリアがアップリンクサブフレームであり、第2のキャリアがダウンリンクサブフレームである場合、第1のキャリアは、この時点では、第2のキャリア上のダウンリンクサブフレームをスケジュールするためにPDCCHを送ることができず、第2のキャリア上のダウンリンクサブフレームは第1のサブフレームであり、このとき、第2のキャリアは、同一キャリアを採用することによってスケジュールすることができ、すなわち、第2のキャリア上の第1のサブフレームのPDCCHは、第2のキャリア上の第1のサブフレーム上でスケジュールされ、送られるが、PDCCHは、第2のキャリア上の第1のサブフレームのデータエリア、すなわち、非制御エリア上で送られる。制御エリアは、LTEの低リリースシステムにおいてPDCCHを運ぶためのエリアであり、サブフレームの前方n個のシンボルであってよく、データエリアは、PDSCHを運ぶためのエリア、すなわちサブフレーム中の第(n+1)のシンボルから最終シンボルまでであり、ここでnは、4以下の自然数である。あるいは、PDCCHは、UE固有基準信号に基づいて送信され、すなわち、チャネル情報プリコーディングに基づく方式で送信され得る。
【０１９４】
本発明は、次のような実施形態をさらに含む。
【０１９５】
TDDシステムはキャリアアグリゲーション技術を採用し、2つのアグリゲートされたキャリアが、異なる周波数帯に配置される場合、各キャリアは、独立アップリンクおよびダウンリンク構成を採用することができる。TDDシステムの2つのキャリアが同時に、異なるアップリンクおよびダウンリンク構成を採用する場合、不一致伝送方向をもつサブフレームが、2つのキャリアに対して存在し、すなわち、一方のキャリア、すなわち第1のキャリアに対して、アップ(up)はアップリンクサブフレームであり、同時に、他方のキャリア、すなわち第2のキャリアに対して、アップ(up)はダウンリンクサブフレームであり、このとき、UEの実装を簡略化し、UEが同時受信および送付をサポートしないことを可能にするために、すなわち、UEは、第2のキャリア上の、不一致伝送方向をもつタイプのサブフレームだけを受信すればよく、第1のキャリア上のサブフレームは送らなくてよく、このとき、アップリンクACK/NACKは、第1のキャリア上で送ることはできず、すなわち、ACK/NACKに対応するダウンリンクサブフレームはスケジュールすることができず、またはサブフレームは、第1のキャリア上で送ることしかできず、第2のキャリア上で受信することはできず、すなわち、第2のキャリアは、ダウンリンク送信を実施するようにスケジュールすることができない。
【０１９６】
不一致サブフレームの方向は、サブフレームの使用効率が向上され得るように選択され、次のような方法が採用され得る。
【０１９７】
同じ時間における異なるキャリア上の不一致伝送方向をもつ、たとえば、同じ時間におけるサブフレームに対して、主キャリアはアップリンクサブフレームであり、補助キャリアはダウンリンクサブフレームである。アップリンク肯定応答/否定応答情報(ACK/NACK)が、構成された時間シーケンス関係に従って、主キャリア上のアップリンクサブフレーム上で送られない場合、伝送方向が一致しないサブフレームは、このときダウンリンク方向を採用し、すなわち、同じ時間における、異なるキャリア上の、伝送方向が一致しないサブフレームについて、UEは、同じ時間におけるダウンリンクサブフレーム上でデータおよび/または制御情報を受信し、データおよび/または制御情報を同時には送らない。たとえば、主キャリアのTDD構成が構成0であり、補助キャリアのTDD構成が構成2である場合、サブフレーム3、4、8、および9はすべて、伝送方向が一致しないサブフレームであり、すなわち、主キャリアのこれら4つのサブフレームはアップリンクサブフレームであり、補助キャリアのこれら4つのサブフレームはダウンリンクサブフレームであり、また、構成された時間シーケンス関係に従って、どのアップリンクACK/NACKも、主キャリアのアップリンクサブフレーム3および8上では運ばれず、したがってこのとき、伝送方向が一致しないこのタイプのサブフレーム3および8に対して、UEは、補助キャリア上でデータおよび/または制御情報を受信し、主キャリア上ではデータおよび/または制御情報を送らないと指定され得る。
【０１９８】
図16Aは、本発明によって提供される、ダウンリンクスケジューリング情報を送るための方法の実施形態6を示すフローチャートである。本実施形態によって提供される方法は、第1のキャリア上で、クロスキャリア方式でDL_Grantをスケジュールする時間におけるクロスキャリアスケジューリングタイプを区別することができる。図16Aに示すように、本実施形態は、次のようなステップを含む。
【０１９９】
ステップ161:基地局が、第2のキャリア上のダウンリンクサブフレーム中で、第1のダウンリンクサブフレームを判断し、第1のダウンリンクサブフレームに対応する時間において、第1のキャリア上のサブフレームはアップリンクサブフレームである。
【０２００】
ステップ162:基地局は、第1の時間シーケンス関係により、第2のキャリア上の第3のアップリンクサブフレームがフィードバックすることが可能であるアップリンクACK/NACKの最大数に対応する全ダウンリンクサブフレームを判断し、ダウンリンクサブフレームすべてのうち、最も早いスケジューリング時間におけるダウンリンクサブフレームを判断し、最も早いスケジューリング時間におけるダウンリンクサブフレームは、第1のキャリア上の第5のダウンリンクサブフレームの時間と同じ時間における、第2のキャリア上のサブフレームである。
【０２０１】
ステップ163:基地局が、第1のキャリア上の第5のダウンリンクサブフレーム上で、第2のキャリア上の第1のダウンリンクサブフレームに対応するダウンリンクサブフレーム情報を端末に送り、第1のキャリア上の第5のダウンリンクサブフレーム上で送られるダウンリンクスケジューリング情報は、ダウンリンク割当て指示を含み、ダウンリンク割当て指示は、第1のキャリア上の第5のダウンリンクサブフレーム上でのクロスキャリアダウンリンクスケジューリングタイプを端末に対して指示するのに使われる。
【０２０２】
第2のキャリア上の第1のダウンリンクサブフレームに対応する時間において、第1のキャリア上のサブフレームはアップリンクサブフレームであり、したがって、第2のキャリア上の第1のダウンリンクサブフレーム上のDL_Grantは、第1のキャリア上の同じ時間をもつサブフレーム上では送ることができない。第1のキャリア上で、クロスキャリア方式でDL_Grantをスケジュールする時間におけるクロスキャリアスケジューリングタイプを区別するために、第2のキャリア上の第1のダウンリンクサブフレームに対応するDL_Grantは、第1のキャリア上にあるとともに第1のダウンリンクサブフレームの時間の前の時間における第5のダウンリンクサブフレームの上に構成し、送ることができ、第1のキャリア上の第5のダウンリンクサブフレームのクロスキャリアダウンリンクスケジューリングタイプは、第5のダウンリンクサブフレームのDL DAIにより、端末に対して指示される。このとき、第1のキャリア上の第5のダウンリンクサブフレームは、第1の時間シーケンス関係により、第2のキャリア上の第3のアップリンクサブフレームがフィードバックすることが可能であるアップリンクACK/NACKの最大数に対応する全ダウンリンクサブフレームを判断し、最も早いスケジューリング時間におけるダウンリンクサブフレームが、第1のキャリア上の第5のダウンリンクサブフレームの時間と同じ時間における第2のキャリア上のサブフレームである、ダウンリンクサブフレームすべてのうち、最も早いスケジューリング時間におけるダウンリンクサブフレームを判断する方法に従って判断される。第1の時間シーケンス関係は、第2のキャリアが単独で構成されるとき、アップリンクACK/NACK時間シーケンス関係である。
【０２０３】
第2のキャリアの非クロスキャリアスケジューリング中としても理解され得る、第2のキャリアの独立スケジューリング中、第2のキャリアは、アップリンクACK/NACKをフィードバックするのに使われ、すなわち、第2のキャリアは、単独で構成され、他のキャリアによってクロスキャリア方式でスケジュールされる必要がない。たとえば、端末は、1つのキャリア、すなわち第2のキャリアで構成されるだけであり、第2のキャリア上のダウンリンクサブフレームに対応するアップリンクACK/NACKは、第2のキャリア上でフィードバックされる。第2のキャリアが、ACK/NACKをフィードバックするのに使われるとき、第2のキャリア上の第3のアップリンクサブフレームがフィードバックすることが可能であるアップリンクACK/NACKに対応する全ダウンリンクサブフレームは、第2のキャリア上の第3のアップリンクサブフレームのACK/NACKフィードバックウィンドウとして理解され得る。たとえば、TDD構成2キャリア上のアップリンクサブフレーム2がフィードバックすることが可能であるアップリンクACK/NACKの最大数に対応するダウンリンクサブフレームは、ダウンリンクサブフレーム4、5、6および8であり、アップリンクサブフレーム2のACK/NACKフィードバックウィンドウは、これら4つのダウンリンクサブフレーム4、5、6および8を含む。基地局が、これら4つのサブフレームのうち一部をスケジュールするだけであっても、フィードバックウィンドウは依然として、4つのサブフレームを含み、このことは、スケジュールされるサブフレームの数に依存しない。第2のキャリア上にあるとともに第1のキャリア上の第5のダウンリンクサブフレームの時間と同じ時間におけるサブフレームは、第2のキャリアが、第2のキャリアが単独で構成されるときの第2のキャリア上の第3のアップリンクサブフレームのACK/NACKフィードバックウィンドウ中に、クロスキャリア方式で第1のキャリアによってスケジュールされるとき、最も早いスケジューリング時間におけるサブフレームである。
【０２０４】
従来技術では、ダウンリンクサブフレーム上のDL_grant中のDL DAIの2ビットにより、ダウンリンクサブフレームに対応するアップリンクサブフレームのACK/NACKフィードバックウィンドウ中にダウンリンクサブフレームがスケジュールされるシーケンスが区別され、つまり、DL_Grantが受信されるシーケンスが識別される。第1のキャリアが、第2のキャリアをクロスキャリア方式でスケジュールするとき、第2のキャリア上にあるとともに第1のキャリア上の第5のダウンリンクサブフレームの時間と同じ時間におけるサブフレーム、すなわち、第2のキャリア上の同じ時間であって、第1のキャリア上の第5のダウンリンクサブフレームの時間を有するサブフレームが、第2のキャリア上の第3のアップリンクサブフレームのアップリンクACK/NACKフィードバックウィンドウ中で、最も早いスケジューリング時間におけるサブフレームであり、端末は、第1のキャリア上の第5のダウンリンクサブフレームからクロスキャリアDL_grantを受信し、DL_grantが、アップリンクサブフレームのACK/NACKフィードバックウィンドウ中の最も早いスケジューリング時間におけるDL_grantであると判断することができ、DL_grant中のDL DAIの値が1であり、DL_grantを指示するスケジューリングシーケンスがDL DAIの値により表示される必要がないとデフォルトで確認することができ、したがって、DL_grantのDL DAIは、クロスキャリアダウンリンクスケジューリングタイプを区別するために使うことができる。具体的な区別方法では、DL DAIの値が「01」である場合、対応するDL_grantによってスケジュールされるものが、クロスキャリアの同じ時間を有するサブフレームであって、クロスキャリアスケジューリングの下の同時ダウンリンクスケジューリングを用いるサブフレームであることを示し、DL DAIの値が「10」である場合、対応するDL_grantによってスケジュールされるものが、クロスキャリア上のクロスサブフレームであって、クロスキャリアスケジューリングの下でダウンリンクスケジュールするクロスサブフレームであることを示し、DL DAIの値が「11」である場合、対応するDL_grantによってスケジュールされるものが、クロスキャリア上の同じ時間を有するサブフレームおよびクロスサブフレームであって、クロスキャリアスケジューリングの下の同時ダウンリンクスケジューリングおよびクロスキャリアスケジューリングの下のクロスサブフレームダウンリンクスケジューリングを用いるサブフレームであることを示す。さらに、他の指示方法を使ってもよく、本発明の実施形態は、いかなる限定も課さない。クロスサブフレームスケジューリングのサブフレームの数が1よりも大きい場合は、クロスサブフレームスケジューリングが義務付けられてもよい。たとえば、DL DAIの値が「01」である場合、対応するDL_grantによってスケジュールされるものが、クロスキャリアの同じ時間を有するサブフレームであって、クロスキャリアスケジューリングの下での同時ダウンリンクスケジューリングを用いるサブフレームであることを示し、DL DAIの値が「10」である場合、対応するDL_grantが、クロスキャリアの下で複数のクロスサブフレームをスケジュールすることを示し、このスケジューリングは、クロスキャリアスケジューリングの下での複数のクロスサブフレームのダウンリンクスケジューリングであり、DL DAIの値が「11」である場合、対応するDL_grantが、クロスキャリアスケジューリングの下での、同じ時間を有するサブフレームおよびクロスキャリアの下での複数のクロスサブフレームをスケジュールすることを示し、このサブフレームは、同時ダウンリンクスケジューリングおよびクロスキャリアスケジューリングの下での複数のクロスサブフレームのダウンリンクスケジューリングを用いるサブフレームである。
【０２０５】
図16Bに示す、第2のキャリア上のPDCCH/PDSCHと、アップリンクACK/NACKとの間のタイミング関係によると、第2のキャリアの独立スケジューリング中に、ダウンリンクサブフレーム8に対応するACK/NACKをフィードバックするためのサブフレームは、アップリンクサブフレーム2であり、アップリンクサブフレーム2のアップリンクACK/NACKフィードバックウィンドウは、4、5、6および8である。たとえば、基地局が、フィードバックウィンドウ中にダウンリンクサブフレームすべてをスケジュールする場合、ダウンリンクサブフレーム4のDL_Grant中のDL DAIの値は1であり、ダウンリンクサブフレーム5のDL_Grant中のDL DAIの値は2であり、ダウンリンクサブフレーム6のDL_Grant中のDL DAIの値は3であり、ダウンリンクサブフレーム8のDL_Grant中のDL DAIの値は4であり、端末は、ダウンリンクサブフレーム4、5、6および8の各々に対応するACK/NACKを、アップリンクサブフレーム2上で基地局にフィードバックする必要があり、基地局が、ダウンリンクサブフレーム4上ではDL_Grantを送らず、ダウンリンクサブフレーム5、6および8の各々の上でDL_Grantを送るだけである場合、端末は、ダウンリンクサブフレーム5、6および8上のDL_Grantの各々に対応するアップリンクACK/NACKを、アップリンクサブフレーム2上で基地局にフィードバックするだけであり、ダウンリンクサブフレーム4上のDL_Grantに対応するACK/NACKを、アップリンクサブフレーム2上で基地局にフィードバックする必要はない。このとき、基地局は、これら4つのサブフレーム4、5、6および8の一部をスケジュールするだけであるが、アップリンクサブフレーム2のアップリンクACK/NACKフィードバックウィンドウは依然として、4、5、6および8であり、アップリンクサブフレームのアップリンクACK/NACKフィードバックウィンドウは、基地局によってスケジュールされるサブフレームの数に依存しない。したがって、アップリンクサブフレーム2のACK/NACKフィードバックウィンドウは、アップリンクサブフレーム2がフィードバックすることが可能であるACK/NACKに対応するダウンリンクサブフレームすべてとして定義される。
【０２０６】
図16Cに示すように、第1のキャリアが第2のキャリアをクロスキャリア方式でスケジュールするシナリオの下で、第1のキャリア上にあるとともに第2のキャリア上のダウンリンクサブフレーム8の時間と同じ時間におけるサブフレーム8は、アップリンクサブフレームである。したがって、第2のキャリア上のダウンリンクサブフレーム8は、第1のキャリアのアップリンクサブフレーム8によりスケジュールすることはできない。どの1つのアップリンクサブフレームも、第2のキャリア上で判断され、アップリンクサブフレームのアップリンクACK/NACKフィードバックウィンドウは、第2のキャリアが、アップリンクACK/NACKをフィードバックするのに使われるときに判断される。その後、第2のキャリアが第1のキャリアによってクロスキャリア方式でスケジュールされるときの最も早いスケジューリング時間におけるサブフレームは、アップリンクサブフレームのACK/NACKフィードバックウィンドウ中に判断され、第2のキャリアのダウンリンクサブフレーム8をスケジュールするためのDL_grantは、最も早いスケジューリング時間におけるサブフレームの上に適合され、送られてよく、第1のキャリア上での同じ時間であるとともに最も早いスケジューリング時間におけるサブフレームの時間を有するサブフレームは、ダウンリンクサブフレーム8の時間の前である。
【０２０７】
たとえば、アップリンクサブフレーム2は、第2のキャリア上にあると判断され、アップリンクサブフレーム2のACK/NACKフィードバックウィンドウは、4、5、6および8である。第1のキャリアが、第2のキャリアをクロスキャリア方式でスケジュールするとき、アップリンクサブフレーム2のACK/NACKフィードバックウィンドウ中のダウンリンクサブフレームすべてのうち、最も早いスケジューリング時間におけるサブフレームは、ダウンリンクサブフレーム4であり、第2のキャリアのダウンリンクサブフレーム8をスケジュールするためのDL_grantは、第1のキャリアのダウンリンクサブフレーム4の上に適合させることができ、第1のキャリアのダウンリンクサブフレーム4の時間は、第2のキャリアのダウンリンクサブフレーム8の時間の前である。第1のキャリアのダウンリンクサブフレーム4上で、クロスキャリアスケジューリングのDL_grantを受信するとき、端末は、DL_grantが、第2のキャリア上のアップリンクサブフレームのアップリンクACK/NACKフィードバックウィンドウ中の最も早いスケジューリング時間におけるDL_grantであると判断してよく、DL_grant中のDL DAIの値は、デフォルトで1であり得る。第1のキャリアのダウンリンクサブフレーム4のDL DAIは、第1のキャリアのダウンリンクサブフレーム4上のクロスキャリアスケジューリングタイプを区別し、すなわち、第1のキャリアのダウンリンクサブフレーム4上のDL_grantが、第2のキャリアの同じ時間を有するサブフレームまたは第2のキャリア上のクロスサブフレームをクロスキャリア方式でスケジュールするのか、それとも同じ時間を有するサブフレームおよび第2のキャリア上のクロスサブフレームを同時にスケジュールするのか区別するのに採用される。
【０２０８】
さらに、図16Bに示すように、アップリンクサブフレーム7は、第2のキャリア上にあると判断され、基地局は、ACK/NACKをフィードバックするのに第2のキャリアが使われるとき、第1のキャリアのダウンリンクサブフレーム9、0、1および3の各々の上でDL_Grantを送るので、アップリンクサブフレーム7のACK/NACKフィードバックウィンドウは、ダウンリンクサブフレーム9、0、1および3である。第1のキャリアが、第2のキャリアをクロスキャリア方式でスケジュールするとき、アップリンクサブフレーム7のACK/NACKフィードバックウィンドウ中のダウンリンクサブフレームすべてのうち、最も早いスケジューリング時間におけるサブフレームは、ダウンリンクサブフレーム9であり、第2のキャリアのダウンリンクサブフレーム8をスケジュールするためのDL_grantも、第1のキャリアのダウンリンクサブフレーム9の上に適合させることができ、第1のキャリアのダウンリンクサブフレーム9の時間は、第2のキャリアのダウンリンクサブフレーム8の時間の前である。第1のキャリアのダウンリンクサブフレーム4上での第2のキャリアのダウンリンクサブフレーム8のDL_grantの送付は、第1のキャリアのダウンリンクサブフレーム9上での第2のキャリアのダウンリンクサブフレーム8のDL_grantの送付と比較され、基地局による、第1のキャリア上のDL_Grantの、端末への送付から、端末による、第2のキャリア上のDL_GrantによってスケジュールされるPDSCHの受信までの遅延は、より短い。
【０２０９】
図16Cに示すように、第1のキャリアが第2のキャリアをクロスキャリア方式でスケジュールするシナリオの下で、第1のキャリア上にあるとともに第2のキャリア上のダウンリンクサブフレーム4の時間と同じ時間におけるサブフレーム4は、アップリンクサブフレームである。したがって、第2のキャリア上のダウンリンクサブフレーム4は、第1のキャリア上の同じ時間を有するサブフレーム、すなわち第1のキャリアのアップリンクサブフレーム4によりスケジュールすることができる。第2のキャリアが、アップリンクACK/NACKをフィードバックするのに使われるとき、アップリンクサブフレーム2のACK/NACKフィードバックウィンドウは、4、5、6および8である。第1のキャリアが、第2のキャリアをクロスキャリア方式でスケジュールするとき、第2のキャリア上のダウンリンクサブフレーム5が、アップリンクサブフレーム2のACK/NACKフィードバックウィンドウ中で、最も早いスケジューリング時間におけるダウンリンクサブフレームになり、第2のキャリアのダウンリンクサブフレーム4をスケジュールするためのDL_grantは、第1のキャリアのダウンリンクサブフレーム5の上に適合され得る。クロスキャリアダウンリンクスケジューリングタイプは、第1のキャリアのダウンリンクサブフレーム5上での、クロスキャリアスケジューリングのDL_grant中のDL DAIにより区別される。
【０２１０】
図16Dに示すように、第1のキャリアが第2のキャリアをクロスキャリア方式でスケジュールするシナリオの下で、第1のキャリア上にあるとともに第2のキャリア上のダウンリンクサブフレーム7の時間と同じ時間におけるサブフレーム7は、アップリンクサブフレームである。したがって、第2のキャリア上のダウンリンクサブフレーム7は、第1のキャリア上の同じ時間を有するサブフレームによりスケジュールすることはできない。アップリンクサブフレーム2は、第2のキャリア上であると判断することができ、第2のキャリアが、アップリンクACK/NACKをフィードバックするのに使われるとき、アップリンクサブフレーム2のACK/NACKフィードバックウィンドウは、1、5および6である。第1のキャリアが第2のキャリアをスケジュールするとき、アップリンクサブフレーム2のアップリンクACK/NACKフィードバックウィンドウ中のダウンリンクサブフレームすべてのうち、最も早いスケジューリング時間におけるサブフレームは、ダウンリンクサブフレーム1であり、第2のキャリアのダウンリンクサブフレーム7をスケジュールするためのDL_grantは、第1のキャリアのダウンリンクサブフレーム1の上に適合させることができ、第1のキャリアのダウンリンクサブフレーム1の時間は、第2のキャリアのダウンリンクサブフレーム7の時間の前である。第1のキャリアのダウンリンクサブフレーム1におけるクロスキャリアダウンリンクスケジューリングタイプは、第1のキャリアのダウンリンクサブフレーム1上のDL_grant中のDL DAIを採用することによって区別される。さらに、アップリンクサブフレーム4は、第2のキャリア上であると判断することもでき、第2のキャリアが、アップリンクACK/NACKをフィードバックするのに使われるとき、アップリンクサブフレーム4のACK/NACKフィードバックウィンドウは、0および9である。第1のキャリアが第2のキャリアをスケジュールするとき、アップリンクサブフレーム4のアップリンクACK/NACKフィードバックウィンドウ中のダウンリンクサブフレームすべてのうち、最も早いスケジューリング時間におけるサブフレームは、ダウンリンクサブフレーム0であり、第2のキャリアのダウンリンクサブフレーム7をスケジュールするためのDL_grantは、
第1のキャリアのダウンリンクサブフレーム0の上に適合させることができ、第1のキャリアのダウンリンクサブフレーム1におけるクロスキャリアダウンリンクスケジューリングタイプは、第1のキャリアのダウンリンクサブフレーム1上のDL_grant中のDL DAIにより区別される。さらに、アップリンクサブフレーム3は、第2のキャリア上であると判断することもでき、第2のキャリアが、ACK/NACKをフィードバックするのに使われるとき、アップリンクサブフレーム4のアップリンクACK/NACKフィードバックウィンドウは、7および8である。第1のキャリアが第2のキャリアをスケジュールするとき、アップリンクサブフレーム3のアップリンクACK/NACKフィードバックウィンドウ中のダウンリンクサブフレームすべてのうち、最も早いスケジューリング時間におけるサブフレームは、ダウンリンクサブフレーム8であり、第2のキャリアのダウンリンクサブフレーム7をスケジュールするためのDL_grantは、第1のキャリアのダウンリンクサブフレーム8の上に適合させることができ、第1のキャリアのダウンリンクサブフレーム8におけるクロスキャリアダウンリンクスケジューリングタイプは、第1のキャリアのダウンリンクサブフレーム8上のDL_grant中のDL DAIにより区別される。
【０２１１】
従来技術では、第2のキャリア上のダウンリンクサブフレームAに対応する時間において、第1のキャリア上のサブフレームがダウンリンクサブフレームである場合、第2のキャリア上のPDCCHが第1のキャリア上で運ばれるとき、基地局は、ダウンリンクサブフレームAの同じ時間をもつとともに第1のキャリア上のサブフレーム、すなわち、第1のキャリア上にあるとともにダウンリンクサブフレームAの時間と同じ時間におけるダウンリンクサブフレーム上で、第2のキャリア上のダウンリンクサブフレームAに対応するダウンリンクスケジューリング情報を端末に送るだけである。ダウンリンクスケジューリング情報を送るための次のような実施形態において、基地局は、ダウンリンクサブフレームAの同じ時間を有するとともに第1のキャリア上のサブフレーム、すなわち、第1のキャリア上にあるとともにダウンリンクサブフレームAの時間と同じ時間におけるダウンリンクサブフレーム上で、または第1のキャリア上にあるとともにダウンリンクサブフレームAの時間の前の時間におけるダウンリンクサブフレーム上で、第2のキャリア上のダウンリンクサブフレームAに対応するダウンリンクスケジューリング情報を端末に送ることができる。
【０２１２】
図17Aは、本発明によって提供される、ダウンリンクスケジューリング情報を送るための方法の実施形態7を示すフローチャートである。図17Aに示すように、本実施形態は、次のようなステップを含む。
【０２１３】
ステップ171:基地局は、第2のキャリア上のダウンリンクサブフレーム中で、ダウンリンクサブフレームAを判断する。
【０２１４】
ステップ172:基地局は、第1のキャリア上のダウンリンクサブフレームB上で、第2のキャリア上のダウンリンクサブフレームAのダウンリンクスケジューリング情報を端末に送り、第2のキャリア上のダウンリンクサブフレームAの時間と同じ時間での第1のキャリア上のサブフレームがアップリンクサブフレームである場合、ダウンリンクサブフレームBに対応する時間は、ダウンリンクサブフレームAに対応する時間の前であり、または第2のキャリア上のダウンリンクサブフレームAの時間と同じ時間での第1のキャリア上のサブフレームがダウンリンクサブフレームである場合、ダウンリンクサブフレームBに対応する時間は、ダウンリンクサブフレームAに対応する時間の前であり、もしくはダウンリンクサブフレームBに対応する時間は、ダウンリンクサブフレームAに対応する時間と同じ時間である。
【０２１５】
第1のキャリア上の同じ時間であって、第2のキャリア上のダウンリンクサブフレームAの時間を有するサブフレーム、すなわち、第1のキャリア上にあるとともに第2のキャリア上のダウンリンクサブフレームAの時間と同じ時間におけるサブフレームが、アップリンクサブフレームである場合、ダウンリンクサブフレームAの時間の前の時間におけるダウンリンクサブフレームBは、第1のキャリア上にあると判断され、第2のキャリア上のダウンリンクサブフレームAに対応するダウンリンクスケジューリング情報は、第1のキャリアのダウンリンクサブフレームB上で、端末に送られる。図16Cに示すように、第2のキャリア上のダウンリンクサブフレーム4に対応するダウンリンクスケジューリング情報は、第1のキャリア上のダウンリンクサブフレーム1の上に適合され、送られる。第2のキャリア上のダウンリンクサブフレーム9に対応するダウンリンクスケジューリング情報は、第1のキャリア上のダウンリンクサブフレーム6の上に適合され、送られる。
【０２１６】
第2のキャリア上のダウンリンクサブフレームAの時間と同じ時間での第1のキャリア上のサブフレームがダウンリンクサブフレームである場合、基地局は、ダウンリンクサブフレームAと同じ時間を有するとともに第1のキャリア上にあるサブフレーム、すなわち、第1のキャリア上にあるとともにダウンリンクサブフレームAの時間と同じ時間におけるダウンリンクサブフレーム上で、第2のキャリア上のダウンリンクサブフレームAに対応するダウンリンクスケジューリング情報を端末に送ることができる。図17Bに示すように、第1のキャリア上のダウンリンクサブフレーム0に対応するダウンリンクスケジューリング情報は、第1のキャリア上のダウンリンクサブフレーム0上で端末に送ることができる。
【０２１７】
第2のキャリア上のダウンリンクサブフレームAに対応する時間において、第1のキャリア上のサブフレームがダウンリンクサブフレームである場合、基地局は、第1のキャリア上にあるとともにダウンリンクサブフレームAの時間の前の時間におけるダウンリンクサブフレーム上で、第2のキャリア上のダウンリンクサブフレームAに対応するダウンリンクスケジューリング情報を端末に送ることもできる。図16Bに示すように、基地局は、第2のキャリア上のダウンリンクサブフレーム1に対応するダウンリンクスケジューリング情報を、第1のキャリア上のダウンリンクサブフレーム0上で端末に送ることができ、基地局は、第2のキャリア上のダウンリンクサブフレーム6に対応するダウンリンクスケジューリング情報を、第1のキャリア上のダウンリンクサブフレーム5上で端末に送ることができる。
【０２１８】
さらに、基地局は、ダウンリンクスケジューリング情報によってクロスキャリア方式でスケジュールされる第2のキャリア上のダウンリンクサブフレームを、ダウンリンクスケジューリング情報中のサブフレームインジケータフィールドにより、端末に対して指示し、したがって、第1のキャリア上で、第2のキャリアのダウンリンクスケジューリング情報を受信するとき、端末は、ダウンリンクスケジューリング情報によってスケジュールされたダウンリンクデータがその上で受信される、第2のキャリアのダウンリンクサブフレームを判断する。第1のキャリア上のダウンリンクスケジューリング情報中のサブフレームインジケータフィールドは少なくとも、第1の値、第2の値、第3の値および第4の値のうち少なくとも1つを含む。
【０２１９】
たとえば、第1のキャリア上のPDCCH中にビットを新たに追加することができ、ダウンリンクデータが第1のキャリア上のダウンリンクスケジューリング情報によってクロスキャリア方式でその上にスケジュールされる、第2のキャリア上のダウンリンクサブフレームは、新規追加ビットにより指示される。新規追加ビットは、サブフレームインジケータフィールド(Sub-frame Indicator Field、略してSIF)と呼ばれる。一例としてTDDシステムをとり上げると、ダウンリンクスケジューリング情報中の新規追加SIFは2ビットであり、第1の値は00でよく、第2の値は01でよく、第3の値は10でよく、第4の値は11でよい。サブフレームインジケータフィールドの値が00であることは、ダウンリンクスケジューリング情報によってクロスキャリア方式でスケジュールされる第2のキャリア上のダウンリンクサブフレームAに対応する時間が、第1のキャリア上のダウンリンクサブフレームBに対応する時間と同じであることを示し、サブフレームインジケータフィールドの値が01であることは、ダウンリンクスケジューリング情報によってクロスキャリア方式でスケジュールされる第2のキャリア上のダウンリンクサブフレームAが、第1のキャリア上のダウンリンクサブフレームBに対応する時間に遅れる第1のダウンリンクサブフレームであり、すなわち、第2のキャリアのダウンリンクサブフレームAが、第2のキャリア上の同じ時間を有するサブフレームであって、第1のキャリア上のダウンリンクサブフレームBのサブフレームに遅れる第1のダウンリンクサブフレームであることを示し、サブフレームインジケータフィールドの値が10であることは、ダウンリンクスケジューリング情報によってクロスキャリア方式でスケジュールされる第2のキャリア上のダウンリンクサブフレームAが、第1のキャリア上のダウンリンクサブフレームBに対応する時間に遅れる第2のダウンリンクサブフレームであることを示し、サブフレームインジケータフィールドの値が11であることは、ダウンリンクスケジューリング情報によってクロスキャリア方式でスケジュールされる第2のキャリア上のダウンリンクサブフレームAが、第1のキャリア上のダウンリンクサブフレームBに対応する時間に遅れる第3のダウンリンクサブフレームであることを示す。
【０２２０】
基地局は、ダウンリンクスケジューリング情報によってクロスキャリア方式でスケジュールされる第2のキャリア上のダウンリンクサブフレームを、ダウンリンクスケジューリング情報中のダウンリンク割当て指示(Downlink Assignment Indication、略してDL DAI)により、端末に対して指示し、具体的な指示方法は、SIFにより指示を実施するための方法と同じである。たとえば、DL DAIの値が00であることは、ダウンリンクスケジューリング情報によってクロスキャリア方式でスケジュールされる第2のキャリア上のダウンリンクサブフレームAに対応する時間が、第1のキャリア上のダウンリンクサブフレームBに対応する時間と同じであることを示し、DL DAIの値が01であることは、ダウンリンクスケジューリング情報によってクロスキャリア方式でスケジュールされる第2のキャリア上のダウンリンクサブフレームAが、第1のキャリア上のダウンリンクサブフレームBに対応する時間に遅れる第1のダウンリンクサブフレームであり、すなわち、第2のキャリアのダウンリンクサブフレームAが、第2のキャリア上の同じ時間を有するサブフレームであって、第1のキャリア上のダウンリンクサブフレームBのサブフレームに遅れる第1のダウンリンクサブフレームであることを示し、DL DAIの値が10であることは、ダウンリンクスケジューリング情報によってクロスキャリア方式でスケジュールされる第2のキャリア上のダウンリンクサブフレームAが、第1のキャリア上のダウンリンクサブフレームBに対応する時間に遅れる第2のダウンリンクサブフレームであることを示し、DL DAIの値が11であることは、ダウンリンクスケジューリング情報によってクロスキャリア方式でスケジュールされる第2のキャリア上のダウンリンクサブフレームAが、第1のキャリア上のダウンリンクサブフレームBに対応する時間に遅れる第3のダウンリンクサブフレームであることを示す。
【０２２１】
次の図17Bおよび図17Cは、クロスキャリアスケジューリングのDL-Grant中で、DL-Grantによってクロスキャリア方式でスケジュールされる第2のキャリア上のダウンリンクサブフレームをどのように指示するか、すなわち、DL-Grantによってクロスキャリア方式でスケジュールされたダウンリンクデータが置かれる、第2のキャリア上のダウンリンクサブフレームをどのように指示するかを示すための例としてとり上げられる。
【０２２２】
図17Bに示すように、基地局は、第2のキャリア上のダウンリンクサブフレーム1に対応するDL-Grantを、第1のキャリア上のダウンリンクサブフレーム0上で端末に送る。第2のキャリア上のダウンリンクサブフレーム1は、第2のキャリア上の同じ時間を有するとともに、第1のキャリア上のダウンリンクサブフレーム0の時間に遅れる第1のダウンリンクサブフレームであり、したがって基地局は、第1のキャリア上のダウンリンクサブフレーム0のPDCCH中で、クロスキャリア方式でスケジュールされる、第2のキャリア上のダウンリンクサブフレーム1に対応するDL-Grantに対応するSIFの値を01にセットする。
【０２２３】
図17Cに示すように、第2のキャリア上のダウンリンクサブフレーム3、4、8および9の時間と同じ時間における第1のキャリア上のサブフレームは、アップリンクサブフレームであり、すなわち、第1のキャリア上にあるとともに、第2のキャリア上のダウンリンクサブフレーム3、4、8および9のうち、同じ時間をもつサブフレームは、アップリンクサブフレームである。クロスキャリアスケジューリング中、第2のキャリアのダウンリンクサブフレーム3、4、8および9に対応するダウンリンクスケジューリング情報は、第1のキャリア上で送られる。第2のキャリアのダウンリンクサブフレーム3に対応するDL-Grantは、第1のキャリア上のダウンリンクサブフレーム0の上にクロスサブフレーム方式で適合させ、運ぶことができ、第2のキャリアのダウンリンクサブフレーム4に対応するDL-Grantは、第1のキャリア上のダウンリンクサブフレーム1の上にクロスサブフレーム方式で適合させ、運ぶことができ、第2のキャリアのダウンリンクサブフレーム8に対応するDL-Grantは、第1のキャリア上のダウンリンクサブフレーム5の上にクロスサブフレーム方式で適合させ、運ぶことができ、第2のキャリアのダウンリンクサブフレーム9に対応するDL-Grantは、第1のキャリア上のダウンリンクサブフレーム6の上にクロスサブフレーム方式で適合させ、運ぶことができる。
【０２２４】
第2のキャリアのダウンリンクサブフレーム3に対応するDL-Grantが、第1のキャリア上のダウンリンクサブフレーム0の上にクロスサブフレーム方式で適合され、運ばれた後、第1のキャリア上のダウンリンクサブフレーム0は、第1のキャリア上のダウンリンクサブフレーム0に対応するDL-Grant、第2のキャリア上のダウンリンクサブフレーム0に対応するDL-Grant(同時スケジューリングを用いるクロスキャリアサブフレーム)、および第2のキャリア上のダウンリンクサブフレーム3に対応するDL-Grant(クロスキャリアクロスサブフレームスケジューリング)を運ぶ。基地局は、第1のキャリア上のダウンリンクサブフレーム0のPDCCH中で、クロスキャリア方式でスケジュールされる、第2のキャリア上のダウンリンクサブフレーム0に対応するDL-Grantに対応するSIFの値を00に、および第2のキャリア上のダウンリンクサブフレーム3に対応するDL-Grantに対応するSIFの値を11にセットする。同様に、基地局は、第1のキャリア上のダウンリンクサブフレーム1上で、クロスキャリア方式でスケジュールされる、第2のキャリア上のダウンリンクサブフレーム1に対応するDL-Grantに対応するSIFの値を00に、および第2のキャリア上のダウンリンクサブフレーム4に対応するDL-Grantに対応するSIFの値を11にセットする。同様に、基地局は、第1のキャリア上のダウンリンクサブフレーム5上で、クロスキャリア方式でスケジュールされる、第2のキャリア上のダウンリンクサブフレーム5に対応するダウンリンクスケジューリング情報に対応するSIFの値を00に、および第2のキャリア上のダウンリンクサブフレーム8に対応するDL-Grantに対応するSIFの値を11にセットする。同様に、基地局は、第1のキャリア上のダウンリンクサブフレーム6上で、クロスキャリア方式でスケジュールされる、第2のキャリア上のダウンリンクサブフレーム6に対応するDL-Grantに対応するSIFの値を00に、および第2のキャリア上のダウンリンクサブフレーム9に対応するDL-Grantに対応するSIFの値を11にセットする。
【０２２５】
本発明の実施形態の、ダウンリンクスケジューリング情報を送るための方法において、第1のキャリアが第2のキャリア上のPDCCHを運ぶとき、第2のキャリア上のダウンリンクサブフレームAに対応する時間において、第1のキャリア上のサブフレームがアップリンクサブフレームである場合、基地局は、時間がダウンリンクサブフレームAに対応する時間の前である第1のキャリア上のダウンリンクサブフレームB上で、第2のキャリア上のダウンリンクサブフレームAに対応するダウンリンクスケジューリング情報を端末に送り、したがって、第1のキャリアが、第2のキャリアをクロスキャリア方式でスケジュールするとき、基地局は、第1のキャリア上で、第2のキャリア上のPDSCHをスケジュールするためのダウンリンクスケジューリング情報を端末に送ることができる。第2のキャリア上のダウンリンクサブフレームAに対応する時間において、第1のキャリア上のサブフレームがダウンリンクサブフレームである場合、基地局は、時間がダウンリンクサブフレームAに対応する時間の前である第1のキャリア上のダウンリンクサブフレームB上で、第2のキャリア上のダウンリンクサブフレームAに対応するダウンリンクスケジューリング情報を端末に送ることができ、または、第1のキャリアのダウンリンクサブフレームA上で、第2のキャリア上のダウンリンクサブフレームAに対応するダウンリンクスケジューリング情報を端末に送ることもできる。さらに、基地局は、ダウンリンクスケジューリング情報によってクロスキャリア方式でスケジュールされる第2のキャリア上のダウンリンクサブフレームを、ダウンリンクスケジューリング情報中の新規追加サブフレームインジケータフィールドにより、端末に対してさらに指示し、したがって、第1のキャリア上で、第2のキャリアのダウンリンクスケジューリング情報を受信するとき、端末は、ダウンリンクスケジューリング情報によってスケジュールされたダウンリンクデータがその上で受信される、第2のキャリアのダウンリンクサブフレームを判断する。
【０２２６】
図18は、本発明によって提供される、ダウンリンクスケジューリング情報を受信するための方法の実施形態2のフローチャートである。本実施形態は、図17Aに対応する実施形態において、基地局が、PDCCH中で、ダウンリンクスケジューリング情報についてのサブフレームインジケータフィールドを追加した後、端末が、第2のキャリア上の対応するダウンリンクサブフレーム上で、ダウンリンクスケジューリング情報に対応するダウンリンクデータを、サブフレームインジケータフィールドによりどのようにして受信するかを示す。図18に示すように、本実施形態は、次のようなステップを含む。
【０２２７】
ステップ181:端末が、第1のキャリア上のダウンリンクサブフレームB上で、基地局によって送られた、第2のキャリア上のダウンリンクサブフレームAのダウンリンクスケジューリング情報を受信し、第2のキャリア上のダウンリンクサブフレームAの時間と同じ時間での第1のキャリア上のサブフレームがアップリンクサブフレームである場合、ダウンリンクサブフレームBに対応する時間は、ダウンリンクサブフレームAに対応する時間の前であり、または第2のキャリア上のダウンリンクサブフレームAの時間と同じ時間での第1のキャリア上のサブフレームがダウンリンクサブフレームである場合、ダウンリンクサブフレームBに対応する時間は、ダウンリンクサブフレームAに対応する時間の前であり、もしくはダウンリンクサブフレームBに対応する時間は、ダウンリンクサブフレームAに対応する時間と同じ時間である。
【０２２８】
ステップ182:端末は、第2のキャリア上のダウンリンクサブフレームA上で、受信したダウンリンクスケジューリング情報に従って、ダウンリンクスケジューリング情報に対応するダウンリンクデータを受信する。
【０２２９】
図16Aに対応する実施形態と組み合わせて、図17Bに示すように、第2のキャリアのダウンリンクサブフレーム3に対応するDL-Grantが、第1のキャリア上のダウンリンクサブフレーム0の上にクロスサブフレーム方式で適合され、運ばれた後、基地局は、第1のキャリア上のダウンリンクサブフレーム0のPDCCH中で、PDSCHのDL-Grantに対応するSIFの値を、クロスキャリア方式でスケジュールされる、第2のキャリア上のダウンリンクサブフレーム0上で00に、および第2のキャリア上のダウンリンクサブフレーム3上の、PDSCHのDL-Grantに対応するSIFの値を11にセットする。端末は、第1のキャリア上のダウンリンクサブフレーム0のPDCCH上で、3つのPDSCHのDL-Grantを受信する。そのうち1つのDL-Grantに対応するSIFの値は00であり、端末は、DL-Grantによってクロスキャリア方式でスケジュールされる第2のキャリア上のダウンリンクサブフレームが、第2のキャリアにあるとともに第1のキャリア上のダウンリンクサブフレーム0と同じ時間を有するサブフレームである、すなわち、DL-Grantによってクロスキャリア方式でスケジュールされる第2のキャリア上のダウンリンクサブフレームが、第1のキャリア上のダウンリンクサブフレーム0の時間と同じ時間であり、DL-GrantによってスケジュールされるPDSCHが、第2のキャリアのダウンリンクサブフレーム0上で受信されると判断することができ、そのうち別のDL-Grantに対応するSIFの値は11であり、端末は、DL-Grantによってクロスキャリア方式でスケジュールされる第2のキャリア上のダウンリンクサブフレームが、第1のキャリア上のダウンリンクサブフレーム0に対応する時間に遅れる時間における第3のダウンリンクサブフレームであり、DL-Grantによってスケジュールされたダウンリンクスケジューリングデータが、第2のキャリアのダウンリンクサブフレーム3上で受信されると判断することができ、さらに別のDL-Grantは、対応するSIFをもたず、端末は、DL-Grantが、第1のキャリア上のダウンリンクサブフレーム0のPDSCHを、サブフレーム中で、同一キャリアスケジューリングの下の同時スケジューリング方式を用いてスケジュールすると判断する。
【０２３０】
本発明の実施形態の、ダウンリンクスケジューリング情報を受信するための方法において、第1のキャリアが第2のキャリア上のPDCCHを運ぶとき、第2のキャリア上のダウンリンクサブフレームAに対応する時間と同じ時間における第1のキャリア上のサブフレームがアップリンクサブフレームである場合、端末デバイスは、時間がダウンリンクサブフレームAに対応する時間の前である第1のキャリア上のダウンリンクサブフレームB上で、基地局によって送られる、第2のキャリア上のダウンリンクサブフレームAに対応するダウンリンクスケジューリング情報を受信し、したがって、第1のキャリアが、第2のキャリアをクロスキャリア方式でスケジュールするとき、基地局は、第1のキャリア上で、第2のキャリア上のPDSCHをスケジュールするためのダウンリンクスケジューリング情報を端末に送ることができる。第2のキャリア上のダウンリンクサブフレームAに対応する時間と同じ時間における第1のキャリア上のサブフレームがダウンリンクサブフレームである場合、端末は、時間がダウンリンクサブフレームAに対応する時間の前である第1のキャリア上のダウンリンクサブフレームB上で、基地局によって送られる、第2のキャリア上のダウンリンクサブフレームAに対応するダウンリンクスケジューリング情報を受信することができ、または、第1のキャリアのダウンリンクサブフレームA上で、第2のキャリア上のダウンリンクサブフレームAに対応するダウンリンクスケジューリング情報を端末に送ることもできる。さらに、基地局は、ダウンリンクスケジューリング情報によってクロスキャリア方式でスケジュールされる第2のキャリア上のダウンリンクサブフレームを、ダウンリンクスケジューリング情報中の新規追加サブフレームインジケータフィールドにより、端末に対してさらに指示し、したがって、第1のキャリア上で、第2のキャリアのダウンリンクスケジューリング情報を受信するとき、端末は、ダウンリンクスケジューリング情報によってスケジュールされたダウンリンクデータがその上で受信される、第2のキャリアのダウンリンクサブフレームを判断する。
【０２３１】
アップリンクスケジューリング情報を送るための次のような実施形態において、非クロスキャリアスケジューリング中の、第2のキャリア上のアップリンクサブフレームCをスケジュールするためのダウンリンクサブフレームEに対応する時間において、第1のキャリア上のサブフレームがダウンリンクサブフレームである場合、基地局は、第2のキャリア上のアップリンクサブフレームCをスケジュールするためのUL_grantを、第1のキャリアのダウンリンクサブフレームE上で端末に送ることができ、基地局は、第1のキャリア上のどの1つのダウンリンクサブフレーム上でも、第2のキャリア上のアップリンクサブフレームCをスケジュールするためのUL_grantを端末に送ることもでき、ダウンリンクサブフレームは、第2のキャリアのアップリンクサブフレームCの時間の前の時間であり、最小スケジューリング間隔、すなわち第2のキャリアのダウンリンクサブフレームとアップリンクサブフレームCとの間のN個のサブフレームを満足する。ただし、従来技術では、基地局は、第2のキャリア上のアップリンクサブフレームCをスケジュールするためのUL_grantを、第1のキャリアのダウンリンクサブフレームE上で端末に送ることしかできない。
【０２３２】
図19Aは、本発明によって提供される、アップリンクスケジューリング情報を送るための方法の実施形態5のフローチャートである。図19Aに示すように、本実施形態は、次のようなステップを含む。
【０２３３】
ステップ191:基地局は、第2のキャリア上のアップリンクサブフレーム中で、アップリンクサブフレームCを判断する。
【０２３４】
ステップ192:基地局は、第1のキャリア上のダウンリンクサブフレームD上で、第2のキャリア上のダウンリンクサブフレームCのアップリンクスケジューリング情報を端末に送り、第1のキャリア上のサブフレームEに対応する時間とアップリンクサブフレームCに対応する時間との間の間隔は、スケジューリング間隔、すなわちN個のサブフレームであり、サブフレームEがダウンリンクサブフレームである場合、ダウンリンクサブフレームDおよびサブフレームEは、同じ時間をもつサブフレームであり、もしくはダウンリンクサブフレームDがサブフレームEの前であり、またはサブフレームEがアップリンクサブフレームである場合、ダウンリンクサブフレームDはサブフレームEの前であり、Nは、少なくとも、端末によるアップリンクスケジューリング情報の受信と、端末による、アップリンクスケジューリング情報に対応するアップリンクデータの送付との間で離間されるサブフレームの数である。
【０２３５】
第1のキャリア上のサブフレームEに対応する時間と、アップリンクサブフレームCに対応する時間との間の間隔が、スケジューリング間隔、すなわちN個のサブフレームであるとき、およびサブフレームEがダウンリンクサブフレームである場合、基地局は、第1のキャリアのサブフレームE上で、または第1のキャリア上にあるとともにサブフレームEの時間の前の時間におけるダウンリンクサブフレーム上で、第2のキャリア上のアップリンクサブフレームCをスケジュールするためのアップリンクスケジューリング情報を端末に送ることができ、またはサブフレームEがアップリンクサブフレームである場合、基地局は、第1のキャリア上にあるとともにサブフレームEの時間の時間の前であるダウンリンクサブフレーム上で、第2のキャリア上のアップリンクサブフレームCをスケジュールするためのアップリンクスケジューリング情報を端末に送ることができる。
【０２３６】
アップリンクサブフレームCをスケジュールするためのダウンリンクサブフレームに対応する時間において、第1のキャリア上のサブフレームが、第2のキャリアの非クロスキャリアスケジューリング中のアップリンクサブフレームG、すなわち、個々の構成であるとき、アップリンクサブフレームGとアップリンクサブフレームCが、N個のサブフレームだけ離間される場合、ダウンリンクサブフレームDはアップリンクサブフレームGの前であり、アップリンクサブフレームGとアップリンクサブフレームCがN個より多いサブフレームだけ離間され、最小スケジューリング間隔、すなわちサブフレームEとアップリンクサブフレームCとの間のN個のサブフレームを満たす第1のキャリア上のサブフレームEがアップリンクサブフレームである場合、ダウンリンクサブフレームDは、第1のキャリア上にあるとともにサブフレームEの時間の前の時間におけるダウンリンクサブフレームであり、またはアップリンクサブフレームGとアップリンクサブフレームCが、N個より多いサブフレームだけ離間され、最小スケジューリング間隔、すなわちサブフレームEとアップリンクサブフレームCとの間のN個のサブフレームを満たす第1のキャリア上のサブフレームEがダウンリンクサブフレームである場合、ダウンリンクサブフレームDは、第1のキャリアのサブフレームEであってよく、もしくは第1のキャリア上にあるとともにサブフレームEの時間の前の時間におけるダウンリンクサブフレームであってもよい。
【０２３７】
一例としてTDDシステムをとり上げ、基地局によるUL_grantの送付から、端末による、対応するPUSCHの送付までの遅延を考慮すると、基地局によるUL-grantの送付から、端末による、対応するPUSCHの送付まで、少なくとも4つのサブフレームだけ離間される。図19Bに示すように、基地局は、第1のキャリア上の、どの1つのダウンリンクサブフレーム上でも、第2のキャリア上のアップリンクサブフレーム2を端末にスケジュールするためのUL-grantを送ることができ、ダウンリンクサブフレームは、第2のキャリア上のアップリンクサブフレーム2に対応する時間におけるものであり、ダウンリンクサブフレームとアップリンクサブフレーム2は、4つのサブフレームだけ少なくとも離間される。たとえば、第1のキャリア上のダウンリンクサブフレーム6と第2のキャリア上のアップリンクサブフレーム2は、4つのサブフレームだけ離間され、第1のキャリアのダウンリンクサブフレーム6の時間は、第2のキャリアのアップリンクサブフレーム2の時間の前である。したがって、第2のキャリアのPDCCHが第1のキャリア上で運ばれるとき、基地局は、第2のキャリア上のアップリンクサブフレーム2をスケジュールするためのUL-grantを、第1のキャリア上のダウンリンクサブフレーム6上で端末に送ることができる。また、たとえば、第1のキャリアのダウンリンクサブフレーム9と第2のキャリア上のアップリンクサブフレーム2は、7つのサブフレームだけ離間され、第1のキャリアのダウンリンクサブフレーム9の時間は、第2のキャリアのアップリンクサブフレーム2の時間の前である。したがって、基地局は、第2のキャリア上のアップリンクサブフレーム2をスケジュールするためのUL-grantを、第1のキャリアのダウンリンクサブフレーム9上で端末に送ることもできる。
【０２３８】
図19Bに示すように、最小スケジューリング間隔、すなわちサブフレームと第2のキャリアのアップリンクサブフレーム8との間の4つのサブフレームを満たす第1のキャリア上のサブフレームがアップリンクサブフレーム4であり、第2のキャリアのPDCCHが第1のキャリア上で運ばれるとき、第2のキャリア上のアップリンクサブフレームをスケジュールするためのUL-grantは、第1のキャリアのアップリンクサブフレーム4上では端末に送ることができない。基地局によるUL_grantの送付から、端末による、対応するPUSCHの送付までの遅延を考慮すると、第2のキャリアのアップリンクサブフレーム8をスケジュールするためのUL_grantは、第1のキャリア上のダウンリンクサブフレーム1の上に適合され、運ばれ得る。第1のキャリア上のダウンリンクサブフレーム1の時間は、第2のキャリアのアップリンクサブフレーム8の時間の前であり、ダウンリンクサブフレーム1とアップリンクサブフレーム8は、8つのサブフレームだけ離間され、そうすることによって、最小スケジューリング間隔、すなわち4つのサブフレームという要件を満たす。
【０２３９】
さらに、基地局は、クロスキャリア方式でアップリンクスケジューリング情報によってスケジュールされる第2のキャリア上のアップリンクサブフレームを、アップリンクスケジューリング情報中のサブフレームインジケータフィールドにより指示し、したがって、端末は、アップリンクスケジューリング情報に対応するアップリンクデータを、第2のキャリア上の対応するアップリンクサブフレーム上で基地局に送る。サブフレームインジケータフィールドは、第5の値、第6の値、第7の値および第8の値のうち少なくとも1つを含む。具体的には、第1のキャリアのアップリンクスケジューリング情報の中にビットを新たに追加することができ、第1のキャリア上のアップリンクスケジューリング情報によってクロスキャリア方式でスケジュールされたアップリンクデータがその上で送られる、第2のキャリア上のアップリンクサブフレームが、新規追加ビットにより指示される。新規追加ビットは、サブフレームインジケータフィールド(SIF)と呼ばれる。SIFによって含まれる第1の値は00でよく、SIFによって含まれる第2の値は01でよく、SIFによって含まれる第3の値は10でよく、SIFによって含まれる第4の値は11でよい。
【０２４０】
一例としてTDDシステムをとり上げると、アップリンクスケジューリング情報用の、PDCCHの中に新たに追加されるSIFは2ビットであり、TDDシステムにおいて、4つのサブフレームの時間は少なくとも、基地局によるアップリンクスケジューリング情報の送付から、端末による基地局への、対応するアップリンクデータの送付まで離間される必要があるので、アップリンクスケジューリング情報に対応するSIFの値は、アップリンクスケジューリング情報によってクロスキャリア方式でスケジュールされる第2のキャリアのアップリンクサブフレームCと、第2のキャリア上にあるとともに第1のキャリア上のダウンリンクサブフレームDの同じ時間を有するサブフレームとの間の時間関係を示す。
【０２４１】
SIFの値が00であることは、アップリンクスケジューリング情報によってクロスキャリア方式でスケジュールされる第2のキャリアのアップリンクサブフレームCが、第1のキャリア上のダウンリンクサブフレームDに対応する時間に遅れることを示し、サブフレームインジケータフィールドの値SIFが01であることは、アップリンクスケジューリング情報によってクロスキャリア方式でスケジュールされる第2のキャリアのアップリンクサブフレームCが、第2のキャリア上の参照サブフレームFに遅れる第1のアップリンクサブフレームであり、第2のキャリア上の参照サブフレームFが、第1のキャリア上のダウンリンクサブフレームDに対応する時間に、N個のサブフレームだけ遅れることを示し、サブフレームインジケータフィールドの値が10であることは、アップリンクスケジューリング情報によってクロスキャリア方式でスケジュールされる第2のキャリアのアップリンクサブフレームCが、第2のキャリア上の参照サブフレームFに遅れる第2のアップリンクサブフレームであることを示し、サブフレームインジケータフィールドの値が11であることは、アップリンクスケジューリング情報によってクロスキャリア方式でスケジュールされる第2のキャリアのアップリンクサブフレームCが、第2のキャリア上の参照サブフレームFに対応する時間に遅れる第3のアップリンクサブフレームであることを示す。
【０２４２】
図19Bに示すように、第2のキャリアのPDCCHが第1のキャリア上で運ばれるとき、基地局が、第2のキャリア上のアップリンクサブフレーム2をスケジュールするためのUL-Grantと、第2のキャリアのアップリンクサブフレーム3をスケジュールするためのUL-Grantとを、第1のキャリアのダウンリンクサブフレーム9上で端末に送る場合、第1のキャリアのダウンリンクサブフレーム9のPDCCHは、2つのクロスキャリアスケジューリングUL-Grantを含み、PDCCH中の第1のキャリアのアップリンクサブフレーム3をスケジュールするためのUL-Grantに対応するSIFの値は11である。第2のキャリアのダウンリンクサブフレーム5は、第1のキャリアのダウンリンクサブフレーム9に対応する時間に、参照サブフレームと呼ばれる4つのサブフレームだけ遅れる。第2のキャリアのアップリンクサブフレーム2は、第1のキャリアの同じ時間であって、第2のキャリア上の参照サブフレームの同じ時間を有するサブフレームに遅れる第3のアップリンクサブフレームであり、したがって、PDCCH中の第1のキャリアのアップリンクサブフレーム3をスケジュールするためのUL-Grantに対応するSIFの値は11である。
【０２４３】
図19Bに示すように、最小スケジューリング間隔、すなわちサブフレームと第2のキャリアのアップリンクサブフレーム8との間の4つのサブフレームを満たす第1のキャリア上のサブフレームはアップリンクサブフレーム4であり、第2のキャリアのPDCCHが第1のキャリア上で運ばれるとき、基地局によるUL_grantの送付から、端末による、対応するPUSCHの送付までの遅延を考慮すると、第2のキャリアのアップリンクサブフレーム8をスケジュールするためのUL_grantは、第1のキャリア上のダウンリンクサブフレーム1上で運ばれる。さらに、第1のキャリアのダウンリンクサブフレーム1の時間は、第2のキャリアのダウンリンクサブフレーム7の時間の前であり、ダウンリンクサブフレーム1およびダウンリンクサブフレーム7は、最小スケジューリング間隔、すなわち4つのサブフレームという要件を満たし、第2のキャリアのPDCCHが第1のキャリア上で運ばれるとき、第2のキャリアのアップリンクサブフレーム7をスケジュールするためのUL_grantは、第1のキャリア上のダウンリンクサブフレーム1上で運ぶことができる。したがって、第2のキャリアのPDCCHが第1のキャリア上で運ばれるとき、第1のキャリアのダウンリンクサブフレーム1のPDCCHは、2つのクロスキャリアスケジューリングUL-Grant、すなわち第2のキャリアのダウンリンクサブフレーム7をスケジュールするためのUL_grantおよび第2のキャリアのアップリンクサブフレーム8をスケジュールするためのUL_grantを含む。第2のキャリアのダウンリンクサブフレーム5は、第2のキャリア上の同じ時間であって、第1のキャリアのダウンリンクサブフレーム1の時間をもつサブフレームに、参照サブフレームと呼ばれる4つのサブフレームだけ遅れる。第2のキャリアのダウンリンクサブフレーム7は、第2のキャリア上の参照サブフレームに遅れる第2のアップリンクサブフレームであり、したがって、第2のキャリアのダウンリンクサブフレーム7のUL_grant中のSIFの値は、10にセットされ、第2のキャリアのダウンリンクサブフレーム8は、第2のキャリア上の参照サブフレームに遅れる第2のアップリンクサブフレームであり、したがって、第2のキャリアのアップリンクサブフレーム8をスケジュールするためのUL_grant中のSIFの値は、11にセットされる。
【０２４４】
さらに、PDCCH中のUL_grant用に新たに追加されたSIFは3ビットであってよく、TDDシステムにおいて、4つのサブフレーム分の時間が少なくとも、基地局によるUL_grantの送付から、端末による基地局への、対応するPUSCHの送付まで離間される必要があるので、SIFの有効値は、このとき、100、101、110および111である。
【０２４５】
本発明の実施形態の、アップリンクスケジューリング情報を送るための方法において、第2のキャリア上のPDCCHが第1のキャリア上で運ばれるとき、および基地局が、第1のキャリア上のダウンリンクサブフレームD上で、第2のキャリア上のアップリンクサブフレームCに対応するアップリンクスケジューリング情報を端末に送るとき、ダウンリンクサブフレームDは、最小スケジューリング間隔、すなわちダウンリンクサブフレームEとアップリンクサブフレームCとの間のN個のサブフレームを満たすダウンリンクサブフレームEであってよく、またはダウンリンクサブフレームEの前であってもよく、最小スケジューリング間隔、すなわちサブフレームとアップリンクサブフレームCとの間のN個のサブフレームを満たすサブフレームがアップリンクサブフレームである場合、ダウンリンクサブフレームDは、最小スケジューリング間隔、すなわちサブフレームとアップリンクサブフレームCとの間のN個のサブフレームを満たすサブフレームの前である。したがって、基地局は、非クロスキャリアスケジューリング中の、第2のキャリア上のアップリンクサブフレームCをスケジュールするためのダウンリンクサブフレームに対応する時間において、第1のキャリア上のサブフレームがアップリンクサブフレームであるとき、基地局は、第1のキャリア上で、第2のキャリア上のアップリンクサブフレームCをスケジュールするという技術的問題を解決するように、第1のキャリア上で、第2のキャリア上のPUSCHをスケジュールするためのアップリンクスケジューリング情報を端末に送ることができる。さらに、基地局は、クロスキャリア方式でアップリンクスケジューリング情報によってスケジュールされる第2のキャリア上のアップリンクサブフレームを、アップリンクスケジューリング情報中のサブフレームインジケータフィールドにより判断し、したがって、端末は、アップリンクスケジューリング情報に対応するアップリンクデータを、第2のキャリア上の対応するアップリンクサブフレーム上で基地局に送る。
【０２４６】
図20は、本発明によって提供される、アップリンクスケジューリング情報を受信するための方法の実施形態2のフローチャートである。図20に示すように、本実施形態は、次のようなステップを含む。
【０２４７】
ステップ201:端末が、第1のキャリア上のダウンリンクサブフレームD上で、基地局によって送られた、第2のキャリア上のアップリンクサブフレームCのアップリンクスケジューリング情報を受信し、第1のキャリア上のサブフレームEに対応する時間とアップリンクサブフレームCに対応する時間との間の間隔は、スケジューリング間隔、すなわちN個のサブフレームであり、サブフレームEがダウンリンクサブフレームである場合、ダウンリンクサブフレームDおよびサブフレームEは、同じ時間をもつサブフレームであり、もしくはダウンリンクサブフレームDがサブフレームEの前であり、またはサブフレームEがアップリンクサブフレームである場合、ダウンリンクサブフレームDはサブフレームEの前であり、Nは、少なくとも、端末によるアップリンクスケジューリング情報の受信と、端末による、アップリンクスケジューリング情報に対応するアップリンクデータの送付との間で離間されるサブフレームの数である。
【０２４８】
ステップ202:端末は、アップリンクスケジューリング情報に対応するアップリンクデータを、受信したアップリンクスケジューリング情報に従って、第2のキャリア上のアップリンクサブフレームC上で、基地局に送る。
【０２４９】
さらに、端末によって受信されたアップリンクスケジューリング情報は、サブフレームインジケータフィールドをさらに含み、アップリンクスケジューリング情報に対応するサブフレームインジケータフィールドは、端末に対して、アップリンクスケジューリング情報によってクロスキャリア方式でスケジュールされる、第2のキャリア上のアップリンクサブフレームを指示するのに使われる。端末は、第2のキャリア上のアップリンクサブフレームC上で、アップリンクスケジューリング情報に対応するアップリンクデータを、アップリンクスケジューリング情報およびアップリンクスケジューリング情報に対応するサブフレームインジケータフィールドに従って、基地局に送る。
【０２５０】
図19Bとの組合せで、第2のキャリアのPDCCHが第1のキャリア上で運ばれるとき、基地局が、第2のキャリア上のアップリンクサブフレーム2をスケジュールするためのUL-Grantと、第2のキャリアのアップリンクサブフレーム3をスケジュールするためのUL-Grantとを、第1のキャリアのダウンリンクサブフレーム9上で端末に送る場合、第1のキャリアのダウンリンクサブフレーム9のPDCCHは、2つのクロスキャリアスケジューリングUL-Grantを含む。一方のUL-Grantは、第2のキャリアのアップリンクサブフレーム2をスケジュールするためのUL-Grantであり、他方のUL-Grantは、第1のキャリアのアップリンクサブフレーム3をスケジュールするためのUL-Grantであり、PDCCH中の第1のキャリアのアップリンクサブフレーム3をスケジュールするためのUL-Grantに対応するSIFの値は11である。第1のキャリアのダウンリンクサブフレーム9上でUL-Grantを受信するとき、そのSIFの値は11であり、端末は、UL-Grantによってスケジュールされる第2のキャリアのアップリンクサブフレーム2が、第2のキャリア上の参照サブフレームに対応する時間に遅れる第3のアップリンクサブフレームであると判断し、端末は、第2のキャリア上の参照サブフレームに対応する時間に遅れる第3のアップリンクサブフレーム上で、UL_grantに対応するPUSCHを基地局に送る。ここで、第2のキャリア上の参照サブフレームは、第1のキャリアのダウンリンクサブフレーム9に対応する時間に、4つのサブフレームだけ遅れる、第2のキャリア上のダウンリンクサブフレーム5である。
【０２５１】
図19Bとの組合せで、第2のキャリアのPDCCHが第1のキャリア上で運ばれるとき、端末は、第1のキャリアのダウンリンクサブフレーム1上で、2つのクロスキャリアスケジューリングUL-Grant、すなわち第2のキャリアのダウンリンクサブフレーム7をスケジュールするためのUL_grantおよび第2のキャリアのアップリンクサブフレーム8をスケジュールするためのUL_grantを受信する。第2のキャリアのダウンリンクサブフレーム7のUL_grant中のSIFの値は10にセットされ、第2のキャリアのアップリンクサブフレーム8をスケジュールするためのUL_grant中のSIFの値は11にセットされる。第2のキャリアのダウンリンクサブフレーム5は、第1のキャリアのダウンリンクサブフレーム1に対応する時間に、参照サブフレームと呼ばれる4つのサブフレームだけ遅れる。
【０２５２】
SIF値が10であるUL_grantについて、端末は、UL_grantによってスケジュールされる第2のキャリア上のアップリンクサブフレームは、第2のキャリア上の参照サブフレームに対応する時間に遅れる第2のアップリンクサブフレームであり、第2のキャリア上の参照サブフレームが、第2のキャリア上にある同じ時間であって、第1のキャリア上のダウンリンクサブフレーム1の時間をもつサブフレームに4つのサブフレームだけ遅れると判断することができ、したがって、端末は、第2のキャリア上の参照サブフレーム対応する時間に遅れる第2のアップリンクサブフレーム上で、UL_grantに対応するPUSCHを基地局に送る。
【０２５３】
SIF値が11であるUL_grantについて、端末は、UL_grantによってスケジュールされる第2のキャリア上のアップリンクサブフレームが、第2のキャリア上の参照サブフレームに対応する時間に遅れる第3のアップリンクサブフレームであり、第2のキャリア上の参照サブフレームが、第2のキャリア上の同じ時間であって、第1のキャリア上のダウンリンクサブフレームの時間をもつサブフレームに4つのサブフレームだけ遅れると判断することができ、したがって、端末は、第2のキャリア上の参照サブフレーム対応する時間に遅れる第3のアップリンクサブフレーム上で、UL_grantに対応するPUSCHを基地局に送る。
【０２５４】
本発明の実施形態の、アップリンクスケジューリング情報を受信するための方法において、第2のキャリア上のPDCCHが第1のキャリア上で運ばれるとき、および基地局が、第1のキャリア上のダウンリンクサブフレームD上で、第2のキャリア上のアップリンクサブフレームCに対応するアップリンクスケジューリング情報を端末に送るとき、ダウンリンクサブフレームDは、最小スケジューリング間隔、すなわちダウンリンクサブフレームEとアップリンクサブフレームCとの間のN個のサブフレームを満たすダウンリンクサブフレームEであってよく、またはダウンリンクサブフレームEの前であってもよく、最小スケジューリング間隔、すなわちサブフレームとアップリンクサブフレームCとの間のN個のサブフレームを満たすサブフレームがアップリンクサブフレームである場合、ダウンリンクサブフレームDは、最小スケジューリング間隔、すなわちサブフレームとアップリンクサブフレームCとの間のN個のサブフレームを満たすサブフレームの前である。したがって、端末は、非クロスキャリアスケジューリング中に第2のキャリア上のアップリンクサブフレームCをスケジュールするためのダウンリンクサブフレームに対応する時間において、第1のキャリア上のサブフレームがアップリンクサブフレームであるとき、端末が、第1のキャリア上で、第2のキャリア上のアップリンクサブフレームCをスケジュールするためのアップリンクスケジューリング情報を受信するという技術的問題を解決するように、第1のキャリア上で、第2のキャリア上のPUSCHをスケジュールするためのアップリンクスケジューリング情報を受信することができる。さらに、アップリンクスケジューリング情報中のサブフレームインジケータフィールドは、アップリンクスケジューリング情報によってクロスキャリア方式でスケジュールされる第2のキャリア上のアップリンクサブフレームを指示するのに使われ、端末は、アップリンクスケジューリング情報に対応するアップリンクデータを、第2のキャリア上の対応するアップリンクサブフレーム上で基地局に送る。
【０２５５】
図21は、本発明によって提供される、ダウンリンクスケジューリング情報を送るための装置の実施形態2の概略構造図である。図21に示すように、本実施形態は、ダウンリンクサブフレーム判断モジュール211およびダウンリンクスケジューリング送付モジュール212を含む。
【０２５６】
ダウンリンクサブフレーム判断モジュール211は、第2のキャリア上のダウンリンクサブフレーム中で、ダウンリンクサブフレームAを判断するように構成される。
【０２５７】
ダウンリンクスケジューリング送付モジュール212は、第1のキャリア上のダウンリンクサブフレームB上で、第2のキャリア上のダウンリンクサブフレームAのダウンリンクスケジューリング情報を端末に送るように構成され、第2のキャリア上のダウンリンクサブフレームAの時間と同じ時間での第1のキャリア上のサブフレームがアップリンクサブフレームである場合、ダウンリンクサブフレームBに対応する時間は、ダウンリンクサブフレームAに対応する時間の前であり、または第2のキャリア上のダウンリンクサブフレームAの時間と同じ時間での第1のキャリア上のサブフレームがダウンリンクサブフレームである場合、ダウンリンクサブフレームBに対応する時間は、ダウンリンクサブフレームAに対応する時間の前であり、もしくはダウンリンクサブフレームBに対応する時間は、ダウンリンクサブフレームAに対応する時間と同じ時間である。
【０２５８】
さらに、ダウンリンクスケジューリング情報は、サブフレームインジケータフィールドを含み、サブフレームインジケータフィールドは、第2のキャリア上で、ダウンリンクスケジューリング情報によってクロスキャリア方式でスケジュールされるダウンリンクサブフレームを指示するのに使われる。ダウンリンクスケジューリング情報中のサブフレームインジケータフィールドは、第1の値、第2の値、第3の値および第4の値のうち少なくとも1つを含み、第1の値は、第2のキャリアのダウンリンクサブフレームAに対応する時間と第1のキャリア上のダウンリンクサブフレームBに対応する時間が同じであることを指すのに使われ、第2の値は、第2のキャリアのダウンリンクサブフレームAが、第1のキャリア上のダウンリンクサブフレームBに対応する時間に遅れる、第2のキャリア上のサブフレームの第1のダウンリンクサブフレームであることを指すのに使われ、第3の値は、第2のキャリアのダウンリンクサブフレームAが、第1のキャリア上のダウンリンクサブフレームBに対応する時間に遅れる、第2のキャリア上のサブフレームの第2のダウンリンクサブフレームであることを指すのに使われ、第4の値は、第2のキャリアのダウンリンクサブフレームAが、第1のキャリア上のダウンリンクサブフレームBに対応する時間に遅れる、第2のキャリア上のサブフレームの第3のダウンリンクサブフレームであることを指すのに使われる。
【０２５９】
さらに、ダウンリンクスケジューリング情報中のダウンリンク割当て指示は、ダウンリンクスケジューリング情報によってクロスキャリア方式でスケジュールされる第2のキャリア上のダウンリンクサブフレームを端末に対して指示するのに使うこともできる。具体的な指示方法は、サブフレームインジケータフィールド指示方法と同じである。
【０２６０】
モジュールの作動機構について、図17Aに対応する実施形態における説明に対して参照が行われるが、それ以上の詳細については、ここでは提示しない。
【０２６１】
図22は、本発明によって提供される、ダウンリンクスケジューリング情報を受信するための装置の実施形態3の概略構造図である。図22に示すように、本実施形態は、ダウンリンクスケジューリング受信モジュール221およびダウンリンクデータ受信モジュール222を含む。
【０２６２】
ダウンリンクスケジューリング受信モジュール221は、第1のキャリア上のダウンリンクサブフレームB上で、基地局によって送られた、第2のキャリア上のダウンリンクサブフレームAのダウンリンクスケジューリング情報を受信するように構成され、第2のキャリア上のダウンリンクサブフレームAの時間と同じ時間での第1のキャリア上のサブフレームがアップリンクサブフレームである場合、ダウンリンクサブフレームBに対応する時間は、ダウンリンクサブフレームAに対応する時間の前であり、または第2のキャリア上のダウンリンクサブフレームAの時間と同じ時間での第1のキャリア上のサブフレームがダウンリンクサブフレームである場合、ダウンリンクサブフレームBに対応する時間は、ダウンリンクサブフレームAに対応する時間の前であり、もしくはダウンリンクサブフレームBに対応する時間は、ダウンリンクサブフレームAに対応する時間と同じ時間である。
【０２６３】
ダウンリンクデータ受信モジュール222は、第2のキャリア上のダウンリンクサブフレームA上で、受信したダウンリンクスケジューリング情報に従って、ダウンリンクスケジューリング情報に対応するダウンリンクデータを受信するように構成される。
【０２６４】
さらに、ダウンリンクスケジューリング情報はサブフレームインジケータフィールドを含み、サブフレームインジケータフィールドは、ダウンリンクスケジューリング情報によってクロスキャリア方式でスケジュールされるダウンリンクサブフレームを、第2のキャリア上で指示するのに使われ、サブフレームインジケータフィールドは、第1の値、第2の値、第3の値および第4の値のうち少なくとも1つを少なくとも含む。ダウンリンクデータ受信モジュール222は、サブフレームインジケータフィールドの値が第1の値である場合、第1のキャリア上のダウンリンクサブフレームBに対応する時間と同じ時間において、第2のキャリア上のサブフレーム上で、ダウンリンクスケジューリング情報に対応するダウンリンクデータを受信し、サブフレームインジケータフィールドの値が第2の値である場合、第1のキャリア上のダウンリンクサブフレームBに対応する時間に遅れる、第1のキャリア上の第1のダウンリンクサブフレーム上で、ダウンリンクスケジューリング情報に対応するダウンリンクデータを受信し、サブフレームインジケータフィールドの値が第3の値である場合、第1のキャリア上のダウンリンクサブフレームBに対応する時間に遅れる、第1のキャリア上の第2のダウンリンクサブフレーム上で、ダウンリンクスケジューリング情報に対応するダウンリンクデータを受信し、サブフレームインジケータフィールドの値が第4の値である場合、第1のキャリア上のダウンリンクサブフレームBに対応する時間に遅れる、第1のキャリア上の第3のダウンリンクサブフレーム上で、ダウンリンクスケジューリング情報に対応するダウンリンクデータを受信するように特に構成される。
【０２６５】
モジュールの作動機構について、図18に対応する実施形態における説明に対して参照が行われるが、それ以上の詳細については、ここでは提示しない。
【０２６６】
図23は、本発明によって提供される、アップリンクスケジューリング情報を送るための装置の実施形態2の概略構造図である。図23に示すように、本実施形態は、アップリンクサブフレーム判断モジュール231およびアップリンクスケジューリング送付モジュール232を含む。
【０２６７】
アップリンクサブフレーム判断モジュール231は、第2のキャリア上のアップリンクサブフレーム中で、アップリンクサブフレームCを判断するように構成される。
【０２６８】
アップリンクスケジューリング送付モジュール232は、第1のキャリア上のダウンリンクサブフレームD上で、第2のキャリア上のアップリンクサブフレームCのアップリンクスケジューリング情報を端末に送るように構成され、第1のキャリア上のサブフレームEに対応する時間とアップリンクサブフレームCに対応する時間との間の間隔は、スケジューリング間隔、すなわちN個のサブフレームであり、サブフレームEがダウンリンクサブフレームである場合、ダウンリンクサブフレームDおよびサブフレームEは、同じ時間をもつサブフレームであり、もしくはダウンリンクサブフレームDがサブフレームEの前であり、またはサブフレームEがアップリンクサブフレームである場合、ダウンリンクサブフレームDはサブフレームEの前であり、Nは、少なくとも、端末によるアップリンクスケジューリング情報の受信と、端末による、アップリンクスケジューリング情報に対応するアップリンクデータの送付との間で離間されるサブフレームの数である。
【０２６９】
さらに、アップリンクスケジューリング情報はサブフレームインジケータフィールドを含み、サブフレームインジケータフィールドは、アップリンクスケジューリング情報によってクロスキャリア方式でスケジュールされるアップリンクサブフレームを、第2のキャリア上で端末に対して指示する。アップリンクスケジューリング情報中のサブフレームインジケータフィールドは、第5の値、第6の値、第7の値および第8の値のうち少なくとも1つを含み、第5の値は、第2のキャリアのアップリンクサブフレームCに対応する時間が、第1のキャリア上のダウンリンクサブフレームDに対応する時間に、N個のサブフレームだけ遅れることを指すのに使われ、第6の値は、第2のキャリアのアップリンクサブフレームCが、第2のキャリア上の参照サブフレームFに対応する時間に遅れる、第2のキャリア上の第1のアップリンクサブフレームであり、第2のキャリア上の参照サブフレームFが、第1のキャリア上のダウンリンクサブフレームDに対応する時間にN個のサブフレームだけ遅れる、第2のキャリア上のサブフレームであることを指すのに使われ、第7の値は、第2のキャリアのアップリンクサブフレームCが、第2のキャリア上の参照サブフレームFに対応する時間に遅れる、第2のキャリア上の第2のアップリンクサブフレームであることを指すのに使われ、第8の値は、第2のキャリアのアップリンクサブフレームCが、第2のキャリア上の参照サブフレームFに対応する時間に遅れる、第2のキャリア上の第3のアップリンクサブフレームであることを指すのに使われる。
【０２７０】
モジュールの作動機構について、図19Aに対応する実施形態における説明に対して参照が行われるが、それ以上の詳細については、ここでは提示しない。
【０２７１】
図24は、本発明によって提供される、アップリンクスケジューリング情報を受信するための装置の実施形態3の概略構造図である。図24に示すように、本実施形態は、アップリンクスケジューリング受信モジュール241およびアップリンクデータ送付モジュール242を含む。
【０２７２】
アップリンクスケジューリング受信モジュール241は、第1のキャリア上のダウンリンクサブフレームD上で、基地局によって送られた、第2のキャリア上のアップリンクサブフレームCのアップリンクスケジューリング情報を受信するように構成され、第1のキャリア上のサブフレームEに対応する時間とアップリンクサブフレームCに対応する時間との間の間隔は、スケジューリング間隔、すなわちN個のサブフレームであり、サブフレームEがダウンリンクサブフレームである場合、ダウンリンクサブフレームDおよびサブフレームEは、同じ時間をもつサブフレームであり、もしくはダウンリンクサブフレームDがサブフレームEの前であり、またはサブフレームEがアップリンクサブフレームである場合、ダウンリンクサブフレームDはサブフレームEの前であり、Nは、少なくとも、端末によるアップリンクスケジューリング情報の受信と、端末による、アップリンクスケジューリング情報に対応するアップリンクデータの送付との間で離間されるサブフレームの数である。
【０２７３】
アップリンクデータ送付モジュール242は、第2のキャリア上のアップリンクサブフレームC上で、受信したアップリンクスケジューリング情報に従って、アップリンクスケジューリング情報に対応するアップリンクデータを送るように構成される。
【０２７４】
さらに、アップリンクスケジューリング情報はサブフレームインジケータフィールドを含み、サブフレームインジケータフィールドは、アップリンクスケジューリング情報によってクロスキャリア方式でスケジュールされるアップリンクサブフレームを、第2のキャリア上で端末に対して指示する。サブフレームインジケータフィールドは、第5の値、第6の値、第7の値および第8の値のうち少なくとも1つを含む。アップリンクデータ送付モジュール242は、サブフレームインジケータフィールドの値が第5の値である場合、第1のキャリア上のダウンリンクサブフレームDに対応する時間にN個のサブフレームだけ遅れる、第2のキャリア上のアップリンクサブフレーム上で、アップリンクスケジューリング情報に対応するアップリンクデータを、受信したアップリンクスケジューリング情報に従って基地局に送り、サブフレームインジケータフィールドの値が第6の値である場合、第2のキャリア上の参照サブフレームに対応する時間に遅れる、第2のキャリア上の第1のアップリンクサブフレーム上で、アップリンクスケジューリング情報に対応するアップリンクデータを基地局に送り、第2のキャリア上の参照サブフレームは、第1のキャリア上のダウンリンクサブフレームDに対応する時間にN個のサブフレームだけ遅れ、サブフレームインジケータフィールドの値が第7の値である場合、第2のキャリア上の参照サブフレームに対応する時間に遅れる、第2のキャリア上の第2のアップリンクサブフレーム上で、アップリンクスケジューリング情報に対応するアップリンクデータを基地局に送り、サブフレームインジケータフィールドの値が第8の値である場合、第2のキャリア上の参照サブフレームに対応する時間に遅れる、第2のキャリア上の第3のアップリンクサブフレーム上で、アップリンクスケジューリング情報に対応するアップリンクデータを基地局に送るように特に構成される。
【０２７５】
モジュールの作動機構について、図20に対応する実施形態における説明に対して参照が行われるが、それ以上の詳細については、ここでは提示しない。
【０２７６】
上記方法実施形態のステップの全部または一部は、関連ハードウェアに命令するプログラムによって実装され得ることを、当業者は理解されたい。上記プログラムは、コンピュータ可読記憶媒体に記憶することができる。プログラムが稼働されると、方法実施形態に含まれる上記ステップが実施される。上記記憶媒体は、ROM、RAM、磁気ディスク、または光ディスクなど、プログラムコードを記憶することが可能な、どの媒体でもよい。
【０２７７】
最後に、上記実施形態は、本発明を限定するのではなく、本発明の技術的解決策を説明することを意図しているにすぎないことに留意されたい。上記実施形態を参照して本発明を詳しく説明したが、それでも、本発明の実施形態の技術的解決策の精神および範囲から逸脱することなく、上記実施形態において説明した技術的解決策に対する修正を行っても、一部の技術的特徴に対する等価な置き換えを行ってもよいことを当業者は理解されたい。
【符号の説明】
【０２７８】
91  ダウンリンクサブフレーム判断モジュール
92  ダウンリンクスケジューリング送付モジュール
101  アップリンクサブフレーム判断モジュール
102  アップリンクスケジューリング送付モジュール
121  ダウンリンクスケジューリング受信モジュール
122  ダウンリンクデータ受信モジュール
123  ダウンリンクスケジューリングタイプ受信モジュール
141  アップリンクスケジューリング受信モジュール
142  アップリンクデータ送付モジュール
143  アップリンクスケジューリングタイプ受信モジュール
211  ダウンリンクサブフレーム判断モジュール
212  ダウンリンクスケジューリング送付モジュール
221  ダウンリンクスケジューリング受信モジュール
222  ダウンリンクデータ受信モジュール
231  アップリンクサブフレーム判断モジュール
232  アップリンクスケジューリング送付モジュール
241  アップリンクスケジューリング受信モジュール
242  アップリンクデータ送付モジュール
【図１Ａ】
0005663817.tif 000002
【図１Ｂ】
0005663817.tif 000003
【図２Ａ】
0005663817.tif 000004
【図２Ｂ】
0005663817.tif 000005
【図３Ａ】
0005663817.tif 000006
【図３Ｂ】
0005663817.tif 000007
【図４Ａ】
0005663817.tif 000008
【図４Ｂ】
0005663817.tif 000009
【図４Ｃ】
0005663817.tif 000010
【図４Ｄ】
0005663817.tif 000011
【図５Ａ】
0005663817.tif 000012
【図５Ｂ】
0005663817.tif 000013
【図６Ａ】
0005663817.tif 000014
【図６Ｂ】
0005663817.tif 000015
【図７Ａ】
0005663817.tif 000016
【図７Ｂ】
0005663817.tif 000017
【図８】
0005663817.tif 000018
【図９】
0005663817.tif 000019
【図１０】
0005663817.tif 000020
【図１１】
0005663817.tif 000021
【図１２Ａ】
0005663817.tif 000022
【図１２Ｂ】
0005663817.tif 000023
【図１３】
0005663817.tif 000024
【図１４Ａ】
0005663817.tif 000025
【図１４Ｂ】
0005663817.tif 000026
【図１５】
0005663817.tif 000027
【図１６Ａ】
0005663817.tif 000028
【図１６Ｂ】
0005663817.tif 000029
【図１６Ｃ】
0005663817.tif 000030
【図１６Ｄ】
0005663817.tif 000031
【図１７Ａ】
0005663817.tif 000032
【図１７Ｂ】
0005663817.tif 000033
【図１７Ｃ】
0005663817.tif 000034
【図１８】
0005663817.tif 000035
【図１９Ａ】
0005663817.tif 000036
【図１９Ｂ】
0005663817.tif 000037
【図２０】
0005663817.tif 000038
【図２１】
0005663817.tif 000039
【図２２】
0005663817.tif 000040
【図２３】
0005663817.tif 000041
【図２４】
0005663817.tif 000042